(57)【特許請求の範囲】
【請求項１】
端末装置と、変換センタサーバと、前記端末装置と前記変換センタサーバとを相互に接続するネットワークとから成る映像コンテンツ変換システムにおいて：
前記変換センタサーバは、
映像コンテンツデータを格納する記憶装置と、
前記端末装置から前記記憶装置に格納された前記映像コンテンツデータへのアクセスにより、前記映像コンテンツデータのフォーマットを前記端末装置から指定されたフォーマットへ変換する変換処理装置と、
前記端末装置および前記端末装置が属するグループのいずれか一方に対して通知情報を送信する通知装置とを備え、
前記変換処理装置は、前記映像コンテンツデータのデータ容量又は映像時間の情報を含む映像時間情報、及び前記指定されたフォーマットの情報である形式情報とビットレート情報に基づいて、前記フォーマット変換処理に要する完成想定時間を算出し、前記端末装置に対して当該完成想定時間を前記フォーマット変換処理を施す前及び後の前記映像コンテンツデータのファイル名、及び前記指定されたフォーマットの情報と共に前記映像コンテンツデータ毎にリスト形式で一覧表示させることを特徴とする、
映像コンテンツ変換システム。
【請求項２】
端末装置とネットワークを介して接続される変換センタサーバであって：
前記変換センタサーバは、映像コンテンツデータを格納する記憶装置と、
前記端末装置から前記記憶装置に格納された前記映像コンテンツデータへのアクセスにより、前記映像コンテンツデータのフォーマットを前記端末装置から指定されたフォーマットへ変換する変換処理装置と、
前記端末装置および前記端末装置が属するグループのいずれか一方に対して通知情報を送信する通知装置とを備え、
前記変換処理装置は、前記映像コンテンツデータのデータ容量又は映像時間の情報を含む映像時間情報、及び前記指定されたフォーマットの情報である形式情報とビットレート情報に基づいて、前記フォーマット変換処理に要する完成想定時間を算出し、前記端末装置に対して当該完成想定時間を前記フォーマット変換処理を施す前及び後の前記映像コンテンツデータのファイル名、及び前記指定されたフォーマットの情報と共に前記映像コンテンツデータ毎にリスト形式で一覧表示させることを特徴とする、
変換センタサーバ。
【請求項３】
コンピュータをして請求項２に記載の変換センタサーバとして機能させることを特徴とする、コンピュータプログラム。
【請求項４】
請求項３に記載のコンピュータプログラムが記憶されたコンピュータ読み取り可能な記憶媒体。
【請求項５】
請求項２に記載の変換センタサーバとネットワークを介して接続される端末装置であって：
前記端末装置は、前記変換センタサーバからのアクセスにより、指定されたフォーマットに変換された映像コンテンツデータを受信することを特徴とする、
端末装置。
【請求項６】
コンピュータをして請求項２に記載の変換センタサーバとネットワークを介して接続される端末装置であって：
前記端末装置は、前記変換センタサーバからのアクセスにより、指定されたフォーマットに変換された映像コンテンツデータを受信する端末装置として機能させることを特徴とする、コンピュータプログラム。
【請求項７】
コンピュータをして請求項２に記載の変換センタサーバとネットワークを介して接続される端末装置であって：
前記端末装置は、前記変換センタサーバからのアクセスにより、指定されたフォーマットに変換された映像コンテンツデータを受信する端末装置として機能させることを特徴とする、コンピュータプログラムが記憶されたコンピュータ読み取り可能な記憶媒体。
【請求項８】
端末装置とネットワークを介して接続される変換センタサーバの映像コンテンツ変換方法であって：
前記変換センタサーバにより映像コンテンツデータが記憶装置に格納されるステップと、
前記端末装置から前記記憶装置に格納された前記映像コンテンツデータに対してアクセスされるステップと、
前記変換センタサーバにより前記映像コンテンツデータのデータ容量又は映像時間の情報を含む映像時間情報、及び前記指定されたフォーマットの情報である形式情報とビットレート情報に基づいて、前記フォーマット変換処理に要する完成想定時間が算出されるステップと、
前記変換センタサーバにより前記端末装置に対して前記完成想定時間を前記フォーマット変換処理が施される前及び後の前記映像コンテンツデータのファイル名、及び前記指定されたフォーマットの情報と共に前記映像コンテンツデータ毎にリスト形式で一覧表示させるステップと、
前記映像コンテンツデータのフォーマットが前記端末装置から指定されたフォーマットへ変換されるステップと、
前記変換センタサーバにより前記端末装置および前記端末装置が属するグループのいずれか一方に対して通知情報が送信されるステップと、
を含むことを特徴とする、
変換センタサーバの映像コンテンツ変換方法。
【発明の詳細な説明】
【０００１】
【発明の属する技術分野】
本発明は，ユーザの要求に応じて非定型的な業務を行うことが可能なコンピュータネットワークシステムに係り，特に映像コンテンツ変換システム，変換センタサーバ，端末装置，コンピュータプログラム，記憶媒体，および変換センタサーバの映像コンテンツ変換方法に関する。
【０００２】
【従来の技術】
広告などを制作する企業では，クライアントである企業（広告代理店など）に対して，完成されたテレビＣＭなどの映像コンテンツを，クライアント先の複数の人に，確認または納品する必要がある。
【０００３】
したがって，メディア媒体に記憶された映像コンテンツを，複数のメディア媒体に再録画処理をして，再録画されたメディア媒体を各個別ごとに配送を行っているが，近年，パソコンなどのコンピュータ，およびネットワークが広く普及しており，広告制作スタッフなどのユーザはコンピュータを利用して，ビデオテープ（登録商標）などのメディア媒体に記憶された映像コンテンツから，デジタル変換して作成された映像コンテンツデータを，コンピュータからネットワークを介して，クライアントの企業に送信することができる。
【０００４】
【発明が解決しようとする課題】
しかしながら，メディア媒体に記憶された映像コンテンツからデジタル化された映像コンテンツデータは，データが大容量となり，大容量の映像コンテンツデータを管理することが非常に煩雑となる。さらに，複数のユーザに大容量の映像コンテンツデータを，ネットワークを介して送信することは，ネットワークのトラフィックに非常に負荷および時間がかかるという問題点があった。
【０００５】
本発明は，上記問題点に鑑みてなされたものであり，本発明の目的は，映像コンテンツデータを維持管理する必要がなく，大容量の映像コンテンツデータを低容量の映像コンテンツデータに変換して，ネットワークを介して送受信することの可能な，新規かつ改良された映像コンテンツ変換システムを提供することである。
【０００６】
【課題を解決するための手段】
上記課題を解決するために，本発明の第１の観点によれば，端末装置と，変換センタサーバと，端末装置と変換センタサーバとを相互に接続するネットワークとから成る映像コンテンツ変換システムが提供される。この映像コンテンツ変換システムの変換センタサーバは，映像コンテンツデータを格納する記憶装置と，端末装置から記憶装置に格納された映像コンテンツデータへのアクセスにより，映像コンテンツデータのフォーマットを端末装置から指定されたフォーマットへ変換する変換処理装置と，端末装置および端末装置が属するグループのいずれか一方に対して通知情報を送信する通知装置とを備えている。
そして、前記変換処理装置は、前記映像コンテンツデータのデータ容量又は映像時間の情報を含む映像時間情報に基づいて、前記フォーマット変換処理に要する完成想定時間を算出し、前記端末装置に対して当該完成想定時間を前記フォーマット変換処理を施す前及び後の前記映像コンテンツデータのファイル名と共に一覧表示させることができる。
【０００７】
かかる構成によれば，変換センタサーバは，記憶装置に格納された映像コンテンツデータを，端末装置からのアクセスに応じて，映像コンテンツデータのフォーマットを指定されたフォーマットへ変換して，フォーマット変換処理の状況を端末装置に通知する。かかる構成により，端末装置は，映像コンテンツデータを管理する必要がなく，センタサーバへアクセスをすることにより，日時場所を問わず，映像コンテンツデータのフォーマットを変換することが可能となる。
【０００８】
変換センタサーバは，記憶装置の記憶領域内に規定されたディレクトリおよびディレクトリ内に格納された映像コンテンツデータのいずれか一方に対して端末装置からのアクセスの権限を，端末装置および端末装置が属するグループのいずれか一方をアクセス対象単位として設定されたアクセス権限データを管理する管理装置と，記端末装置からのアクセスに応じて，管理装置へ照会を行い，管理装置から送信されるアクセス権限データを参照して，端末装置および端末装置が属するグループのいずれか一方を単位として端末装置から記憶装置へのアクセスを制御するアクセス制御装置とをさらに備えている。かかる構成により，記憶装置に格納された映像コンテンツデータは，アクセス権限を有しない，不特定の端末装置によりアクセスされなくなる。
【０００９】
変換処理装置は，映像コンテンツデータの端末装置から指定されたフォーマットへの変換を排他的に処理することができる。かかる構成により，映像コンテンツデータのフォーマット変換処理を効率的に実行することができ，さらに正確に変換処理を行うことができる。
【００１０】
変換処理装置は，映像コンテンツデータの端末装置から指定されたフォーマットへの変換処理に係る排他情報を告知することができる。かかる構成により，端末装置は，映像コンテンツデータのフォーマット変換処理の状況を把握可能となる。
【００１１】
また、前記変換処理装置は、前記映像時間情報、及び前記指定されたフォーマットの情報に基づいて、前記フォーマット変換処理に要する完成想定時間を算出し、前記端末装置に対して当該完成想定時間を前記フォーマット変換処理を施す前及び後の前記映像コンテンツデータのファイル名、及び前記指定されたフォーマットの情報と共にリスト形式で表示させてもよい。
さらに、前記変換処理装置は、前記映像時間情報、及び前記指定されたフォーマットの情報に含まれるビットレートの情報に基づいて、前記フォーマット変換処理に要する完成想定時間を算出し、前記端末装置に対して、当該完成想定時間、前記フォーマット変換処理前後のファイル名、及び前記ビットレートの情報を前記フォーマット変換処理の対象となる前記映像コンテンツデータ毎にリスト形式で一覧表示させてもよい。
かかる構成により，端末装置は，フォーマット変換処理終了するタイミングを知ることができて，完成想定時間まで別の処理をすることが可能となる。
【００１２】
さらに，上記課題を解決するための本発明の別の観点によれば，端末装置とネットワークを介して接続される変換センタサーバが提供される。なお，この変換センタサーバは，上記映像コンテンツ変換システムで採用される変換センタサーバとほぼ同様の構成を有するので，詳細説明は省略する。
【００１３】
さらに，本発明の別の観点によれば，コンピュータをして上記変換センタサーバとして機能させるコンピュータプログラムおよびそのコンピュータプログラムが記憶されたコンピュータ読み取り可能な記憶媒体が提供される。
【００１４】
さらに，本発明の別の観点によれば，変換センタサーバとネットワークを介して接続される端末装置が提供される。この端末装置は，変換センタサーバからのアクセスにより，指定されたフォーマットに変換された映像コンテンツデータを受信することができる。かかる構成により，指定されたフォーマットに変換された映像コンテンツデータを端末装置が，受信および再生することが可能となる。
【００１５】
さらに，本発明の別の観点によれば，コンピュータをして上記端末装置として機能させるコンピュータプログラムおよびそのコンピュータプログラムが記憶されたコンピュータ読み取り可能な記憶媒体が提供される。
【００１６】
さらに，本発明の別の観点によれば，端末装置とネットワークを介して接続される変換センタサーバの映像コンテンツ変換方法が提供される。
当該変換センタサーバの映像コンテンツ変換方法は、前記変換センタサーバにより映像コンテンツデータが記憶装置に格納されるステップと、前記端末装置から前記記憶装置に格納された前記映像コンテンツデータに対してアクセスされるステップと、前記変換センタサーバにより前記映像コンテンツデータのデータ容量又は映像時間の情報を含む映像時間情報に基づいて、前記フォーマット変換処理に要する完成想定時間が算出されるステップと、前記変換センタサーバにより前記端末装置に対して前記完成想定時間を前記フォーマット変換処理が施される前及び後の前記映像コンテンツデータのファイル名と共に一覧表示させるステップと、前記映像コンテンツデータのフォーマットが前記端末装置から指定されたフォーマットへ変換されるステップと、前記変換センタサーバにより前記端末装置および前記端末装置が属するグループのいずれか一方に対して通知情報が送信されるステップとを含む。
また、前記完成想定時間が算出されるステップでは、前記映像時間情報、及び前記指定されたフォーマットの情報に基づいて前記フォーマット変換処理に要する完成想定時間が算出されてもよい。さらに、前記表示させるステップでは、前記端末装置に対して当該完成想定時間を前記フォーマット変換処理が施される前及び後の前記映像コンテンツデータのファイル名、及び前記指定されたフォーマットの情報と共にリスト形式で表示させてもよい。
また、前記完成想定時間が算出されるステップでは、前記映像時間情報、及び前記指定されたフォーマットの情報に含まれるビットレートの情報に基づいて、前記フォーマット変換処理に要する完成想定時間が算出されてもよい。さらに、前記表示させるステップでは、前記端末装置に対して、当該完成想定時間、前記フォーマット変換処理前後のファイル名、及び前記ビットレートの情報を前記フォーマット変換処理の対象となる前記映像コンテンツデータ毎にリスト形式で表示させてもよい。
【００１７】
変換センタサーバは，記憶装置の記憶領域内に規定されたディレクトリおよびディレクトリ内に格納された映像コンテンツデータのいずれか一方に対して端末装置からのアクセスの権限を，端末装置および端末装置が属するグループのいずれか一方をアクセス対象単位として設定されたアクセス権限データを管理し，端末装置からのアクセスにより，管理装置へ照会し，管理装置から送信されるアクセス権限データを参照し，端末装置および端末装置が属するグループのいずれか一方を単位として端末装置から記憶装置へのアクセスを制御するように構成してもよい。
【００１８】
また，変換センタサーバは，映像コンテンツデータの端末装置から指定されたフォーマットへの変換を排他的に処理するように構成してもよい。
【００１９】
また，変換センタサーバは，映像コンテンツデータの端末装置から指定されたフォーマットへの変換処理に係る排他情報を告知するように構成してもよい。
【００２０】
また，変換センタサーバは，映像コンテンツデータに付属した映像時間情報に基づいて，指定されたフォーマットへの変換処理に要する完成想定時間を算出するように構成してもよい。
【００２１】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２２】
（１．ビジネスモデル概略）
まず，図１を参照しながら，本発明に基づいて構成されたストレージサービスシステム等のビジネスモデルの概念について説明する。なお，本明細書において「ストレージサービス」とは，ネットワークを介してユーザが使用する記憶領域を提供するサービス全般を総称するものとする。
【００２３】
（１．１  ストレージサービスシステムについて）
図１に示すように，ネットワーク２３５１を介して，センタサーバ２３５０と端末装置２３５２が相互に接続されている。
【００２４】
センタサーバ２３５０へネットワーク２３５１を介してアクセスしてストレージサービスを利用する正当な資格を有する人々，すなわちユーザに属する情報処理装置は，端末装置２３５２（２３５２ａ，２３５２ｂ，・・・，２３５２ｓ）を構成する。
【００２５】
なお，本実施の形態にかかるストレージサービスシステムの利用する対象のユーザとしては，テレビのＣＭ（コマーシャル）をはじめとした広告業界で経営活動する広告代理店（クライアント），ＣＭ等制作会社，編集などのプロダクション会社などの企業で働くユーザ等が考えられる。
【００２６】
また図１に示すように，組織の構成や目的に応じて端末装置２３５２の集まり（プロジェクト）からなるグループ２３５４が形成される。上記グループ２３５４は，一または二以上からなるグループ２３５４（２３５４ａ，２３５４ｂ，・・・，２３５４ｎ）から構成されて，グループ２３５４には一または二以上の端末装置２３５２から構成される。
【００２７】
上記端末装置２３５２が属するグループ２３５４は，例えば，企業内における組織や部署から構成されるグループである必要はなく，複数の企業間に渡る組織や部署から構成されるグループであってもよい。
【００２８】
端末装置２３５２は，ネットワーク２３５１を介してセンタサーバ２３５０にアクセスして，センタサーバ２３５０内に割当てられた記憶領域（ディスクスペース）を共有資源として広告を制作する様々なサービスを利用する。
【００２９】
（１．１．１  データ共有）
ディレクトリ，ファイルデータ，およびディレクトリまたはファイルデータに付属するコメントデータに対して，端末装置２３５２が属するグループ２３５４の間でアクセスすることにより，データ共有をするサービスを利用できる。
【００３０】
ここで，ディレクトリとは，フォルダなど，コンピュータの記憶装置内の記憶領域に１または２以上のファイルデータをまとめて格納される格納部分（格納場所）を総称したものであり，ファイルデータとは，デジタル化された動画または静止画などから構成される映像コンテンツデータをはじめ，テキストデータ，音声データなどのコンピュータ内で扱われる情報の総称をいう。さらに，アクセスとは，例えば，接続，参照，変更など，処理の総称をいう。
【００３１】
端末装置２３５２は，センタサーバ２３５０内のグループ２３５４に割当てられた記憶領域に，ディレクトリおよびサブディレクトリを作成してファイルデータを上記ディレクトリまたはサブディレクトリに格納することができる。
【００３２】
また上記ディレクトリ，サブディレクトリおよびファイルデータにはコメントデータと呼ばれる付加情報が付属されている。このコメントデータは，端末装置２３５２により適当な情報をディレクトリまたはファイルデータなどとは別に記録させておくことが可能である。
【００３３】
上記ディレクトリ，サブディレクトリ，ファイルデータ，およびコメントデータに対して，端末装置２３５２からのアクセスの権限は，作成した所有者である端末装置２３５２ごとに設定される。なお，ディレクトリ，サブディレクトリ，およびファイルデータに対するアクセスの権限と，上記コメントデータに対するコメント権限とは別のアクセス権限として設定することも可能である。
【００３４】
さらに，ディレクトリまたはファイルデータなどをコピー，移動などをする場合，そのコピー元となるディレクトリまたはファイルデータに付属するコメントデータも一緒にコピー，移動をする（引継ぐ）のかを設定することも可能である。
【００３５】
（１．１．２  カットリスト）
またストレージサービスシステムにおいて，センタサーバ２３５０に保存された映像コンテンツデータを用いて，端末装置２３５２は，ネットワーク２３５１を介してセンタサーバ２３５０へアクセスして，広告代理店などのクライアントに提出する必須書類であるカットリストを作成することができる。
【００３６】
カットリストとは，テレビＣＭなどの広告制作最終工程において，クライアントに提出する際に成果物（テレビＣＭなどの映像コンテンツ）と付随する映像コンテンツの場面の一覧表（映像コンテンツ場面一覧）のことである。
【００３７】
さらにカットリストは，上記映像コンテンツから必要な場面（シーン）を抜き出して，デュレーション（尺），経過時間，ナレーション，画面スーパーなどの付加情報を付け加えた一覧表から構成される。
【００３８】
（１．１．３  エンコーディング）
またストレージサービスシステムにおいて，端末装置２３５２は，ネットワーク２３５１を介してセンタサーバ２３５０へアクセスすることにより，センタサーバ２３５０に保存された画像音声データなどから構成される映像コンテンツデータのフォーマットを，他のフォーマットへ変換することができる。
【００３９】
端末装置２３５２によっては，センタサーバ２３５０に保存された映像コンテンツデータのフォーマット形式に対応せず，上記映像コンテンツデータを端末装置２３５２から直接再生することができない場合がある。
【００４０】
端末装置２３５２が映像コンテンツデータのフォーマット形式に対応していない場合，対応するフォーマット形式に映像コンテンツデータのフォーマットを変換することにより，ネットワーク２３５１を介してセンタサーバ２３５０に保存された映像コンテンツデータを，端末装置２３５２から直接再生することができる。
【００４１】
（１．１．４  承認回覧）
またストレージサービスシステムでは，端末装置２３５２からの要求によりセンタサーバ２３５０に保存された映像コンテンツデータを端末装置２３５２が属するグループ２３５４内の他の端末装置２３５２へ承認回覧するサービスが提供される。
【００４２】
本明細書での承認回覧は，承認などの回覧結果を含む回覧処理のことであるが，他の端末装置２３５２に確認させる閲覧処理も含まれる。また，ファイルデータは，映像コンテンツデータを含み，動画，静止画，音声，テキスト，またはこれらの組合せから構成されるデータである。
【００４３】
（２．ストレージサービスシステムにおける各コンポーネントの構成）
次に，図１および図２を参照しながら，本実施の形態にかかるストレージサービスシステムの各コンポーネントの構成について説明する。
【００４４】
（２．１  ネットワーク２３５１）
ネットワーク２３５１は，センタサーバ２３５０と端末装置２３５２とを相互に双方向通信可能に接続するものであり，図２に示すように，本実施の形態にかかるネットワーク２３５１は，公衆回線網であるインターネット２９３３と，専用回線網である専用回線２９３６とから構成される。なお，本実施の形態では，かかる例に限定されず，有線回線網をはじめ，無線回線網であるワイヤレス回線，衛星通信回線などでも実施可能である。
【００４５】
（２．２  端末装置２３５２）
端末装置２３５２は，端末装置，広告制作端末装置，および広告スタッフ端末装置であり，主として広告業界などのスタッフが，映像コンテンツを制作するために使用する装置全体をいう。したがって，端末装置２３５２は，映像コンテンツの再生などに使用されるＶＴＲ（Ｖｉｄｅｏ  Ｔａｐｅ  Ｒｅｃｏｒｄｅｒ）や映像コンテンツの編集に使用されるノンリニア編集機などの装置も含む。
【００４６】
さらに，端末装置２３５２は，少なくとも中央処理装置と通信装置と記憶装置を備えた情報処理装置であり，一般的にはコンピュータ装置である。例えば，ラップトップ型の携帯用コンピュータ，デスクトップ型コンピュータなどを例示することができる。
【００４７】
端末装置２３５２では，センタサーバ２３５０との間のアクセスは，ブラウザなどの閲覧ソフトを利用して行われる。またセンタサーバ２３５０から提供される情報は，ブラウザなどの閲覧ソフトにより端末装置２３５２に構成されるディスプレイ装置に表示する。
【００４８】
また端末装置に関連するユーザの種類に応じて，端末装置２３５２は，グループ２３５４を構成する一般的な端末装置（一般端末装置）と一般的な端末装置の管理的役割である端末装置（管理端末装置）がある。管理端末装置は，一般端末装置の中から任意に決めることができ，複数の管理端末装置が存在可能である。本明細書では，特に記載のない場合，端末装置２３５０は，一般端末装置および管理端末装置の両方を含むこととする。
【００４９】
（２．３  センタサーバ２３５０）
センタサーバ２３５０は，センタサーバ，承認回覧センタサーバ，変換センタサーバ，および共有センタサーバであり，センタサーバ２３５０を拠点としてネットワーク２３５１を介して複数の端末装置２３５２により接続される。
【００５０】
さらに，センタサーバ２３５０は，少なくとも中央処理装置と通信装置と記憶装置を備えた情報処理装置であり，または複数の情報処理装置から構成された情報処理装置の集まりである。センタサーバ２３５０は，上記端末装置２３５２からのアクセスに対して，要求されたサービスが利用可能であるかデータベース等を検索して照会する。その照会結果，正当なアクセスであれば，上記端末装置２３５２からのアクセスに応じた，サービスの利用を許可する。
【００５１】
次に，図２に，典型的なセンタサーバ２３５０の構成を示す。図示のように，センタサーバ２３５０は，インターネット２９３３を介した端末装置２３５２のアクセスに応答する公開セグメント装置２９４１と，専用回線２９３６を介した端末装置２３５２のアクセスに応答する非公開セグメント装置２９４７と，異なるＬＡＮ（Ｌｏｃａｌ  Ａｒｅａ  Ｎｅｔｗｏｒｋ）を接続するルータ装置２９５１と，センタサーバ２３５０にアクセスする認証された正当な端末装置２３５２のアクセスの権限を管理するアクセス権限データ管理ＤＢ装置２９５２と，指定された端末装置２３５２に承認回覧を要求する承認回覧処理装置２９５５と，映像コンテンツ場面一覧を作成するカットリスト作成装置２９５３と，映像コンテンツデータのフォーマットを指定されたフォーマットへ変換する変換処理装置２９５４とを備えている。
【００５２】
さらに，図２に示すように，端末装置２３５２からファイアウォール２９３４およびルータ装置２９３５を介してセンタサーバ２３５０に接続されている。
【００５３】
（２．３．１  公開セグメント装置２９４１）
公開セグメント装置２９４１は，図２に示すように，インターネット２９３３を介した端末装置２３５２以外の不正なアクセスを排除するファイアウォール２９４０と，端末装置２３５２からのアクセスを制御する公開用アクセス制御装置２９４２と，端末装置２３５２へ様々な情報を通知する通知装置２９４５と，同一ＬＡＮ内を選択的に接続するスイッチ装置２９４３と，データを記憶する記憶領域を所持するストレージ装置２９４６と，端末装置２３５２に必要な情報を提供する公開用ＷＷＷ（Ｗｏｒｌｄ  Ｗｉｄｅ  Ｗｅｂ）装置２９４４とを備えている。
【００５４】
（２．３．１．１  公開用アクセス制御装置２９４２）
公開用アクセス制御装置２９４２は，公開セグメント２９４１に対してアクセスのある端末装置２３５２に属するユーザの認証処理などを行い，正当である場合，公開セグメント２９４１へのアクセスを許可する。
また，公開用アクセス制御装置２９４２は，上記認証処理後，公開用ＷＷＷ装置２９４４と連携して，当該端末装置２３５２によるアクセス権限データ管理ＤＢ装置２９５２およびストレージ装置２９４６に保有される公開記憶領域へのアクセスを制御する。
【００５５】
なお，通知装置２９４５およびストレージ装置２９４６は，非公開セグメント装置２９４７へアクセスする端末装置２３５２に対しても使用される。また，ストレージ装置２９４６は，ファイルデータなどを記憶することができる記憶装置である。
【００５６】
（２．３．１．２  公開用ＷＷＷ装置２９４４）
公開用ＷＷＷ装置２９４４は，公開用アクセス制御装置２９４２と連携して，インターネット２９３３および専用回線２９３６を介してアクセスする端末装置２３５２によるストレージ装置２９４６へのアクセスに係わる処理を行い，必要な情報画面を端末装置２３５２のディスプレイ装置に表示させる。
【００５７】
（２．３．２  非公開セグメント装置２９４７）
非公開セグメント装置２９４７は，図２に示すように，専用回線２９３６を介した端末装置２３５２以外の不正なアクセスを排除するファイアウォール２９３９と，端末装置２３５２からのアクセスを制御する非公開用アクセス制御装置２９４８と，同一ＬＡＮ内を選択的に接続するスイッチ装置２９４９と，端末装置２３５２に必要な情報を提供する公開用ＷＷＷ装置２９４４とを備えている。
【００５８】
（２．３．２．１  非公開用アクセス制御装置２９４８）
非公開用アクセス制御装置２９４８は，非公開セグメント２９４７に対してアクセスのある端末装置２３５２に属するユーザの認証処理などを行い，正当である場合，非公開セグメント２９４７へのアクセスを許可する。
【００５９】
また，非公開用アクセス制御装置２９４８は，上記認証処理後，非公開用ＷＷＷ装置２９５０と連携して，当該端末装置２３５２によるアクセス権限データ管理ＤＢ装置２９５２およびストレージ装置２９４６に保有される非公開記憶領域へのアクセスを制御する。
【００６０】
（２．３．２．２  非公開用ＷＷＷ装置２９５０）
非公開用ＷＷＷ装置２９５０は，非公開用アクセス制御装置２９４８と連携して，専用回線２９３６を介してアクセスする端末装置２３５２による，ストレージ装置２９４６へのアクセスに係わる処理を行い，必要な情報画面を端末装置２３５２のディスプレイ装置に表示させる。
【００６１】
（２．３．３  アクセス権限データ管理ＤＢ装置２９５２）
アクセス権限データ管理ＤＢ装置２９５２は，管理装置であり，端末装置２３５２および端末装置２３５２が属するグループ２３５４がアクセスするディレクトリ，ファイルデータ，およびコメントデータなどに対するアクセス権限を管理する。
【００６２】
さらに，アクセス権限データ管理ＤＢ装置２９５２は，ストレージサービスを利用する正当な端末装置２３５２であるかを，公開用アクセス制御装置２９４１または非公開用アクセス制御装置からの認証要求により，管理する端末装置２３５２に属するユーザの個人識別番号（ＩＤ）およびパスワード（ＰＷ）に基づき照会する。
【００６３】
上記アクセス権限は，アクセス権限データに設定されるアクセス権限情報から上記ディレクトリ，ファイルデータ，およびコメントデータなどに対するアクセス可否が判断される。
【００６４】
上記アクセス権限データは，ディレクトリおよびサブディレクトリの属性に関する情報，ファイルデータの属性に関する情報，およびコメントデータの属性に関する情報も含まれる。
【００６５】
（２．３．４  承認回覧処理装置２９５５）
次に，承認回覧処理装置２９５５は，端末装置２３５２からの要求により，グループ２３５４に属する一または二以上の端末装置２３５２に対して，予め設定された端末装置２３５２に承認回覧する回覧ルートに基づいて，動画映像コンテンツデータなどを承認回覧する。ここで，承認回覧は，承認を伴わない確認の意味での閲覧も含まれる。
【００６６】
また，承認回覧する順序を変更するなどの回覧ルート設定のアクセスはグループ２３５４に属する端末装置２３５２の管理的役割である管理端末装置２３５２のみがアクセス可能である。
【００６７】
（２．３．５  カットリスト作成装置２９５３）
カットリスト作成装置２９５３は，テレビＣＭなどの制作において映像コンテンツデータを，選択した場面から必要な画面を抜き出し，付加情報などを加えた映像コンテンツ場面一覧（カットリスト）を作成する。さらに，端末装置２３５２からのアクセスに応じて，映像コンテンツ場面一覧に構成される，画面や付加情報などの編集処理をする。
【００６８】
上記映像コンテンツ場面一覧は，いわゆる広告業界，放送業界などで映像制作における映像コンテンツデータなどの成果物と一緒に，納品や確認のために依頼したクライアント（依頼主）に対して一般的に提出されるものである。
【００６９】
（２．３．６  変換処理装置２９５４）
変換処理装置２９５４は，端末装置２３５２からのアクセスにより，指定されたストレージ装置２９６４に格納された映像コンテンツデータのフォーマットを，指定されたフォーマットに変換処理する。さらに変換処理装置２９５４に構成されるコンポーネントについて，図３を参照しながら説明する。
【００７０】
図３に示すように，変換処理装置２９５４は，フォーマット変換ＷＷＷ装置２３３０，エンコーディング処理装置２３３１，およびフォーマット変換管理ＤＢ装置２３３２から構成される。
【００７１】
（２．３．６．１  フォーマット変換ＷＷＷ装置２３３０）
フォーマット変換ＷＷＷ装置２３３０は，端末装置２３５２から指定されたストレージ装置２９６４に格納された映像コンテンツデータのフォーマット変換処理に関するアクセスを受付ける。
【００７２】
またフォーマット変換ＷＷＷ装置２３３０は，公開用ＷＷＷ装置２９４４および非公開用ＷＷＷ装置２９５０と連携して指定された映像コンテンツデータの属性情報などを取得し，端末装置２３５２から受付けたアクセスに応じた注文データを作成して，フォーマット変換管理ＤＢ装置へ注文データの登録指示などをする。
【００７３】
（２．３．６．２  フォーマット変換管理ＤＢ装置２３３２）
フォーマット変換管理ＤＢ装置２３３２は，管理装置であり，端末装置２３５２により注文を受けたフォーマット変換処理がどのように処理されたかなどを示す処理状態を記憶領域に格納して管理する。
【００７４】
さらに，図４を参照しながら，フォーマット変換管理ＤＢ装置２３３２に構成される記憶領域について説明する。
【００７５】
図４に示されるように，フォーマット変換管理ＤＢ装置２３３２は，エンコーディング処理装置２３３１がフォーマット変換処理を排他的に処理を行うための排他テーブル記憶領域２３２３，端末装置２３５２から指定されたフォーマット変換処理内容が登録される注文テーブル記憶領域２３２２，および端末装置２３５２に通知する通知情報が登録される通知記憶領域２３２１を構成する。
【００７６】
次に，図５，図６，および図７を参照しながら，排他テーブル記憶領域２３２３，注文テーブル記憶領域２３２２，および通知記憶領域２３２１の各記憶領域について説明する。
【００７７】
（２．３．６．２．１  通知記憶領域２３２１）
図５に示すように，通知記憶領域２３２１の項目は，通知する情報の種類であるメール種別２２９２と，フォーマット変換処理の開始の際に固有な番号が付けられるジョブ番号２２９３と，注文登録時の固有番号である管理番号２２９４と，プロジェクト名２２９５とからなるデータベース構造による記憶領域である。通知記憶領域２３２１に，上記各項目から構成される１または２以上の情報２２９（２２９−１，２２９−２，・・・，２２９−ｎ）が格納されて，通知装置２９４５により端末装置２３５２に送信される。なお，本実施の形態にかかる通知記憶領域２３２１の項目は，かかる例に限定されず，他の項目から構成される通知記憶領域２３２１の場合であっても実施可能である。
【００７８】
（２．３．６．２．２  排他テーブル記憶領域２３２３）
図６に示すように，排他テーブル記憶領域２３２３の項目は，フォーマット変換処理のための固有な番号が付けられるジョブ番号２３０３と，エンコーディング処理装置２３３１のＩＤであるエージェントＩＤ２３０２とからなるデータベース構造による記憶領域である。排他テーブル記憶領域２３２３に，エンコーディング処理装置２３３１により，上記各項目から構成される１または２以上の情報２３０（２３０−１，２３０−２，・・・，２３０−ｎ）が格納される。なお，本実施の形態にかかる通知記憶領域２３２１の項目は，かかる例に限定されず，他の項目から構成される排他テーブル記憶領域２３２３の場合であっても実施可能である。
【００７９】
（２．３．６．２．３  注文テーブル記憶領域２３２２）
図７に示すように，注文テーブル記憶領域２３２２の項目は，フォーマット変換処理のための固有な番号が付けられるジョブ番号２３１１と，注文登録時の固有番号である管理番号２３１２と，プロジェクト名２３１３と，注文した端末装置２３５２である依頼者２３１４と，その他２３１５からなるデータベース構造による記憶領域である。排他テーブル記憶領域２３２３に，エンコーディング処理装置２３３１により，上記各項目から構成される１または２以上の情報２３１（２３１−１，２３１−２，・・・，２３１−ｎ）が格納される。なお，本実施の形態にかかる注文テーブル記憶領域２３２２の項目は，かかる例に限定されず，他の項目から構成される通知記憶領域の場合であっても実施可能である。
【００８０】
（２．３．６．３  エンコーディング処理装置２３３１）
エンコーディング処理装置２３３１は，フォーマット変換管理ＤＢ装置に登録される端末装置２３５２により指定された注文データの処理内容に基づき，指定されたフォーマットに映像コンテンツデータをフォーマット変換処理する。
【００８１】
（２．３．７  ストレージ装置２９４６）
ストレージ装置２９４６は，記憶装置であり，ファイルデータなどを記憶することができる記憶領域を保有する。端末装置２３５２のアクセスによる要求に応じて，動画像から構成される映像コンテンツデータなどのファイルデータに対して，保存，削除，コピー，移動，または変更処理などの各処理を行う。
【００８２】
さらに，記憶領域には，インターネット２９３３および専用回線２９３６を介して端末装置２３５２によりアクセスされる公開記憶領域と，専用回線２９３６のみを介して端末装置２３５２によりアクセスされる非公開記憶領域とから構成される。
【００８３】
（２．３．８  ルータ装置２９５１）
ルータ装置２９５１は，アクセス権限データ管理ＤＢ装置２９５２，承認回覧処理装置２９５５，カットリスト作成装置２９５３，変換処理装置２９５４，ストレージ装置２９４６，公開セグメント装置２９４１，および非公開セグメント装置２９４７とをそれぞれアクセスの要求された各装置へ選択的に接続する。
【００８４】
（３．ストレージサービスシステムにおける画面構成）
次に，本実施の形態にかかるストレージサービスシステムの理解を深めるために，添付図面を参照しながら，本実施の形態にかかるストレージサービスシステムを適用した端末装置２３５２のディスプレイ装置に表示される画面構成例について説明する。
【００８５】
なお，以下の画面構成例は，非公開用ＷＷＷ装置２９５０が専用回線２９３６を介した端末装置２３５２からのアクセスに応じて，端末装置２３５２に提供する画面構成例について説明するが，公開用ＷＷＷ装置２９４４が端末装置２３５２に提供する画面についても，以下の場合とほぼ同様である。
【００８６】
また，以下の画面においては，閲覧ソフト（ブラウザ）を使用してディスプレイ装置に表示されるが，閲覧ソフトの種類に依存せず，本実施の形態にかかるストレージサービスシステムを実施することは，可能である。
【００８７】
（３．１  トップページ画面およびその関連画面）
ストレージサービス利用時のトップページ画面は，まずログイン画面が端末装置２３５２のディスプレイ装置に表示される。図８に示すように，ログイン画面は，個人識別番号であるＩＤ１７１０と，パスワードであるＰＷ１７１１と，プロジェクト名１７１２と，およびログイン１７１３とから構成される。
【００８８】
ログイン画面のＩＤ１７１０およびＰＷ１７１１に，端末装置２３５２に属するユーザの識別情報が入力されて，ログイン１７１３をマウスのクリックなどで選択することにより，センタサーバ２３５０で認証が行われて，ストレージサービスの利用が開始される。
【００８９】
次に，図９に示す画面は，端末装置２３５２の管理的役割を果たす管理端末装置２３５２がログイン後に最初に表示される「管理端末一覧管理」画面である。図９に示すように，管理端末一覧管理画面は，端末装置２３５２が属するグループ２３５４が表示されるプロジェクト部２０と，各種の設定をするプロジェクト管理２１と，パスワード変更するＰＷ２２と，ディレクトリグループ２４とから構成される。
【００９０】
「プロジェクト一覧」に表示されるプロジェクト２０は，端末装置２３５２が属するグループ２３５４の一覧が表示されており，プロジェクト２０に表示されているプロジェクト名を選択することにより，該当するグループ２３５４の図１０に示す「プロジェクトトップ」画面が表示（リンク）される。
【００９１】
「管理メニュー」に表示されるプロジェクト管理２１は，端末装置２３５２の管理をする管理端末装置２３５２が選択することができ，プロジェクト管理２１を選択すると，図１１に示すグループ２３５４に属する端末装置２３５２に関わる各種登録情報を設定する「プロジェクト管理」画面が表示（リンク）される。
【００９２】
「パスワード変更」に表示されるＰＷ２２は，ＰＷ２２が選択されることにより，端末装置２３５２の登録されているＰＷを変更するための「パスワード変更」画面が表示（リンク）されて，パスワードを変更することができる。
【００９３】
関連して，画面上部に表示される各項目グループから構成されるディレクトリグループ２４の「一覧管理」，「プロジェクトトップ」，「プロジェクト管理」，「パスワード変更」，または「ヘルプ」の各項目名を選択しても上記記載と同様に関連する画面の表示がされる。例えば，ディレクトリグループ２４内の「パスワード変更」を選択すると端末装置２３５２の登録されたＰＷを変更する「パスワード変更」画面が表示される。
【００９４】
次に，図１２に示す画面は，一般的な端末装置２３５２（一般端末装置２３５２）がログイン後に最初に表示される「一般端末一覧情報」画面である。図１２に示すように，「一般端末一覧情報」画面は，端末装置２３５２が属するグループを示すプロジェクト４０と，端末装置２３５２のＰＷを変更するパスワード変更４１と，ディレクトリグループ４２とから構成される。
【００９５】
図１２に示す「プロジェクト一覧」は，上記記載の図９と同様にプロジェクト４０を選択することにより，該当するグループ２３５４の一覧情報画面が画面表示（リンク）される。「パスワード変更」も，上記記載の図１２と同様にＰＷ４１を選択することによりパスワード変更する画面が表示される。
【００９６】
ディレクトリグループ４２は，上記記載にて説明したのとほぼ同様であるのでここでは省略する。
【００９７】
（３．２  ストレージサービスシステムの画面構成）
ここで，ストレージサービスシステムにおいて端末装置２３５２のディスプレイ装置などに表示される画面構成について説明する。なお，本実施の形態では，専用回線２９３６を介してセンタサーバ２３５０にアクセスする端末装置２３５２に構成される画面について説明するが，インターネット回線２９３３を介してセンタサーバ２３５０にアクセスする端末装置２３５２に構成される画面についてもほぼ同様の構成である。
【００９８】
（３．２．１  「プロジェクトトップ」画面およびその関連画面）
まず，図１０を参照しながら，端末装置２３５２がストレージサービスを利用するための最初のページ（入り口）である「プロジェクトトップ」画面について説明する。図示のように，「プロジェクトトップ」画面は，端末装置２３５２が属するグループ２３５４の名前であるプロジェクト名７９０と，端末装置２３５２の属するユーザのＩＤであるＩＤ７９１と，メニュー部７４９と，追加メニュー部７９５と，回線切替７９６と，ボタン７９７と，伝言表示部７８１および伝言表示部７８２と，閲覧表示部７８３と，承認回覧表示部７８４と，ディレクトリグループ７８０とから構成される。
【００９９】
メニュー部７４９は，端末装置２３５２が利用できるストレージサービスのメニューの一覧が掲載されており，各項目を選択することにより，端末装置２３５２のディスプレイ装置に，上記選択されたサービスなどの機能を利用するための画面が表示される。例えば，「ファイル一覧」項目を選択すると，端末装置２３５２がアクセス可能なディレクトリおよびファイルデータの一覧画面が表示される。追加メニュー部７９５についても，メニュー部７４９とほぼ同様であり，例えば，「カットリスト」項目を選択すると，カットリストを作成するための画面が表示される。また，未読の閲覧または承認回覧内容が存在する場合，マーク７９３またはマーク７９４が表示される。
【０１００】
伝言表示部７８１および伝言表示部７８２は，管理端末装置２３５２により設定されて，グループ２３５４に属する一般端末装置２３５２は全て「プロジェクトトップ」画面を表示させると，上記伝言表示部７８１および伝言表示部７８２に設定されたコメントなどの情報が掲載される。
【０１０１】
閲覧表示部７８３および承認回覧表示部７８４は，端末装置２３５２宛てに閲覧または承認回覧の要求があることなどの情報を表示する。閲覧内容または承認回覧内容を参照する場合は，ボタン７９８またはボタン７９９を選択することにより「閲覧一覧」画面および「承認回覧一覧」画面が表示されて，内容を確認することができる。なお，「閲覧一覧」画面および「承認回覧一覧」画面については後程詳細に説明する。
【０１０２】
（３．２．２  「ファイル一覧」画面およびその関連画面）
次に，図１３を参照しながら，図１０に示す「プロジェクトトップ」画面からリンクされる「ファイル一覧」画面について説明する。図１３に示すように，「ファイル一覧」画面は，プロジェクト名７４７と，ＩＤ７４８と，各種項目からなるメニュー部７４９と，端末装置２３５２が割当てられた記憶領域内でアクセス可能なディレクトリをツリー構造で示すツリー表示部７５０と，指定されたディレクトリの属性を示すディレクトリ属性表示部７５１と，上記指定されたディレクトリ内のサブディレクトリ属性表示部７５２と，上記指定されたディレクトリ内に存在するファイルデータの属性を示すファイル属性表示部７５３と，複数のボタンから構成されるボタングループ７５４と，「アクセス権限」画面を表示するアクセス権限ボタン７７１と，ディレクトリの所有者変更画面を表示する所有者変更ボタン７７２と，該当のディレクトリおよびファイルデータを選択するためのチェックボックス７６９とから構成される。
【０１０３】
ツリー表示部７５０では，ストレージ装置２９４６の記憶領域（本実施の形態では非公開記憶領域）内に規定されたディレクトリの一覧構成を示す。当該ディレクトリ一覧構成の表示は，例えば，アクセス権限である，読み出し権限が与えられていない端末装置２３５２には，当該権限が与えられていないディレクトリの属性情報については表示されず，当該権限が与えられたディレクトリの属性情報の表示のみが示される。
【０１０４】
このとき，アクセス権限データ管理ＤＢ装置２９５２が管理するアクセス権限データに基づき，端末装置２３５２のアクセスに対するユーザの読み出し権限の有無を，端末装置２３５２のＩＤから判断する。
【０１０５】
ツリー表示部７５０は，端末装置２３５２により指定されたディレクトリ（カレントディレクトリ）を，網掛領域で表示する。図１３に示すと，指定されたディレクトリは，ディレクトリ名が“社内文書”のディレクトリである。
【０１０６】
また，ディレクトリ属性表示部７５１内には，上記指定されたディレクトリに関する「ディスク総使用量」，「アクセス権限」，「所有者」および「作成者」が表示される。
【０１０７】
「ディスク使用量」は，プロジェクト内でのディスクの総使用量と最大容量を表す。
【０１０８】
「アクセス権限」では，表示中の指定されたディレクトリ（カレントディレクトリ）に対してアクセスしている端末装置２３５２のアクセス権限が表示される。
【０１０９】
また，ディレクトリ属性表示部７５２には，指定されたディレクトリ内に規定されたサブディレクトリの属性情報であるディレクトリ名，コメントデータ，サブディレクトリのアクセス権限，作成日付，ディレクトリ所有者，ディレクトリ作成者の各情報が含まれる。
【０１１０】
また，ファイル属性表示部７５３には，指定されたサブディレクトリに格納されているファイルデータの属性情報であるファイル名，当該ファイルデータに対するコメントデータ，ファイルサイズ，作成日付，ファイル所有者，ファイル作成者の各情報が含まれる。
【０１１１】
また，ディレクトリ属性表示部７５２およびファイル属性表示部７５３内のコメントデータに対応するコメント参照マーク７６８は，コメントデータの内容が参照可能であることを表す。コメント参照マーク７６８をマウスなどでクリックして選択することで，当該コメントデータが別画面に表示される。
【０１１２】
さらに，ディレクトリ属性表示部７５２およびファイル属性表示部７５３内のコメントデータに対応するコメント更新マーク７７０は，コメントデータの内容を参照および更新可能であることを表す。コメント更新マーク７７０をマウスなどでクリックして選択することで，当該コメントデータが別画面に表示される。なお，他の画面に表示されるコメント参照マーク７６８およびコメント更新マーク７７０についても同様の構成である。
【０１１３】
アクセス権限データに構成されるアクセス権限のコメント変更権限により上記コメント参照マーク７６８またはコメント更新マーク７７０の管理をしている。コメントデータに関する画面については後ほど詳細に説明する。
【０１１４】
ボタングループ７５４は，検索ボタン７５５，変更ボタン７５６，コピーボタン７５７，移動ボタン７５８，削除ボタン７５９，インターネットコピーボタン７６０，新規作成ボタン７６１，アップロードボタン７６２，閲覧要求ボタン７６３，承認回覧要求ボタン７６４，アップロード＆承認要求ボタン７６５とから構成される。
【０１１５】
ボタングループ７５４に構成される各ボタンは，端末装置２５３２により選択されることにより，各ボタンに備えられた機能にかかる画面が非公開用ＷＷＷ装置２９５０から端末装置２５３２に提供される。
【０１１６】
例えば，検索ボタン７５５が，ユーザがマウスなどでクリックすることで端末装置２５３２により選択されると，指定する検索条件に適合したディレクトリおよびファイルデータを表示する機能画面が非公開用ＷＷＷ装置２９５０によって提供される。上記の各ボタンについての機能画面は後程，詳細に説明する。
【０１１７】
（３．３  「アクセス権限」画面）
次に，図１４を参照しながら，端末装置２３５２により指定されたディレクトリに対するアクセス権限について表示する「アクセス権限」画面について説明する。図１４に示す「アクセス権限」画面は，図１３の「ファイル一覧」画面に示すアクセス権限ボタン７７１が選択されることにより表示される。
【０１１８】
「アクセス権限」画面は，指定されたディレクトリに対して，アクセス権限の与えられた端末装置２３５２およびグループ２３５４の一覧が示されている。図１４に示すように，「アクセス権限」画面は，端末装置２３５２に割当てられた記憶領域内に規定されたディレクトリをツリー構造で示すツリー表示部７５０と，メニュー部７４９と，ディレクトリ属性表示部７５１と，ディレクトリグループ７８０と，ボタングループ７５４と，現在アクセス権限が与えらた一覧を示すアクセス一覧２４０と，から構成される。
【０１１９】
ツリー表示部７５０と，メニュー部７４９と，ディレクトリ属性表示部７５１と，ディレクトリグループ７８０と，ボタングループ７５４は上記記載の説明の通りであるが，アクセス一覧２４０は，アクセス権限が与えられた端末装置２３５２の一覧およびグループ２３５４の一覧を表示する。
【０１２０】
アクセス権限が与えられたグループ２３５４の一覧には，アクセス権限が与えられているグループ２３５４を特定する「グループ名」，当該グループ２３５４が属する「会社名」，「部門」，「メールアドレス」および「アクセス権限」の内容の情報が示される。
【０１２１】
さらにアクセス権限が与えられた端末装置２３５２の一覧には，当該ディレクトリについて，アクセス権限が与えられている端末装置２３５２に属するユーザの「ＩＤ」，「ユーザ名」，当該ユーザが属する「会社名」，「部門」，「メールアドレス」および「アクセス権限」の内容の情報が示される。
【０１２２】
（３．３．１  アクセス権限２３７０について）
ここで，図１５を参照しながら，「アクセス権限」について説明をする。図１５に示すように，アクセス権限の内容には，権限２３７１，権限２３７２，権限２３７３，権限２３７４，および権限２３７５と，５種類の権限からなるアクセス権限２３７０が規定されている。
【０１２３】
権限２３７１は，読み出し権限（ｒｅａｄ権限）であり，該当ディレクトリの表示を受ける（参照する）権限である。また，権限２３７２は，書き込み権限（ｗｒｉｔｅ権限）であり，該当ディレクトリの名称変更やサブディレクトリの作成，ファイルデータの新規作成などを行う権限である。
【０１２４】
権限２３７３は，ファイル書き込み権限（ディレクトリ内のファイルのｗｒｉｔｅ権限）であり，該当ディレクトリ内のファイルデータについて変更などを行う権限である。
【０１２５】
また，権限２３７４は，コメント変更権限であり，該当ディレクトリおよび該当ディレクトリ内のファイルデータに付属するコメントデータの変更を行う権限であり，権限２３７５は，アクセス権変更権限であり，該当ディレクトリに与えられているアクセス権限の内容を変更する権限である。
【０１２６】
（３．３．２  「アクセス権限」グループ２３５４追加画面）
次に，図１６を参照しながら，指定ディレクトリについてアクセス権限をグループ単位に追加する「アクセス権限」グループ追加画面について説明する。「アクセス権限」グループ追加画面は，図１４に示すボタン２４１をマウスのクリックなどで選択することにより画面表示されて，ツリー表示部７５０と，メニュー部７４９と，ディレクトリ属性表示部７５１と，ディレクトリグループ７８０と，ボタングループ７５４と，設定グループ部１１０と，追加グループ部１１１とから構成される。
【０１２７】
設定グループ部１１０は，ツリー表示部７５０に表示される指定されたディレクトリ（カレントディレクトリ）に対してアクセス権限が設定されているグループ２３５４の一覧を示す。図１６によれば，アクセス権限が設定されているグループ２３５４は，「グループ名」が“管理者グループ”であり，設定されているアクセス権限は，「アクセス権限」の内容により，ｒｅａｄ権限，ｗｒｉｔｅ権限，ディレクトリ内のファイルのｗｒｉｔｅ権限，コメント情報変更権限が設定されているのがわかる。
【０１２８】
追加グループ部１１１は，指定されたディレクトリに対して，追加するグループに，どのアクセス権限を与えるか選択して設定する追加するグループ２３５４のアクセス権限情報を示す。図１６に示すように，「グループ名称」から追加するグループ２３５４を選択して，「アクセス権限」から設定したいアクセス権限をチェックボックス１１４により選択する。図１６では，「アクセス権限」のｒｅａｄ権限およびディレクトリ内ファイルのコメント情報変更権限がチェックボックス１１４により選択されているのがわかる。
【０１２９】
なお，本実施の形態では，「アクセス権限」からチェックボックス１１４により設定したいアクセス権限を選択したが，本実施の形態ではかかる例に限定されず，設定したいアクセス権限を選択することが可能である。
【０１３０】
追加グループ部１１１に必要項目が入力されて，ボタン１１２をマウスのクリックなどで選択すると，指定されたディレクトリに対して，新たにグループ２３５４にアクセス権限が設定される。また，ボタン１１３が選択されると，グループ２３５４のアクセス権限が追加されずに取消される。
【０１３１】
（３．３．３  「アクセス権限」端末装置２３５２追加画面）
次に，図１７を参照しながら，指定ディレクトリについてアクセス権限を端末装置２３５２単位に追加する「アクセス権限」端末装置２３５２追加画面について説明する。「アクセス権限」端末装置２３５２追加画面は，図１４に示すボタン２４２をマウスのクリックなどで選択することにより画面表示されて，ツリー表示部７５０と，メニュー部７４９と，ディレクトリ属性表示部７５１と，ディレクトリグループ７８０と，ボタングループ７５４と，設定端末部２１０と，追加端末部２１１とから構成される。
【０１３２】
設定端末部２１０は，ツリー表示部７５０に表示される指定されたディレクトリ（カレントディレクトリ）に対してアクセス権限が設定されている端末装置２３５２の一覧を示す。例として，図１７に示されるように，アクセス権限が設定されている端末装置２３５２は，「ＩＤ」が“ｔｏｍｏｋｏ”で，「ユーザ名」が“山田  友子”であるユーザが属する端末装置２３５２であり，設定されているアクセス権限は，「アクセス権限」の内容によりｒｅａｄ権限，ｗｒｉｔｅ権限が設定されている。
【０１３３】
追加グループ部２１１は，指定されたディレクトリに対して，追加する端末装置２３５２に，どのアクセス権限を与えるか選択して設定する追加する端末装置２３５２のアクセス権限情報を示す。図１７に示すように，「ＩＤ／ユーザ名」から追加する端末装置２３５２を選択して，「アクセス権限」から設定したいアクセス権限をチェックボックス１１４により選択する。図１７では，「アクセス権限」のｒｅａｄ権限，ｗｒｉｔｅ権限，ディレクトリ内ファイルのｗｒｉｔｅ権限，およびディレクトリ内ファイルのコメント情報変更権限がチェックボックス１１４により選択されているのがわかる。
【０１３４】
なお，本実施の形態では，「アクセス権限」からチェックボックス１１４により設定したいアクセス権限を選択したが，本実施の形態ではかかる例に限定されず，設定したいアクセス権限を選択することが可能である。
【０１３５】
追加端末部２１１に必要項目が入力されて，ボタン２１２をマウスのクリックなどで選択されると，指定されたディレクトリに対して，新たに端末装置２３５２にアクセス権限が設定される。また，ボタン１１３が選択されると，新たに端末装置２３５２のアクセス権限が追加されずに取消される。
【０１３６】
（３．３．４  「アクセス権限」変更画面）
図１４に示す，指定されたディレクトリに対するアクセス一覧２４０に表示された「アクセスグループ名」のグループ名２４３または「アクセスユーザ名」のユーザ名２４４が選択されると，次の図１８に示す，選択されたグループ２３５４または端末装置２３５２のアクセス権限を変更する「アクセス権限」変更画面が表示される。
【０１３７】
図１８に示すように，「アクセス権限」変更画面は，メニュー部７４９と，ツリー表示部７５０と，ボタングループ７５４と，選択されたグループ２３５４のアクセス権限を変更するグループ権限変更部６０と，選択された端末装置２３５２のアクセス権限を変更する端末装置権限変更部６１と，権限変更処理を実行するボタン６２，グループ権限変更部６０および端末装置権限変更部６１の設定された変更内容を消去する削除ボタン６３と，権限権限変更処理を実行しないボタン６４とから構成される。
【０１３８】
グループ権限変更部６０または端末装置権限変更部６１には，選択されたグループ２３５４の名前を表示する「アクセスグループ名」と，権限の変更内容を設定する「アクセス権限情報」とが表示される。
【０１３９】
グループ権限変更部６０の「アクセス権限情報」の各種アクセス権限と付随して表示されるチェックボックス７６９をマウスのクリックなどで選択することにより，選択された権限が付与されるよう権限変更される。反対に選択されない権限は付与されない。例として，図１８では，ｒｅａｄ権限のチェックボックス７６９が選択されていないのがわかる。
【０１４０】
また，図１８が示すのは，図１４のグループ名２４３が選択された場合であり，図１４に示すユーザ名２４４が選択された場合は，端末装置権限変更部６１に，アクセス権限を変更する「アクセス権限情報」が表示される。
【０１４１】
（３．４．５  「ディレクトリ所有者」変更画面）
図１３に示す，所有者変更ボタン７７２が選択されると，次の図１９に示す，指定されたディレクトリ（カレントディレクトリ）の所有者を変更する「ディレクトリ所有者」変更画面が表示される。
【０１４２】
図１９に示すように，「ディレクトリ所有者」変更画面は，メニュー部７４９と，ツリー表示部７５０と，ディレクトリ属性表示部７５１と，ボタングループ７５４と，ディレクトリ所有者の変更内容を設定する所有者設定部４５０と，所有者変更処理を実行する変更ボタン４５１，所有者変更処理を実行しない終了ボタン４５２とから構成される。
【０１４３】
（３．４．６「ファイル一覧」画面からの各機能画面）
次に，図１３に示す「ファイル一覧」画面のボタングループ７５４に構成される各機能ボタンがマウスでクリックして選択されることにより，端末装置２３５２のディスプレイ装置に表示される機能画面について説明する。
【０１４４】
（３．４．７  「検索」画面）
図１３に示す，検索ボタン７５５が選択されると，次に図２０に示すように，端末装置２３５２が指定する検索条件を設定する「検索」画面が表示される。「検索」画面に指定条件を設定することにより検索目的のディレクトリおよびファイルデータが検索される機能を利用できる。
【０１４５】
図２０に示すように，「検索」画面は，メニュー部７４９と，ツリー表示部７５０と，ボタングループ７５４と，検索目的のディレクトリおよびファイルデータの条件を指定する検索条件部６０１と，検索処理を実行するボタン６０２，検索処理を実行しない終了ボタン６０３とから構成される。
【０１４６】
（３．４．８  「変更」画面）
図１３に示す，端末装置２３５２からマウスのクリックなどで名前の変更したいディレクトリまたはファイルデータをチェックボックス７６９に選択後，変更ボタン７５６が選択されると，次に図２１に示す，選択されたディレクトリ名またはファイルデータ名を名前変更する「変更」画面が表示される。「変更」画面に変更後の新たな名前を設定することによりディレクトリ名およびファイルデータ名が変更される機能を利用できる。
【０１４７】
図２１に示すように，「変更」画面は，メニュー部７４９と，ツリー表示部７５０と，ボタングループ７５４と，新しいディレクトリ名またはファイルデータ名を設定する名前変更部５１０と，名前の変更処理を実行する実行ボタン５１１，変更処理を実行しない終了ボタン５１２とから構成される。
【０１４８】
名前変更部５１０には，「変更前」のディレクトリ名またはファイルデータ名と，「変更後」のディレクトリ名またはファイルデータ名を設定する入力部とが表示される。本実施の形態では，変更前のディレクトリ名が“プロジェクト管理”であるディレクトリが選択されている。
【０１４９】
（３．４．９  「コピー」画面）
図１３に示す，端末装置２３５２からマウスのクリックなどでコピーしたいディレクトリまたはファイルデータをチェックボックス７６９に選択後，コピーボタン７５７が選択されると，次に図２２に示す，選択されたディレクトリまたはファイルデータをコピーする「コピー」画面が表示される。「コピー」画面にコピー先のディレクトリを指定することによりディレクトリまたはファイルデータをコピーする機能を利用できる。
【０１５０】
図２２に示すように，「コピー」画面は，メニュー部７４９と，ツリー表示部７５０と，ボタングループ７５４と，コピー元である選択されたディレクトリまたはファイルデータを表示するコピー元表示部３９０と，選択されたディレクトリまたはファイルデータに付属するコメントデータについて設定するコメント設定部３９１と，選択されたディレクトリまたはファイルデータのコピー先を指定するコピー先表示部３９２と，コピー処理を実行するボタン３９４と，コピー処理を実行しないボタン３９５とから構成される。
【０１５１】
コメント設定部３９１は，「コメント」欄に記載された“コメントを引き継ぐ”または“コメントのクリア”のどちらか一方が，チェック３９３により設定されるようになっている。“コメントを引き継ぐ”は，選択されたディレクトリまたはファイルデータに付属するコメントデータも，選択されたディレクトリまたはファイルデータと付属してコメントデータがコピーされる。“コメントのクリア”は，選択されたディレクトリまたはファイルデータに付属するコメントデータの情報が消去されてから，選択されたディレクトリまたはファイルデータと付属してコメントデータがコピーされる。例として，図２２に示すように，本実施の形態ではチェック３９３は「コメントを引き継ぐ」に選択されている。
【０１５２】
なお，コメントデータに設定する，上記記載のコメント設定部３９１の設定情報は，コピー処理毎に設定を行っているが，本実施の形態では，かかる例に限定されず，端末装置２３５２についてのアクセス権限データに，予めコメントデータの設定情報を登録しておくこともできる。
【０１５３】
コピー先表示部３９２には，コピー先を指定するディレクトリの一覧が表示されて，チェック３９３に選択されたディレクトリに，選択されたディレクトリまたはファイルデータがコピーされる。
【０１５４】
（３．４．１０  「移動」画面）
図１３に示す，端末装置２３５２からマウスのクリックなどで移動したいディレクトリまたはファイルデータをチェックボックス７６９に選択後，移動ボタン７５８が選択されると，選択されたディレクトリまたはファイルデータを移動する「移動」画面が表示される（図示せず）。「移動」画面に移動先のディレクトリを指定することによりディレクトリまたはファイルデータを移動する機能を利用できる。
【０１５５】
なお，ディレクトリまたはファイルデータのコピーは，コピー元であるディレクトリまたはファイルデータはそのまま削除されずに存在するが，ディレクトリまたはファイルデータの移動は，移動元であるディレクトリまたはファイルデータは削除されて存在せず，移動先のディレクトリまたはファイルデータのみ存在する点について相違する。また，「コピー」画面および「移動」画面はほぼ同様であることから，ここでは説明を省略する。
【０１５６】
（３．４．１１  「削除」画面）
図１３に示す，端末装置２３５２からマウスのクリックなどで削除したいディレクトリまたはファイルデータをチェックボックス７６９に選択後，削除ボタン７５９が選択されると，次に図２３に示す，選択されたディレクトリまたはファイルデータを削除する「削除」画面が表示される。「削除」画面に表示されたディレクトリまたはファイルデータの削除処理実行を行うことによりディレクトリ名およびファイルデータ名が削除される機能を利用できる。
【０１５７】
図２３に示すように，「削除」画面は，メニュー部７４９と，ツリー表示部７５０と，ボタングループ７５４と，削除するディレクトリまたはファイルデータが表示される削除部６２２と，削除処理を実行するボタン６２３，削除処理を実行しないボタン６２４とから構成される。
【０１５８】
削除部６２２には，削除対象であるディレクトリまたはファイルデータの「ファイル名」，付属するコメントデータである「コメント」，「容量」，「日付」，「所有者」，「作成者」が表示される。
【０１５９】
削除処理が実行されると，削除対象であったファイルデータまたはディレクトリ，さらにファイルデータまたはディレクトリに付属するコメントデータも削除される。
【０１６０】
（３．４．１２  「インターネットへコピー」画面）
また，図１３に示す，端末装置２３５２からマウスのクリックなどでインターネットへコピーしたいディレクトリまたはファイルデータをチェックボックス７６９に選択後，インターネットへコピーボタン７６０が選択されると，次に図２４に示す，選択されたディレクトリまたはファイルデータをインターネットへコピーする「インターネットへコピー」画面が表示される。「インターネットへコピー」画面にコピー先のディレクトリを指定することによりディレクトリまたはファイルデータをインターネットへコピーする機能を利用できる。
【０１６１】
インターネットへコピーは，端末装置２５３２が専用回線２９３６を介してストレージ装置２９４６の非公開記憶領域にアクセスしている場合に，インターネット２９３３を介してアクセス可能なストレージ装置２９４６の公開記憶領域へディレクトリまたはファイルデータをコピーすることである。
【０１６２】
図２４に示すように，「インターネットへコピー」画面は，メニュー部７４９と，ツリー表示部７５０と，ボタングループ７５４と，コピー元である選択されたディレクトリまたはファイルデータを表示するコピー元表示部３６０と，選択されたディレクトリまたはファイルデータに付属するコメントデータについて設定するコメント設定部３６１と，選択されたディレクトリまたはファイルデータのコピー先を指定するコピー先表示部３６２と，コピー処理を実行する実行ボタン３６３と，コピー処理を実行しない終了ボタン３６４とから構成される。なお，「インターネットへコピー」画面は，本実施の形態にかかる「コピー」画面とほぼ同様の構成を有するので，詳細説明は省略する。
【０１６３】
（３．４．１３  「新規作成」画面）
また，図１３に示す，新規作成ボタン７６１が選択されると，次に図２５に示すように，端末装置２３５２が指定するディレクトリにディレクトリを作成する「新規作成」画面が表示される。「新規作成」画面に必要項目が設定されることにより新規にディレクトリが作成される機能を利用できる。
【０１６４】
図２５に示すように，「新規作成」画面は，メニュー部７４９と，ツリー表示部７５０と，ボタングループ７５４と，新規ディレクトリのディレクトリ名を設定するディレクトリ設定部４８０と，新規作成処理を実行する実行ボタン４８１，新規作成処理を実行しない終了ボタン４８２とから構成される。
【０１６５】
（３．４．１４  「アップロード」画面）
また，図１３に示す，ツリー表示部７５０の網掛領域に表示される指定されたディレクトリにおいて，アップロードボタン７６２が選択されると，次に図２６に示す，端末装置２３５２に構成される記憶装置内に格納される選択されたファイルデータを指定されたディレクトリ（カレントディレクトリ）に，アップロード（格納）する「アップロード」画面が表示される。「アップロード」画面からアップロードするファイルデータを選択することにより，指定されたディレクトリに格納する機能を利用できる。
【０１６６】
図２６に示すように，「アップロード」画面は，指定されたディレクトリ（カレントディレクトリ）に格納するファイルデータを選択する選択部３３０と，格納する上記ファイルデータに付属するコメントデータにコメント情報を設定する情報設定部３３１と，格納処理を実行する実行ボタン３３２と，格納処理を実行しない終了ボタン３３３とから構成される。
【０１６７】
選択部３３０には，ボタン３３４を選択して格納するファイルデータを指定すると，格納する「ファイル名」が表示される。図２６に示すように，指定された「ファイル名」は“ｓａｍｐｌｅ．ｐｐｔ”であるのがわかる。
【０１６８】
（３．４．１５  「閲覧要求」起票画面）
また，図１３に示す，ファイル属性表示部７５３の中から閲覧要求するファイルデータをチェックボックス７６９に選択後，閲覧要求ボタン７６３が選択されると，次に図２７に示す，端末装置２３５２により選択されたファイルデータを指定された端末装置２３５２に，閲覧要求する「閲覧要求」起票画面が表示される。「閲覧要求」起票画面から閲覧してもらう端末装置２３５２に属するユーザを選択することにより，選択されたファイルデータを指定された端末装置２３５２へ閲覧要求する機能を利用できる。
【０１６９】
図２７に示すように，「閲覧要求」画面は，メニュー部７４９と，ツリー表示部７５０と，ボタングループ７５４と，指定されたファイルデータを表示する表示部５７０と，閲覧してもらう端末装置２３５２を選択する閲覧要求選択部５７１と，閲覧先の端末装置２３５２に対して送信されるコメント情報を設定するコメント設定部５７２と，閲覧要求処理を実行するボタン５７３と，閲覧要求処理を実行しないボタン５７４とから構成される。
【０１７０】
閲覧要求選択部５７１には，「ユーザ一覧」および閲覧してもらう端末装置２３５２の一覧である「閲覧先ユーザ」が表示される。「ユーザ一覧」に表示された端末装置２３５２に属するユーザを，マウスのクリックなどで選択して，ボタン５７５を選択することによって「閲覧先ユーザ」へ閲覧要求先の端末装置２３５２として登録を行う。また登録された「閲覧先ユーザ」の閲覧要求先の端末装置２３５２の閲覧要求を取消す場合は，閲覧要求先の端末装置２３５２を選択して，ボタン５７６を選択することにより取消すことができる。
【０１７１】
コメント設定部５７２は，閲覧要求の起票を行う端末装置２３５２により，閲覧要求先の端末装置２３５２に対して閲覧コメントデータを設定するができる。設定された閲覧コメントデータは，閲覧要求先の端末装置２３５２から確認することができる。
【０１７２】
閲覧要求処理を実行するボタン５７３により，閲覧要求先の端末装置２３５２に表示される上記記載で説明した「ファイル一覧」画面，または「閲覧一覧」画面などに閲覧要求の旨の表示がされる。さらに，承認回覧要求の旨の情報がメールで端末装置２３５２へ送信される。なお，「閲覧一覧」画面については後述する。
【０１７３】
（３．４．１５．１  「閲覧要求返信」画面）
さらに，図２８を参照しながら，閲覧要求先の端末装置２３５２が閲覧要求のファイルデータの閲覧終了後，閲覧要求元である端末装置２３５２へ閲覧コメントデータの返信をする「閲覧要求返信」画面について説明する。
【０１７４】
図２８に示すように，「閲覧要求返信」画面は，閲覧要求元からの閲覧コメントデータを履歴表示する要求元コメント部１７６０と，閲覧要求先からの閲覧コメントデータの履歴表示する要求先コメント部１７６１と，閲覧要求先からの閲覧コメントデータを設定するコメント設定部１７６２と，閲覧要求元へ返信処理を実行するボタン１７６３と，閲覧要求元へ返信処理の実行しないボタン１７６４とから構成される。
【０１７５】
要求元コメント部１７６０および要求先コメント部１７６１は，同一の閲覧コメントデータ内で，要求元および要求先からの返信処理時に発生した閲覧コメントデータの履歴を表示することができる。
【０１７６】
（３．４．１５．２  「閲覧要求確認」画面）
また，閲覧コメントデータの内容を確認する「閲覧要求確認」画面は，図２９に示すように，閲覧要求元からの閲覧コメントデータを履歴表示する要求元コメント部１７６０と，閲覧要求先からの閲覧コメントデータの履歴表示する要求先コメント部１７６１と確認画面を終了するボタン１７６５とから構成される。
【０１７７】
要求元コメント部１７６０および要求先コメント部１７６１は，同一の閲覧コメントデータ内で，要求元および要求先からの返信処理時に発生した閲覧コメントデータの履歴を表示することができる。
【０１７８】
（３．４．１６  「承認回覧要求」起票画面）
また，図１３に示す，ファイル属性表示部７５３の中から閲覧要求するファイルデータをチェックボックス７６９に選択後，承認回覧要求ボタン７６４が選択されると，次に図３０に示す，選択されたファイルデータを回覧ルートに指定された端末装置２３５２の順に，承認回覧要求する「承認回覧要求」起票画面が表示される。「承認回覧要求」起票画面から承認回覧してもらう回覧ルートを選択することにより，選択されたファイルデータを回覧ルートに予め設定された端末装置２３５２の順に閲覧要求する機能を利用できる。
【０１７９】
図３０に示すように，「承認回覧要求」起票画面は，回覧ルートを選択する回覧選択部６５０と，承認回覧処理を実行するボタン６５１と，承認回覧要求処理を実行しないボタン６５２とから構成される。
【０１８０】
また，回覧選択部６５０は，回覧ルート確認ボタン６５３と，選択された回覧ルートを表示する回覧ルート表示６５４とから構成される。
【０１８１】
回覧ルート確認ボタン６５３が，端末装置２３５２からマウスのクリックなどで選択されることにより，「回覧ルート選択」に選択された回覧ルートの端末装置２３５２の承認回覧される順番を確認する画面が表示される。
【０１８２】
図３０に示すように，本実施の形態で選択された回覧ルートは，回覧ルート表示６５４から“回覧ルート１”であることがわかる。したがって，回覧ルート確認ボタン６５３が選択されることにより，“回覧ルート１”の端末装置２３５２の承認回覧される順番を確認する画面が表示される。
【０１８３】
回覧ルート表示６５４は，選択された回覧ルートを表示するが，別の回覧ルートに切替える場合は，図３０に示す回覧ルート表示６５４をマウスのクリックなどで選択することにより，別の回覧ルートに切替えることができる。
【０１８４】
承認回覧要求処理を実行するボタン６５１により，回覧ルートに設定された承認回覧要求先の端末装置２３５２に，承認回覧要求の旨の表示が，上記記載で説明した「ファイル一覧」画面，または「承認回覧一覧」画面などに表示される。さらに，承認回覧要求の旨の情報がメールで端末装置２３５２へ送信される。なお，「承認回覧一覧」画面および「回覧ルート設定」画面については後述する。
【０１８５】
（３．４．１６．１  「承認回覧要求結果」画面）
さらに，図３１を参照しながら，回覧ルートに設定された承認回覧要求先の端末装置２３５２が，選択されたファイルデータの確認終了後，回覧ルートに設定された次の順番である端末装置２３５２へ回覧させる「承認回覧要求結果」画面について説明する。
【０１８６】
図３１に示すように，「承認回覧要求結果」画面は，回覧ルートを示す回覧ルート部１９７０と，承認回覧要求起票時，および既に回覧された端末装置２３５２の承認回覧コメントデータを履歴表示する前回覧コメント部１９７１と，既に回覧された端末装置２３５２に対して承認回覧コメントデータを設定する前回覧コメント設定部１９７２と，承認回覧する次の順番の端末装置２３５２に対して承認回覧コメントデータを設定する次回覧コメント部１９７３と，承認処理を実行する承認ボタン１９７４と，拒否処理を実行する拒否ボタン１９７５と，承認処理および拒否処理を実行しないで画面表示を終了する終了ボタン１９７６とから構成される。
【０１８７】
前回覧コメント設定部１９７２に設定された承認回覧コメントデータは，承認処理または拒否処理により，既に回覧された端末装置２３５２に上記承認処理または拒否処理時に設定された承認コメントデータの内容がメールで送信される。
【０１８８】
次回覧コメント設定部１９７２に設定された承認回覧コメントデータは，承認処理または拒否処理により，前回覧コメント部１９７１に追加更新される。さらに，回覧ルートに設定された次の順番である端末装置２３５２に対して承認コメントデータの前回覧コメント設定部１９７２に次回覧コメント設定部１９７２に設定された承認回覧コメントデータの内容および承認回覧要求の旨の内容がメールで送信される。
【０１８９】
ここでは，前回覧コメント部１９７１は履歴表示する場合を例にあげて説明したが，本実施の形態では，かかる例に限定されず，前回覧コメント部１９７１は，直前に回覧された端末装置２３５２に，設定される承認回覧コメントデータの内容のみを表示することもできる。
【０１９０】
要求元コメント部１７６０および要求先コメント部１７６１は，同一の閲覧コメントデータ内で，要求元および要求先からの返信処理時に発生した閲覧コメントデータの履歴を表示することができる。
【０１９１】
（３．４．１７  「アップロード＆承認回覧要求」画面）
また，図１３に示す，アップロード＆承認回覧要求ボタン７６５が選択されると，図３０に示した「承認回覧要求」起票画面とほぼ同じ構成である「アップロード＆承認回覧要求」選択画面（図示せず）が画面表示されて，「アップロード＆承認回覧要求」選択画面に表示される，回覧ルートが選択されると，次の図３２に示す，「アップロード＆承認回覧要求」起票画面が表示される。「アップロード＆承認回覧要求」起票画面から承認回覧要求するファイルデータを端末装置２３５２の記憶装置内に格納されるファイルデータから選択して，回覧ルートに予め設定された端末装置２３５２の順に閲覧要求する機能を利用できる。
【０１９２】
「承認回覧要求」起票画面は，センタサーバ２３５０に格納されたファイルデータから選択して承認回覧する画面であり，それに対し「アップロード＆承認回覧要求」起票画面は，端末装置２３５２の記憶装置内に格納されるファイルデータから選択して承認回覧する画面である。
【０１９３】
図３２に示すように，「アップロード＆承認回覧要求」起票画面は，承認回覧するファイルデータを選択する回覧選択部６６０と，起票する端末装置２３５２に属するユーザを表示する起票者表示６６１と，回覧ルートを表示する回覧表示部６６２と，コメントを設定するコメント設定部６６３と，承認回覧処理を実行するボタン６５１と，承認回覧要求処理を実行しないボタン６５２とから構成される。
【０１９４】
回覧選択部６６０は，承認回覧するファイルデータを，参照ボタン６６４をマウスのクリックなどの選択により，端末装置２３５２の記憶装置内に格納されるファイルデータから選択して，ファイルデータ名の表示を行う。
【０１９５】
ボタン６５１により，承認回覧処理が実行されると，選択されたファイルデータは，ネットワーク２３５１を介してセンタサーバ２３５０へ指定のディレクトリに格納されて，上記記載にて説明した「承認回覧要求」起票画面と同様に，回覧ルートに設定された承認回覧要求先の端末装置２３５２に，承認回覧要求の旨の表示が，上記記載で説明した「ファイル一覧」画面，または「承認回覧一覧」画面などに表示される。さらに，承認回覧要求の旨の情報がメールで端末装置２３５２へ送信される。
【０１９６】
（３．４．１７．１  「アップロード＆承認回覧要求承認」画面）
また，回覧ルートに設定された承認回覧要求先の端末装置２３５２が，選択されたファイルデータの確認終了後，回覧ルートに設定された次の順番である端末装置２３５２へ回覧させる「アップロード＆承認回覧要求承認」画面は，上記記載にて説明した「承認回覧要求結果」画面とほぼ同一の構成を有するので，詳細説明は省略する。
【０１９７】
（３．４．１８  「閲覧一覧」画面）
次に，図３３を参照しながら，図１０に示す「プロジェクトトップ」画面からリンクされる「閲覧一覧」画面について説明する。「閲覧一覧」画面は，グループ２３５４に属する端末装置２３５２が閲覧要求した起票データおよび閲覧要求がある受信データの一覧を端末装置２３５２のディスプレイ装置に表示する画面である。
【０１９８】
図３３に示すように，「閲覧一覧」画面は，端末装置２３５２に閲覧要求がある旨の受信データ一覧である受信一覧部１７２０と，端末装置２３５２から閲覧要求した起票データ一覧である要求一覧部１７２１とから構成される。
【０１９９】
受信一覧部１７２０は，閲覧するファイルデータの「ファイル名」，閲覧要求されたファイルデータに対するコメント更新マーク７７０，閲覧要求されたファイルデータの「容量」，「受信日」，閲覧要求をした「送信元」，閲覧要求された端末装置２３５２が閲覧したか否か閲覧状態を示す「ステータス」，および閲覧した結果を要求元の端末装置２３５２へ送信する「閲覧コメント」とから構成される。
【０２００】
例えば，受信一覧部１７２０の「ファイル名」が“ガイダンス．ｔｘｔ”の受信データは，「受信日」は“２００１．０９．１３”であり，「ステータス」は“未読”であることが受信一覧部１７２０から分かる。
【０２０１】
「ステータス」に表示される“未読”は，閲覧要求されたファイルデータを選択して参照することにより，“未読”から“既読”の状態に変更される。なお，本実施の形態はかかる例に限定されず，例えば，閲覧したコメントを返信した時点で状態を変更することも実施可能であり，“未読”から“既読”の状態に変更されるタイミングはいかなる場合でも実施可能である。
【０２０２】
要求一覧部１７２０は，端末装置２３５２から閲覧要求したファイルデータの「ファイル名」，閲覧要求するファイルデータに対するコメント更新マーク７７０，閲覧要求するファイルデータの「容量」，「受信日」，閲覧要求先である「送信先」，閲覧要求先の端末装置２３５２が閲覧したか否か閲覧状態を示す「ステータス」，閲覧終了した閲覧要求先の端末装置２３５２から返信される「閲覧コメント」から構成される。
【０２０３】
例えば，要求一覧部１７２１の「ファイル名」が“ストレージサービス説明書．ｔｘｔ”の受信データは，「受信日」は“２００１．０９．１３”であり，「ステータス」は“未読”であることが要求一覧部１７２０から分かる。
【０２０４】
なお，「コメント」欄に表示されるコメント更新マーク７７０は，上記記載にて説明のとおり，該当するコメントデータの参照およびコメントデータの編集が可能であるマークを表す。さらに，「閲覧コメント」欄に表示される閲覧承認回覧コメント更新マーク１７２６は，ファイルデータに属する閲覧承認回覧コメントデータの参照および編集が可能であることを表す。閲覧承認回覧コメント参照マーク１７２７は，該当する閲覧承認回覧コメントデータの参照のみが可能であるマークを表す。他の画面に表示される，コメント更新マーク７７０，閲覧承認回覧コメント更新マーク１７２６および閲覧承認回覧コメント参照マーク１７２７についても同じである。
【０２０５】
（３．４．１８．１  「閲覧一覧コピー」画面）
図３３に示す，受信一覧部１７２０または要求一覧部１７２１に表示されるコピーしたいディレクトリまたはファイルデータを，端末装置２３５２からマウスのクリックなどでチェックボックス７６９に選択後，コピーボタン７５７が選択されると，選択されたディレクトリまたはファイルデータをコピーする「閲覧一覧コピー」画面（図示せず）が表示される。「閲覧一覧コピー」画面は，上記記載の「コピー」画面で採用される画面とほぼ同様の構成を有するので，詳細説明は省略する。
【０２０６】
（３．４．１８．２  「閲覧一覧インターネットへコピー」画面）
図３３に示す，受信一覧部１７２０または要求一覧部１７２１に表示されるインターネットへコピーしたいディレクトリまたはファイルデータを，端末装置２３５２からマウスのクリックなどでチェックボックス７６９に選択後，インターネットへコピーボタン７６０が選択されると，選択されたディレクトリまたはファイルデータをコピーする「閲覧一覧インターネットへコピー」画面（図示せず）が表示される。「閲覧一覧インターネットへコピー」画面は，上記記載の「インターネットへコピー」画面で採用される画面とほぼ同様の構成を有するので，詳細説明は省略する。
【０２０７】
（３．４．１８．３  「閲覧一覧削除」画面）
図３３に示す，受信一覧部１７２０または要求一覧部１７２１に表示される削除したいディレクトリまたはファイルデータを，端末装置２３５２からマウスのクリックなどでチェックボックス７６９に選択後，削除ボタン７５９が選択されると，選択されたディレクトリまたはファイルデータを削除する「閲覧一覧削除」画面（図示せず）が表示される。「閲覧一覧削除」画面は，上記記載の「削除」画面で採用される画面とほぼ同様の構成を有するので，詳細説明は省略する。
【０２０８】
（３．４．１９  「承認回覧一覧」画面）
次に，図３４を参照しながら，図１０に示す「プロジェクトトップ」画面のボタン７９９などからリンクされる「承認回覧一覧」画面について説明する。「承認回覧一覧」画面は，グループ２３５４に属する端末装置２３５２が予め特定された端末装置２３５２に対して承認回覧を要求した承認回覧の起票データおよび承認回覧の要求があった承認回覧の受信データの一覧を端末装置２３５２のディスプレイ装置に表示する画面である。
【０２０９】
図３４に示すように，「承認回覧一覧」画面は，端末装置２３５２が承認回覧の要求があった受信データ一覧である受信一覧部１７２４と，端末装置２３５２から承認回覧要求した起票データ一覧である要求一覧部１７２５とから構成される。
【０２１０】
受信一覧部１７２４は，閲覧するファイルデータの「ファイル名」，閲覧するファイルに対するコメントデータを表す「コメント」，閲覧するファイルデータの「容量」，承認回覧する端末装置の順序などが設定された「回覧ルート」，「受信日」，承認回覧要求をした「起票者」，現在承認回覧している端末装置２３５２を表す「回覧者」，現在承認回覧している端末装置２３５２の承認回覧状態を示す「ステータス」，承認回覧した結果を要求元の端末装置２３５２へ送信する「承認回覧コメント」から構成される。
【０２１１】
例えば，受信一覧部１７２４の「ファイル名」が“議事録．ｔｘｔ”の受信データは，「受信日」は２００１．０９．１３であり，「回覧ルート」は“回覧ルート４”であり，「ステータス」は“未読”であることが受信一覧部１７２４から分かる。
【０２１２】
「ステータス」に表示される“未読”は，承認回覧要求されたファイルデータを選択して参照することにより，“未読”から“既読”の状態に変更される。なお，本実施の形態はかかる例に限定されず，例えば，「承認」または「拒否」された時点で状態を変更することも実施可能であり，“未読”から“既読”の状態に変更されるタイミングはいかなる場合でも実施可能である。
【０２１３】
要求一覧部１７２５は，端末装置２３５２から承認回覧起票したファイルデータの「ファイル名」，承認回覧起票するファイルに対するコメントデータ，承認回覧を要求するファイルデータの「容量」，承認回覧してもらう順序などが設定された「回覧ルート」，「受信日」，「起票者」，現在承認回覧している端末装置２３５２を表す「回覧者」，現在承認回覧している端末装置２３５２の承認回覧状態を示す「ステータス」，承認回覧した結果を要求元の端末装置２３５２へ送信する「承認回覧コメント」から構成される。
【０２１４】
例えば，要求一覧部１７２５の「ファイル名」が“ガイダンス．ｔｘｔ”の受信データは，「受信日」は“２００１．０９．１３”であり，「回覧ルート」は“回覧ルート３”であり，「ステータス」は“承認”であることが受信一覧部１７２４から分かる。
【０２１５】
なお，「承認回覧コメント」欄に表示される閲覧承認回覧コメント更新マーク１７２６は，指定されたファイルデータに属する閲覧承認回覧コメントデータの参照および閲覧承認回覧コメントデータの編集が可能であるマークを表して，閲覧承認回覧コメント参照マーク１７２７は，閲覧承認回覧コメントデータの参照のみが可能であるマークを表す。他の画面に表示される，閲覧承認回覧コメント更新マーク１７２６および閲覧承認回覧コメント参照マーク１７２７についても同じである。
【０２１６】
（３．４．１９．１  「承認回覧一覧コピー」画面）
図３４に示す，受信一覧部１７２４または要求一覧部１７２５に表示されるコピーしたいディレクトリまたはファイルデータを，端末装置２３５２からマウスのクリックなどでチェックボックス７６９に選択後，コピーボタン７５７が選択されると，選択されたディレクトリまたはファイルデータをコピーする「承認回覧一覧コピー」画面（図示せず）が表示される。「承認回覧一覧コピー」画面は，上記記載の「コピー」画面で採用される画面とほぼ同様の構成を有するので，詳細説明は省略する。
【０２１７】
（３．４．１９．２  「承認回覧一覧インターネットへコピー」画面）
図３４に示す，受信一覧部１７２４または要求一覧部１７２５に表示されるインターネットへコピーしたいディレクトリまたはファイルデータを，端末装置２３５２からマウスのクリックなどでチェックボックス７６９に選択後，インターネットへコピーボタン７６０が選択されると，選択されたディレクトリまたはファイルデータをコピーする「承認回覧一覧インターネットへコピー」画面（図示せず）が表示される。「承認回覧一覧インターネットへコピー」画面は，上記記載の「インターネットへコピー」画面で採用される画面とほぼ同様の構成を有するので，詳細説明は省略する。
【０２１８】
（３．４．１９．３  「承認回覧一覧削除」画面）
図３４に示す，受信一覧部１７２４または要求一覧部１７２５に表示される削除したいディレクトリまたはファイルデータを，端末装置２３５２からマウスのクリックなどでチェックボックス７６９に選択後，削除ボタン７５９が選択されると，選択されたディレクトリまたはファイルデータを削除する「承認回覧一覧削除」画面（図示せず）が表示される。「承認回覧一覧削除」画面は，上記記載の「削除」画面で採用される画面とほぼ同様の構成を有するので，詳細説明は省略する。
【０２１９】
（３．４．２０  「参照コメントデータ」画面）
図１３に示す，コメント参照マーク７６８が，端末装置２３５２からマウスのクリックなどで選択されると，図３５に示す，コメントデータの内容が表示される「参照コメントデータ」画面が表示される。「参照コメントデータ」画面が表示されることにより，多目的に使用されるコメントデータの内容を確認する機能を利用できる。
【０２２０】
図３５に示すように，「参照コメントデータ」画面は，コメントデータの内容が履歴表示されるコメント表示部３００と，画面の表示を終了する終了ボタン３０１とから構成される。
【０２２１】
コメント表示部３００には，コメントを作成した端末装置２３５２に属するユーザである「作成者」，コメント作成日である「記入日」，およびコメントデータの内容である「内容」が表示される。なお，他の画面に表示されるコメント参照マーク７６８についても「参照コメントデータ」画面と同様な構成となる。
【０２２２】
（３．４．２１  「更新コメントデータ」画面）
図１３に示す，コメント更新マーク７７０が，端末装置２３５２からマウスのクリックなどで選択されると，図３６に示す，コメントデータの内容を追加できる「更新コメントデータ」画面が表示される。
【０２２３】
図３６に示すように，「更新コメントデータ」画面は，コメントデータの内容が履歴表示されるコメント表示部３００と，コメントデータに追加する内容を設定するコメント追加設定部１９８１と，コメント追加処理を実行する実行ボタン１９８２と，追加処理を実行せずに画面の表示を終了する終了ボタン３０１とから構成される。
【０２２４】
コメント表示部３００には，追加処理によりコメントデータが追加されて，コメントを作成した端末装置２３５２に属するユーザである「作成者」，コメント作成日である「記入日」，およびコメントデータの内容である「内容」が履歴表示される。なお，他の画面に表示されるコメント更新マーク７７０についても「更新コメントデータ」画面と同様な構成となる。
【０２２５】
（３．５  「プロジェクト管理」画面およびその関連画面）
「プロジェクト管理」画面は，管理端末装置２３５２のみが，ディレクトリグループ７８０に表示される「プロジェクト管理」を選択するなどから，アクセスして画面表示可能であり，「プロジェクト管理」画面により，グループ２３５４にアクセス権限を与えるなどの「グループ設定」画面，承認回覧に使用される「回覧ルート」画面，「プロジェクトトップ」画面に表示される「伝言板管理」画面などのグループ全体の管理をすることができる。
【０２２６】
まず，図１１を参照しながら，「プロジェクト管理」一覧画面について説明する。図１１に示すように，「プロジェクト管理」画面は，管理端末装置が属するグループ２３５４の一覧であり，グループ一覧表９５０が表示される。
【０２２７】
グループ一覧表９５０は，グループごとに表示される，端末装置２３５２の追加などを行う「アクセス端末装置」，「アクセスグループ」，「回覧ルート」，または「伝言板管理」をマウスのクリックなどで選択されることにより各種設定を行う管理画面が表示される。
【０２２８】
（３．５．１  「アクセスグループ」画面）
次に，図３７に示す画面は，図１１に示すグループ一覧表の「アクセスグループ」が選択されることにより画面表示される。「アクセスグループ」画面は，管理端末装置２３５２が属するグループ２３５４へアクセス権限を有するグループ２３５４の一覧を示す。
【０２２９】
図３７に示すように，「アクセスグループ」画面は，グループ一覧表８００と，新規登録ボタン８０１と，グループ一覧表８００に表示される中から選択されたグループ２３５４を削除するグループ削除ボタン８０２と，終了ボタン８０３とから構成される。
【０２３０】
また，図３７に示す新規登録ボタン８０１が選択されると，図３８に示す「グループ新規登録」画面が表示される。図３８に示す「グループ新規登録」画面は，グループ名入力部８３０と，登録ユーザ部８３１とから構成される。登録ユーザ部８３１は，グループ名入力部８３０に新しく入力されたグループ２３５４に属する端末装置２３５２をチェックボックス７６９に選択することにより登録される。
【０２３１】
（３．５．２  「回覧ルート」画面）
次に，図３９を参照しながら，「回覧ルート」画面について説明する。「回覧ルート」画面は，承認回覧する場合に，回覧する端末装置２３５２と端末装置２３５２の回覧する順番が設定される回覧ルートが設定される画面である。
【０２３２】
図３９に示すように，「回覧ルート」画面は，設定された回覧ルートの名前を登録する名前登録部９９０と，回覧先の端末装置２３５２および回覧する端末装置２３５２の順番を設定するルート設定部９９１とから構成される。
【０２３３】
ルート設定部９９１には，「ユーザ一覧」に表示された端末装置２３５２をクリックなどで選択して，ボタン９９３を選択することにより「回覧先ユーザ」に表示される。「回覧先ユーザ」に表示される端末装置２３５２および順番で実行ボタン９９５をクリックすることにより回覧ルートが設定される。回覧される順番は，矢印９９２の向きに従って順番が遅くなる。
【０２３４】
（３．５．３  「伝言板管理」画面）
図４０に示すように，「伝言板管理」画面は，伝言板の表示切替をする切替部１０５０と，新規に伝言板を登録するコメント設定部１０５１とから構成される。
【０２３５】
図４０に示すように，切替部１０５０は，「伝言板表示」に表示される“非表示”，“重要表示”，または“表示”などの伝言板のコメント画面に表示される表示方法をチェックボックス７６９などにより選択される切替表示などが表示される。
【０２３６】
（３．６  追加機能画面およびその関連画面）
またストレージサービスシステムには，追加機能として，カットリストを作成する「カットリスト」作成画面および，映像コンテンツデータのフォーマット変換を行う「エンコーディング」画面が端末装置２３５２に提供される。次に，「カットリスト」作成画面および「エンコーディング」画面について説明する。
【０２３７】
（３．６．１  「カットリスト」作成画面）
まず，図４１を参照しながら，「カットリスト」作成画面について説明をする。「カットリスト」作成画面は，図１０に示す追加メニュー部７９５などに表示される「カットリスト」項目をマウスのクリックなどで選択すると画面表示される。
【０２３８】
図４１に示すように，新規にカットリストを作成する場合は，「新規カットリスト作成」の「ＧＯ」ボタンを選択して，既に作成されたカットリストを編集する場合は，「既存カットリストの変更」の「ＧＯ」ボタンを選択する画面構成となっている。
【０２３９】
（３．６．１．１  「新規カットリスト作成」画面）
次に，図４２を参照しながら，「新規カットリスト作成」画面について説明する。「新規カットリスト作成」画面は，図４１に示す「新規カットリスト作成」に備わる「ＧＯ」ボタンが選択されることにより，表示される。
【０２４０】
図４２に示すように，「新規カットリスト作成」画面は，新規に作成するカットリストのファイル名を設定する新規リスト部２１１０と，新規作成されたカットリストの保存先を設定する保存設定部２１１１と，カットリストのテンプレートデータに付属するコメントデータにコメント内容を設定するコメント設定部２１１２と，カットリストを作成する映像コンテンツデータを選択するコンテンツ選択部２１１３と，編集情報データであるＥＤＬ（Ｅｄｉｔ  ＤｅｃｉｓｉｏｎＬｉｓｔ）ファイルデータを選択する編集選択部２１１４とから構成される。
【０２４１】
図４２に示す，コンテンツ選択部２１１３および編集選択部２１１４に選択されるファイルデータは，カットリストを作成するには必須のファイルデータであり，映像コンテンツデータの制作時に付随する編集情報データが必要となる。
【０２４２】
（３．６．１．２  「既存カットリストの変更」画面）
次に，図４３を参照しながら，「既存カットリストの変更」画面について説明する。「既存カットリストの変更」画面は，図４１に示す「既存カットリストの変更」に備わる「ＧＯ」ボタンが選択されることにより，表示される。
【０２４３】
図４３に示すように，「既存カットリストの変更」画面は，保存されたカットリストのテンプレートデータを選択する編集データ選択部２１２０から構成される。編集データ選択部２１２０の「選択」ボタンにより，保存されたカットリストのテンプレートデータを選択することができる。
【０２４４】
（３．６．１．３  「カットリストのテンプレート」画面）
次に，図４４を参照しながら，「カットリストのテンプレートデータ」画面について説明する。「カットリストのテンプレートデータ」画面は，必要事項の設定後「新規カットリスト作成」画面または「既存カットリストの変更」画面に表示される「実行」ボタンが選択されることにより画面表示される。
【０２４５】
図４４に示すように，「カットリストのテンプレートデータ」画面は，カットリストの編集を行うための編集画面であり，場面の時系列ごとに「Ｎｏ」が付番されて，場面を代表するカット映像の画面および「ナレーション＆セリフ」などの付属情報が表示される。編集をする場合は，編集したい場面「Ｎｏ」に備わる「変更」ボタンを選択することにより多種の編集ができる。
【０２４６】
（３．６．１．４  「カットリストのテンプレートデータ編集選択」画面）
次に，図４５を参照しながら，「カットリストのテンプレートデータ編集選択」画面について説明する。「カットリストのテンプレートデータ編集選択」画面は，図４４に示す「カットリストのテンプレートデータ」画面の場面ごとに表示される「変更」ボタンが選択されることにより画面表示される。
【０２４７】
図４５に示すように，「カットリストのテンプレートデータ編集選択」画面は，カットリストの編集を選択する編集選択画面であり，選択された場面の「カットＮｏ」が表示されて，編集は「代表画の変更」，「カットの分割」または「カットの統合」の中から目的の編集項目のチェックボタン２１４０にクリックすることにより選択をする。さらに，「実行」ボタンをクリックなどで選択することにより，各種の編集画面が表示される。次に，上記各種の編集画面について説明する。
【０２４８】
（３．６．１．５  「カットリストのテンプレートデータ統合編集」画面）
次に，図４６を参照しながら，「カットリストのテンプレートデータ統合編集」画面について説明する。「カットリストのテンプレートデータ統合編集」画面は，図４５に示す「カットリストのテンプレートデータ編集選択」画面で「カットの統合」が選択されて「実行」ボタンがマウスなどでクリックされることにより画面表示される。
【０２４９】
図４６に示すように，「カットリストのテンプレートデータ統合編集」画面は，カットリストの選択された場面であるカットと選択された１つ前のカットを１つに統合する編集画面である。「実行」ボタンをクリックなどで選択することにより，カットの統合処理が行われる。
【０２５０】
（３．６．１．６  「カットリストのテンプレートデータ代表画変更」画面）
次に，図４７を参照しながら，「カットリストのテンプレートデータ代表画変更」画面について説明する。「カットリストのテンプレートデータ代表画変更」画面は，図４５に示す「カットリストのテンプレートデータ編集選択」画面で「代表画の変更」が選択されて「実行」ボタンがマウスなどでクリックされることにより画面表示される。
【０２５１】
図４７に示すように，「カットリストのテンプレートデータ代表画変更」画面は，カットリストの選択された場面（カット）の代表画を同じ場面内の別の画面に変更する編集画面である。「代表画」に表示されている画面が現在選択されている代表画であり，「新規代表画」に表示されている画面が新しく変更される代表画が表示される。
【０２５２】
また，図４７に示すように，「新規代表画」は，同じ場面内の画面を時系列に並べて表示される代表画選択部２１５０または代表画選択部２１５１の内から任意にマウスのクリックなどで画面を選択すると，「新規代表画」に選択された画面が表示される。
【０２５３】
さらに，代表画選択部２１５０または代表画選択部２１５１内に目的の画面が存在しない場合は，コマ送りボタン部２１５２のボタンを選択することによりフレーム単位にカットの画面を時系列に前後コマ送りすることができる。例えば，「＋１０Ｆ」ボタンを選択すると１０フレーム分先の画面が代表画選択部２１５０および代表画選択部２１５１内に表示される。ただし，代表画選択部２１５０のように「カット外」の場合は代表画に選択することはできない。
【０２５４】
目的の画面が選択されて「新規代表画」に表示された画面は，「代表画を変更して閉じる」ボタンが選択されることにより，選択されたテンプレートデータの場面の代表画が「新規代表画」の画面に変更される。
【０２５５】
（３．６．１．７  「カットリストのテンプレートデータ分割編集」画面）
次に，図４８を参照しながら，「カットリストのテンプレートデータ分割編集」画面について説明する。「カットリストのテンプレートデータ分割編集」画面は，図４５に示す「カットリストのテンプレートデータ編集選択」画面で「カットの分割」が選択されて「実行」ボタンがマウスなどでクリックされることにより画面表示される。
【０２５６】
図４８に示すように，「カットリストのテンプレートデータ編集選択」画面は，カットリストの選択された１の場面を任意なる個所で２つの場面（カット）に分割される編集画面である。「Ｉｎ点」に表示される画面が選択された場面が開始される開始画面であり，「Ｏｕｔ点」に表示される画面が選択された場面の終了する終了画面である。
【０２５７】
分割後の１の場面は，「Ｉｎ点」の開始画面から「新規Ｏｕｔ点」に選択される画面までの場面であり，分割後のもう１つの場面は，「新規Ｏｕｔ点」の直後である「新規Ｉｎ点」から「Ｏｕｔ点」までの場面である。
【０２５８】
また，「新規Ｏｕｔ点」または「新規Ｉｎ点」は，分割選択部２１６０または分割選択部２１６１の内から任意にマウスのクリックなどで画面を選択することにより，「新規Ｏｕｔ点」または「新規Ｉｎ点」の画面が表示される。さらに，分割選択部２１６０または分割選択部２１６１内に目的の画面が存在しない場合は，上記記載の「カットリストのテンプレートデータ代表画変更」画面と同様に，コマ送りボタン部２１５２のボタンを選択することによりフレーム単位にカットの画面を時系列に前後コマ送りすることができる。
【０２５９】
目的の画面が「新規Ｏｕｔ点」および「新規Ｉｎ点」に画面表示されて，「カットを分割して閉じる」ボタンが選択されることにより，選択されたカットが新たに２つのカットに分割処理される。
【０２６０】
（３．６．１．８  「カットリスト出力形式」画面）
作成されたテンプレートデータは変換されて，印刷媒体などに出力する映像コンテンツ閲覧データとして出力することができる。次に，図４９を参照しながら，映像コンテンツ閲覧データの「カットリスト出力形式」画面について説明する。
【０２６１】
図４９に示すように，「カットリスト出力形式」画面は，映像コンテンツ閲覧データのレイアウトを選択する画面であり，１ページに表示されるナレーションなどの付属情報およびカットのレイアウトを３つのレイアウトから選択される。本実施の形態にかかるレイアウトは，「１列×６枚のカットを表示」，「２列×７枚のカットを表示」，または「３列×１２枚のカットを表示」のうちいずれか１つを選択されるようになっている。レイアウト表示するナレーションなどの付属情報は，「第１項目」および「第２項目」より選択される。なお，本実施の形態にかかるレイアウトは，上記３つのレイアウトに限定されず，「５列×２０枚のカットを表示」などの，いかなるレイアウトでも実施可能である。
【０２６２】
（３．６．１．９  「カットリストプレビュー」画面）
次に，図５０を参照しながら，「カットリストプレビュー」画面について説明する。「カットリストプレビュー」画面は，「カットリスト出力形式」画面で選択されたレイアウトに従い，ＰＤＦ（Ｐｏｒｔａｂｌｅ  Ｄｏｃｕｍｅｎｔ  Ｆｏｒｍａｔ）形式に変換された映像コンテンツ閲覧データを端末装置２３５２のディスプレイ装置で，事前に確認するための画面である。
【０２６３】
図５０に示すように，「カットリストプレビュー」画面は，図４９に示す「カットリスト出力形式」画面の「ＰＤＦでのプレビュー」ボタンが選択されると，選択されたレイアウトの通り，ＰＤＦ形式に変換された映像コンテンツ閲覧データが表示される。さらに，「カットリストプレビュー」画面から映像コンテンツ閲覧データを印刷媒体に出力することもできる。
【０２６４】
（３．６．１．１０  「カットリスト保存」画面）
次に，図５１を参照しながら，「カットリスト保存」画面について説明する。「カットリスト保存」画面は，図４９に示す「カットリスト出力形式」画面で選択されたレイアウトに従い，ＰＤＦ形式に変換された映像コンテンツ閲覧データを，ストレージ装置２９４６の端末装置２３５２に割当てられた記憶領域内に保存するための画面である。
【０２６５】
図５１に示すように，「カットリスト保存」画面は，図４９に示す「カットリスト出力形式」画面などに表示される「ＰＤＦの保存」ボタンをマウスのクリックなどで選択されることで表示される。
【０２６６】
また，ＰＤＦファイル名２１９０，保存先ディレクトリ名２１９１に，保存する映像コンテンツ閲覧データのファイル名および保存先のディレクトリを指定して，「実行」ボタンが選択されると映像コンテンツ閲覧データがストレージ装置２９４６へ保存される。
【０２６７】
さらに，コメント設定部２１９２にコメント内容を設定することにより，映像コンテンツ閲覧データに付属するコメントデータに設定されたコメント内容を保存することができる。なお，本実施の形態にかかる映像コンテンツ閲覧データはＰＤＦ形式に変換されて出力される場合を例にあげたが，本実施の形態はかかる例に限定されず，他の形式に変換して出力することができる。例えば，ＨＴＭＬ形式（Ｈｙｐｅｒ  Ｔｅｘｔ  Ｍａｒｋｕｐ  Ｌａｎｇｕａｇｅ）などに変換して出力することもできる。
【０２６８】
（３．７．１  「エンコーディング」画面）
まず，図５２を参照しながら，映像コンテンツデータのフォーマットを変換するための，「エンコーディング」画面について説明をする。「エンコーディング」画面は，図１０に示す追加メニュー部７９５などに表示される「エンコーディング」項目をマウスのクリックなどで選択すると画面表示される。
【０２６９】
図５２に示すように，新規にエンコーディングの注文を行う場合は，「新規エンコーディング」の「ＧＯ」ボタンを選択する。また，既にエンコーディングの注文を行った映像コンテンツデータについては，「過去の履歴」に注文が行われた映像コンテンツデータのフォーマット変換処理の管理番号および処理状況が表示される「管理番号」，「依頼日時」，「完了日時」，フォーマット変換処理の源泉ファイルである「ソースムービーファイル」，保存するファイル名である「保存ファイル」などの状況が表示される。
【０２７０】
（３．７．１．１  「新規エンコーディング」画面）
次に，図５３を参照しながら，「新規エンコーディング」画面について説明する。「新規エンコーディング」画面は，図５２の「エンコーディング」画面の「新規エンコーディング」の「ＧＯ」ボタンがマウスなどでクリックされることにより画面表示される。
【０２７１】
図５３に示すように，「新規エンコーディング」画面は，新規にエンコーディングの注文を設定する新規注文部２２７０とから構成される。新規の注文は，新規注文部２２７０の，「使用するムービーファイル」にフォーマット変換する映像コンテンツデータが選択されて，「エンコーディング後ファイル名」に変換処理後の映像コンテンツデータのファイル名が設定されて，「保存先ディレクトリ」に変換処理後の映像コンテンツデータが保存されるディレクトリ先が設定されて，「エンコーディング形式」にエンコーディングされた映像コンテンツデータのフォーマット形式が選択される。なお，本実施の形態にかかるエンコーディング可能なフォーマット形式は，各種ビットレートからなるＱｕｉｃｋ  Ｔｉｍｅ形式が選択されて実施される場合を例にあげたが，本実施の形態ではかかる例に限定されず，他のフォーマット形式であるＡＶＩフォーマット形式（ＡｕｄｉｏＶｉｄｅｏ  Ｉｎｔｅｒｌｅａｖｅ）やデジタルビデオデータなどの形式への変換も実施することができる。
【０２７２】
（３．７．１．２  「ディレクトリ選択」画面）
次に，図５４を参照しながら，「ディレクトリ選択」画面について説明する。「ディレクトリ選択」画面は，図５３の「新規エンコーディング」画面などに表示される「保存先ディレクトリ」の「選択」ボタンがマウスなどでクリックされることにより画面表示される。
【０２７３】
図５４に示すように，「ディレクトリ選択」画面は，フォーマット変換された映像コンテンツデータを保存する保存先ディレクトリを選択する画面であり，ディレクトリおよび映像コンテンツデータの一覧が表示される一覧表示部２２２０と，ディレクトリツリー表示部２２２１とから構成される。
【０２７４】
ディレクトリツリー表示部２２２１は，端末装置２３５２に割当てられたストレージ装置２９４６の記憶領域に存在するディレクトリの一覧であり，ルートディレクトリを最上段としてツリー状に表示される。現在端末装置２３５２により指定されているディレクトリ（カレントディレクトリ）は，網掛領域に示されたディレクトリである。
【０２７５】
一覧表示部２２２０は，ディレクトリツリー表示部２２２１に指定されたディレクトリに存在するサブディレクトリおよびファイルデータのディレクトリ名およびファイル名が一覧表示される。
【０２７６】
ディレクトリツリー表示部２２２１に表示されるチェック３９３をマウスのクリックなどで選択して，「ディレクトリ決定」ボタンが選択されることにより，保存先のディレクトリが「新規エンコーディング」画面上に登録される。
【０２７７】
（３．７．１．３  「ファイル選択」画面）
次に，図５５を参照しながら，「ファイル選択」画面について説明する。「ファイル選択」画面は，図５３の「新規エンコーディング」画面などに表示される「使用するムービーファイル名」の「選択」ボタンがマウスなどでクリックされることにより画面表示される。
【０２７８】
図５５に示すように，「ファイル選択」画面は，フォーマット変換する源泉の映像コンテンツデータを選択する画面であり，ディレクトリおよび映像コンテンツデータの一覧が表示される一覧表示部２２２０と，ディレクトリツリー表示部２２２１とから構成される。
【０２７９】
ディレクトリツリー表示部２２２１は，端末装置２３５２に割当てられたストレージ装置２９４６の記憶領域に存在するディレクトリの一覧であり，ルートディレクトリを最上段としてツリー状に表示される。現在端末装置２３５２により指定されているディレクトリ（カレントディレクトリ）は，網掛領域に示されたディレクトリである。
【０２８０】
一覧表示部２２２０は，ディレクトリツリー表示部２２２１に指定されたディレクトリに存在するサブディレクトリおよびファイルデータのディレクトリ名およびファイル名が一覧表示される。チェック３９３をマウスのクリックなどで選択して，「ファイル決定」ボタンが選択されることにより，新規にフォーマット変換される映像コンテンツデータが「新規エンコーディング」画面上に登録される。
【０２８１】
（３．７．１．４  「エンコーディング開始」画面）
次に，図５６を参照しながら，「エンコーディング開始」画面について説明する。「エンコーディング開始」画面は，図５３の「新規エンコーディング」画面に必要項目が登録されて，「実行」ボタンがマウスなどでクリックされることにより画面表示される。
【０２８２】
図５６に示すように，「エンコーディング開始」画面は，新規注文が登録されてエンコーディングが開始されたことを表す画面であり，登録された注文内容を一覧表示する管理表２２８０とから構成される。
【０２８３】
さらに，「エンコーディング開始」画面が表示されるのとタイミングを同じくして，処理が開始された内容の情報が電子メールなどにより端末装置２３５２に送信される。
【０２８４】
（３．７．１．５  「エンコーディング変更」画面）
次に，図５７を参照しながら，「エンコーディング変更」画面について説明する。「エンコーディング変更」画面は，図５２の「エンコーディング」画面の「管理番号」の項目欄に表示される“管理番号”が，がマウスのクリックなどで選択されることにより画面表示される。なお，「エンコーディング変更」画面が表示されるのは，エンコーディング中の状態に限られる。
【０２８５】
図５７に示すように，「エンコーディング変更」画面は，登録された注文内容を変更するための画面であり，登録された注文内容が表示される変更管理表２２６０とから構成される。
【０２８６】
変更管理表２２６０に，表示される「使用するムービーファイル」，「エンコーディング後ファイル名」，「保存先ディレクトリ」，またはフォーマット形式である「エンコーディング形式」を「選択」ボタンをクリックまたは設定入力することに注文の設定内容を変更することができる。
【０２８７】
変換管理表２２６０に表示される注文の内容が設定されて，「変更」ボタンが選択されると変更後の注文内容に設定される。また，変更後の注文内容がメールで注文の変更を行った端末装置２３５２に送信される。
【０２８８】
（３．７．１．６  「変更完了」画面）
次に，図５８を参照しながら，「変更完了」画面について説明する。「変更完了」画面は，図５７の「エンコーディング変更」画面の「変更」ボタンがマウスのクリックなどで選択されることにより画面表示される。
【０２８９】
図５８に示すように，「変更完了」画面は，変更内容の設定が完了したことを表す画面であり，「変更完了」画面の表示とタイミングを同じくして端末装置２３５２へ変更完了の内容の情報が電子メールで送信される。
【０２９０】
（３．７．１．７  「キャンセル完了」画面）
次に，図５９を参照しながら，「キャンセル完了」画面について説明する。「キャンセル完了」画面は，図５７の「エンコーディング変更」画面の「この設定をキャンセル」ボタンがマウスのクリックなどで選択されることにより画面表示される。
【０２９１】
図５９に示すように，「キャンセル完了」画面は，フォーマット変換処理中である注文がキャンセルされたことを表す画面であり，「キャンセル完了」画面の表示とタイミングを同じくして端末装置２３５２へキャンセル完了の内容の情報が電子メールで送信される。
【０２９２】
なお，「新規エンコーディング開始」，「変更完了」，および「キャンセル完了」画面の表示の場合に電子メールで情報が送信される例をあげたが，本実施の形態ではかかる例に限定されず，他の媒体で情報が送信される場合であっても実施可能である。
【０２９３】
（４．ストレージサービスシステムの動作）
次に，上記のように構成されたストレージサービスシステムの動作の実施形態について説明する。なお，以下の実施形態では，端末装置２３５２が専用回線２９３６を介する場合の，ストレージサービスシステムの動作を説明する。
【０２９４】
なお，以下の動作は，端末装置２３５２からの専用回線２９３６を介したセンタサーバ２３５０へアクセスする動作について説明するが，インターネット２９３３を介した動作についても，以下の場合とほぼ同様である。
【０２９５】
（４．１  ログイン処理）
ログインは，端末装置２３５２に属するユーザがストレージサービスを利用する正当なユーザであるかを認証する処理である。ログインで正当なユーザであると認証されることによって，ユーザに属する端末装置２３５２がネットワーク２３５１を介してセンタサーバ２３５０にアクセス可能となり，ストレージサービスを利用することができる。
【０２９６】
正当なユーザであるか否かの認証処理には，ユーザのＩＤおよびユーザのパスワードが必要である。ユーザのＩＤおよびパスワードはストレージサービス利用登録時に申請した内容と同じＩＤおよびパスワードを，ＩＤ１７１０およびパスワード１７１１へ入力する。なお，登録時のパスワードに関しては，各ユーザにて自由にパスワードの変更ができる。
【０２９７】
ＩＤ１７１０およびＰＷ１７１１の入力が終了して，ログイン１７１２をマウスなどでクリックすると，非公開用ＷＷＷ装置２９５０で正当なユーザであるか調べる。正当なユーザであると認められると，その時点からストレージサービスを利用することができる。
【０２９８】
（４．２  アクセス・ディレクトリ操作処理）
グループ２３５４および端末装置２３５２に割当てられた記憶領域に格納されたファイルまたはディレクトリを検索，コピー，移動，または削除処理などをすることができる。
【０２９９】
（４．２．１  ファイル／ディレクトリ検索処理）
まず，図６０を参照しながら，ファイルあるいはディレクトリの検索処理について説明する。なお図６０は，ファイルあるいはディレクトリの検索処理の概略を示すフローチャートであり，図２０は，ファイルおよびディレクトリの検索処理の際に，端末装置２３５２のディスプレイ装置に示される画面構成例である。
すでに説明したように，図２０に示す，ユーザが指定するファイルまたはディレクトリ検索をする場合，様々なアイコンから構成されるボタングループ７５４に存在する検索ボタン７５５をマウスなどでクリックすると（Ｓ２３９６），検索処理の要求により，非公開用ＷＷＷ装置２９５０が検索条件を指定する検索画面を端末装置２３５２のディスプレイ装置に表示させる（Ｓ２３９７）。
【０３００】
端末装置２３５２に画面表示された，検索条件部６０１の「ディレクトリ名・ファイル名」，「検索ディレクトリ」，「コメント」，「更新日」，「所有者」，「作成者」，または「検索方式」に検索条件である必要項目事項を入力する（Ｓ２３９８）。
【０３０１】
検索条件が入力されて，図２０に示す，実行ボタン６０２がマウスのクリックなどで選択されることにより，非公開用ＷＷＷ装置２９５０に検索指示データが送信される（Ｓ２３９９）。
【０３０２】
非公開用ＷＷＷ装置２９５０は，受信した検索指示データに基づき，検索条件に指定されたディレクトリおよびファイルデータについてアクセス権限データ管理ＤＢ装置２９５２に照会する（Ｓ２４００）。
【０３０３】
アクセス権限データ管理ＤＢ装置２９５２は，上記非公開用ＷＷＷ装置２９５０からの問い合わせに基づいて，検索条件に合致するディレクトリおよびファイルデータを検索し，その検索結果データを非公開用ＷＷＷ装置２９５０に送信する（Ｓ２４０１）。
【０３０４】
上記検索結果データ受信後，非公開用ＷＷＷ装置２９５０は，上記アクセス権限データ管理ＤＢ装置２９５２から送信された検索結果データに基づいた検索結果表示画面を生成し，端末装置２３５２のディスプレイ装置に表示させる（Ｓ２４０２）。
【０３０５】
（４．２．２  ファイル／ディレクトリコピー処理）
次に，図６１を参照しながら，ファイルあるいはディレクトリのコピー処理について説明する。なお図６１は，ファイルあるいはディレクトリのコピー処理の概略を示すフローチャートであり，図２２は，ファイル／ディレクトリのコピー処理の際に，端末装置２３５２のディスプレイ装置に示される画面構成例である。
【０３０６】
すでに説明したように，端末装置２３５２が指定するファイルまたはディレクトリを他のディレクトリにコピーする場合，図１３に示すように，端末装置２３５２により，コピー処理をするコピー元となるディレクトリまたはファイルデータがチェックボックス７６９に選択される（Ｓ４００２）。
【０３０７】
次に，図１３に示すように，様々なアイコンから構成されるボタングループ７５４に存在するコピーボタン７５７をマウスのクリックなどで選択される（Ｓ４００４）と，図２２に示す，非公開用ＷＷＷ装置２９５０により，コピー先を指定するディレクトリの画面が，端末装置２３５２のディスプレイ装置に表示される（Ｓ４００６）。本実施の形態では，コピー先として，ストレージ装置２４９６の非公開記憶領域内のディレクトリが表示される。
【０３０８】
次に，図２２に示すように，コピー先であるディレクトリが，ディレクトリ表示部３９４からマウスのクリックなどで選択される（Ｓ４００８）。
【０３０９】
なお，本実施の形態では，指定するコピー先として，端末装置２３５２がアクセス可能なストレージ装置２９４６の非公開記憶領域内に格納されるディクレクトリのうち，当該端末装置２３５２に書き込み権限（ｗｒｉｔｅ権限）が与えられているディレクトリが指定可能である。
【０３１０】
上記選択されたディレクトリのサブディレクトリにコピーする場合は，さらにコピー先指定表示部３９５から選択して，最後にディレクトリまたはファイルに付属するコメントデータに対する処置をコメント設定部３９３から選択する。
【０３１１】
コメント設定部３９３に設定することによりディレクトリまたはファイルに付属するコメントデータをそのままコピー先に引き継いでコピーされるのか，コメントデータの内容を消去（クリア）されてコピー先にコピーされるのか選択することができる。
【０３１２】
なお，本実施の形態にかかるコメント設定部３９３の設定はコピー処理の度に選択される場合があげられているが，本実施の形態では，かかる例に限定されず，予めコメント設定部の情報を端末装置２３５２ごとに設定しておくことも実施可能である。
【０３１３】
コピー先が決定して，図２２に示す，実行ボタン３９４がマウスなどで選択されると，端末装置２３５２は，上記選択されたコピー元，並びに指定されたコピー先が設定されたコピー指示データを非公開用ＷＷＷ装置２９５０に送信する（Ｓ４０１０）。
【０３１４】
非公開用ＷＷＷ装置２９５０は，上記受信したコピー指示データに基づき，非公開用アクセス制御装置２９４８の指示のもと，端末装置２３５２に属するユーザのＩＤおよびアクセス権限データから，当該アクセス権限削除指示データの正当性を確認後，アクセス権限データ変更指示データをアクセス権限データ管理ＤＢ装置２９５２に送信する（Ｓ４０１２）。
【０３１５】
アクセス権限データ管理ＤＢ装置２９５２は，受信したアクセス権限データ変更指示データに応じて，アクセス権限データを更新して（Ｓ４０１４），変更完了を示す完了通知データを非公開用ＷＷＷ装置２９５０に送信する（Ｓ４０１６）。
【０３１６】
上記完了通知データを受信した非公開用ＷＷＷ装置２９５０は，コピー指示データを基に，ストレージ装置２９４６の内容を更新する。すなわち，ストレージ装置２９４６内で，コピー元のデータを，指定されたコピー先のディレクトリにコピー処理する（Ｓ４０１８）。
【０３１７】
上記ストレージ装置２９４６のコピー処理終了後，非公開用ＷＷＷ装置２９５０は，コピー完了を示す完了通知画面を端末装置２５３２のディスプレイ装置に表示させる（Ｓ４０２０）。
【０３１８】
（４．２．３  ファイル／ディレクトリ移動処理）
次に，図６２を参照しながら，ファイルあるいはディレクトリの移動処理について説明する。なお図６２は，ファイルあるいはディレクトリの移動処理の概略を示すフローチャートである。
【０３１９】
すでに説明したように，ユーザが指定するファイルまたはディレクトリを他のディレクトリへ移動する場合，図１３に示す，端末装置２３５２により，移動をする移動元となるディレクトリまたはファイルデータが，チェックボックス７６９に選択される（Ｓ２４２０）。
【０３２０】
次に，図１３に示すボタングループ７５４に存在する移動ボタン７５８がマウスのクリックなどで選択される（Ｓ２４２１）と，非公開用ＷＷＷ装置２９５０により，移動先の別のディレクトリを指定する画面が端末装置２３５２のディスプレイ装置に表示される（Ｓ２４２２）。
【０３２１】
なお，本実施の形態では，移動先のディレクトリとして指定可能なのは，端末装置２３５２がアクセス可能なストレージ装置２９４６の非公開記憶領域内に格納されるディレクトリのうち，当該端末装置２３５２に書き込み権限（ｗｒｉｔｅ権限）が与えられているディレクトリが指定可能である。
【０３２２】
さらに，表示された画面上から，端末装置２３５２により，移動先が選択されて実行ボタン３９４が選択される（Ｓ２４２３）と，選択された移動元のファイルデータまたはディレクトリ，並びに指定された移動先のディレクトリが設定された移動指示データが，非公開用ＷＷＷ装置２９５０に送信される（Ｓ２４２４）。
【０３２３】
非公開用ＷＷＷ装置２９５０は，非公開用アクセス制御装置２９４８の指示のもと，受信した移動指示データに基づいて，アクセス権限データ変更指示データをアクセス権限データ管理ＤＢ装置２９５２に送信する（Ｓ２４２５）。
【０３２４】
次に，アクセス権限データ管理ＤＢ装置２９５２は，受信した移動指示データに応じて，アクセス権限データを更新する（Ｓ２４２６）と，変更完了を示す完了通知データを非公開用ＷＷＷ装置２９５０に送信する（Ｓ２４２７）。
【０３２５】
上記完了通知データを受信後，非公開用ＷＷＷ装置２９５０は，受信した移動指示データを基に，ストレージ装置２９４６の内容を更新する。すなわち，ストレージ装置２９４６内で，移動元のファイルデータまたはディレクトリを，移動先に移動する（Ｓ２４２８）。
【０３２６】
上記ストレージ装置２９４６の移動処理終了後，非公開用ＷＷＷ装置２９５０は，移動完了を示す完了通知画面を端末装置２３５２のディスプレイ装置に表示させる（Ｓ２４２９）。
【０３２７】
（４．２．４  ファイル／ディレクトリ削除処理）
次に，図６３を参照しながら，ファイルあるいはディレクトリの削除処理について説明する。なお図６３は，ファイルあるいはディレクトリの削除処理の概略を示すフローチャートであり，図２３は，ファイル／ディレクトリの削除処理の際に，端末装置２３５２のディスプレイ装置に示される画面構成例である。
【０３２８】
すでに説明したように，端末装置２３５２が指定するファイルあるいはディレクトリを削除する場合，図１３に示す，サブディレクトリ属性表示部７５２またはファイル属性表示部７５３に一覧表示されるディレクトリ，ファイルデータの中から，削除をするディレクトリまたはファイルデータがチェックボックス７６９に選択される（Ｓ２４３０）。
【０３２９】
次に，図１３に示すように，様々なアイコンから構成されるボタングループ７５４に存在する削除ボタン７５９がマウスのクリックなどで選択される（Ｓ２４３１）と，図２３に示す，非公開用ＷＷＷ装置２９５０により削除確認用の画面が端末装置２３５２のディスプレイ装置に表示される（Ｓ２４３２）。
【０３３０】
次に，端末装置２３５２により，図２３に示す，端末装置２３５２のディスプレイ装置に表示された削除確認用画面の実行ボタン６２３がマウスのクリックなどで選択される（Ｓ２４３３）。
【０３３１】
上記実行ボタン６２３がマウスのクリックなどで選択されると，端末装置２３５２は，上記削除指定されたディレクトリあるいはファイルデータが設定された削除指示データを非公開用ＷＷＷ装置２９５０に送信する（Ｓ２４３４）。
【０３３２】
非公開用ＷＷＷ装置２９５０は，非公開用アクセス制御装置２９４８の指示のもと，受信した削除指示データに基づいて，アクセス権限データ変更指示データを作成して，アクセス権限データ管理ＤＢ装置２９５２に送信する（Ｓ２４３５）。
【０３３３】
アクセス権限データ管理ＤＢ装置２９５２は，受信したアクセス権限データ変更指示データに応じて，アクセス権限データを更新する（Ｓ２４３６）と，変更完了を示す完了通知データを非公開用ＷＷＷ装置２９５０に送信する（Ｓ２４３７）。
【０３３４】
上記完了通知データを受信後，非公開用ＷＷＷ装置２９５０は，受信した削除指示データを基に，ストレージ装置２９４６の内容を更新する。すなわち，ストレージ装置２９４６内で，指定されたディレクトリあるいはファイルデータを削除する（Ｓ２４３８）。
【０３３５】
上記ストレージ装置２９４６の削除処理終了後，非公開用ＷＷＷ装置２９５０は，削除完了を示す完了通知画面を端末装置２３５２のディスプレイ装置に表示させる（Ｓ２４３９）。
【０３３６】
なお，本実施の形態では，削除対象のディレクトリまたはファイルデータとして指定可能なのは，端末装置２３５２がアクセス可能なストレージ装置２９４６の非公開記憶領域内に格納されるディレクトリまたはファイルデータのうち，ファイルデータが格納されたディレクトリを除いたディレクトリに関しては当該端末装置２３５２に，書き込み権限（ｗｒｉｔｅ権限）が与えられているディレクトリであり，ファイルデータに関しては当該端末装置２３５２に，ディレクトリ内のファイル書き込み権限が与えられているファイルデータが指定可能である。
【０３３７】
（４．２．５  ファイル／ディレクトリ名前変更処理）
次に，図６４を参照しながら，ファイルあるいはディレクトリの名前変更処理について説明する。なお図６４は，ファイルあるいはディレクトリの名前変更処理の概略を示すフローチャートであり，図２１は，ファイルまたはディレクトリの名前変更処理の際に，端末装置２３５２のディスプレイ装置に示される画面構成例である。
【０３３８】
すでに説明したように，端末装置２３５２が指定するファイルあるいはディレクトリの名前変更する場合，図１３に示す，サブディレクトリ属性表示部７５２またはファイル属性表示部７５３に一覧表示されるディレクトリ，ファイルデータの中から，名前変更をするディレクトリまたはファイルデータがチェックボックス７６９に選択される（Ｓ２４０３）。
【０３３９】
次に，図１３に示すように，様々なアイコンから構成されるボタングループ７５４に存在する変更ボタン７５６がマウスのクリックなどで選択される（Ｓ２４０４）と，図２１に示す，非公開用ＷＷＷ装置２９５０により名前変更確認用の画面が端末装置２３５２のディスプレイ装置に表示される（Ｓ２４０５）。
【０３４０】
次に，変更後の名前が設定されて，端末装置２３５２により，図２１に示す，端末装置２３５２のディスプレイ装置に表示された名前変更確認用画面の実行ボタン５１１がマウスのクリックなどで選択される（Ｓ２４０６）。
【０３４１】
上記実行ボタン５１１がマウスのクリックなどで選択されると，端末装置２３５２は，上記名前変更指定されたディレクトリあるいはファイルデータが設定された名前変更指示データを非公開用ＷＷＷ装置２９５０に送信する（Ｓ２４０７）。
【０３４２】
非公開用ＷＷＷ装置２９５０は，非公開用アクセス制御装置２９４８の指示のもと，受信した名前変更指示データに基づいて，アクセス権限データ変更指示データを作成して，アクセス権限データ管理ＤＢ装置２９５２に送信する（Ｓ２４０８）。
【０３４３】
アクセス権限データ管理ＤＢ装置２９５２は，受信したアクセス権限データ変更指示データに応じて，指定されたディレクトリまたはファイルデータの名前を変更する（Ｓ２４０９）と，名前変更完了を示す完了通知データを非公開用ＷＷＷ装置２９５０に送信する（Ｓ２４１０）。
【０３４４】
完了通知データを受信後，非公開用ＷＷＷ装置２９５０は，名前変更完了を示す完了通知画面を端末装置２３５２のディスプレイ装置に表示させる（Ｓ２４１１）。
【０３４５】
なお，本実施の形態では，名前変更対象のディレクトリまたはファイルデータとして指定可能なのは，端末装置２３５２がアクセス可能なストレージ装置２９４６の非公開記憶領域内に格納されるディレクトリまたはファイルデータのうち，ディレクトリに関しては当該端末装置２３５２に，書き込み権限（ｗｒｉｔｅ権限）が与えられているディレクトリであり，ファイルデータに関しては当該端末装置２３５２に，ディレクトリ内のファイル書き込み権限が与えられているファイルデータが指定可能である。
【０３４６】
（４．２．６  インターネットへのファイル／ディレクトリコピー処理）
次に，図６５を参照しながら，インターネットへのファイルあるいはディレクトリのコピー処理について説明する。なお図６５は，インターネットへのファイルあるいはディレクトリのコピー処理の概略を示すフローチャートである。なお，インターネットへのファイルあるいはディレクトリのコピー処理の際に，端末装置２３５２のディスプレイ装置に示される画面構成例は，コピー処理とほぼ同様の構成を有するので詳細な説明は省略する。
【０３４７】
すでに説明したように，端末装置２３５２が指定するファイルあるいはディレクトリのインターネットへのコピー処理する場合，図１３に示す，サブディレクトリ属性表示部７５２またはファイル属性表示部７５３に一覧表示されるディレクトリ，ファイルデータの中から，インターネットへのコピーをするディレクトリまたはファイルデータがチェックボックス７６９に選択される（Ｓ２４４０）。
【０３４８】
次に，図１３に示すように，様々なアイコンから構成されるボタングループ７５４に存在するインターネットへのコピーボタン７６０がマウスのクリックなどで選択される（Ｓ２４４１）と，非公開用ＷＷＷ装置２９５０によりコピー先を指定する画面（図示せず）が端末装置２３５２のディスプレイ装置に表示される（Ｓ２４４２）。
次に，コピー先が設定されて（Ｓ２４４３），端末装置２３５２により，端末装置２３５２のディスプレイ装置に表示されたコピー先を指定する画面の実行ボタン３６３がマウスのクリックなどで選択されると，端末装置２３５２は，上記コピー元であるディレクトリあるいはファイルデータが設定されたコピー指示データを非公開用ＷＷＷ装置２９５０に送信する（Ｓ２４４４）。
【０３４９】
非公開用ＷＷＷ装置２９５０は，非公開用アクセス制御装置２９４８の指示のもと，受信したコピー指示データに基づいて，端末装置２３５２に属するユーザＩＤおよびアクセス権限データに基づいて当該コピーの正当性を判断した後に，アクセス権限データ変更指示データを作成して，アクセス権限データ管理ＤＢ装置２９５２に送信する（Ｓ２４４５）。
【０３５０】
アクセス権限データ管理ＤＢ装置２９５２は，受信したアクセス権限データ変更指示データに応じて，アクセス権限データを更新する（Ｓ２４４６）と，更新完了を示す完了通知データを非公開用ＷＷＷ装置２９５０に送信する（Ｓ２４４７）。
【０３５１】
上記完了通知データを受信後，非公開用ＷＷＷ装置２９５０は，受信したコピー指示データを基に，ストレージ装置２９４６の内容を更新する。すなわち，ストレージ装置２９４６内で，非公開記憶領域に格納されたコピー元のデータを，公開記憶領域であるコピー先にコピーする（Ｓ２４４８）。
【０３５２】
上記ストレージ装置２９４６がコピー処理終了後，非公開用ＷＷＷ装置２９５０は，コピー処理完了を示す完了通知画面を端末装置２３５２のディスプレイ装置に表示させる（Ｓ２４４９）。
【０３５３】
なお，本実施の形態では，インターネットへコピーする対象のディレクトリまたはファイルデータとして指定可能なのは，端末装置２３５２がアクセス可能なストレージ装置２９４６の非公開記憶領域内に格納されるディレクトリのうち，当該端末装置２３５２に，書き込み権限（ｗｒｉｔｅ権限）が与えられているディレクトリである。
【０３５４】
（４．２．７  ディレクトリ新規作成処理）
次に，図６６を参照しながら，ディレクトリ新規作成処理について説明する。
なお図６６は，ディレクトリ新規作成処理の概略を示すフローチャートであり，図２５は，ディレクトリ新規作成処理の際に，端末装置２３５２のディスプレイ装置に示される画面構成例である。
【０３５５】
すでに説明したように，端末装置２３５２がディレクトリ新規作成処理する場合，図１３に示す，新規にディレクトリが作成される作成先をサブディレクトリ属性表示部７５２に選択させる。
【０３５６】
次に，図１３に示すように，様々なアイコンから構成されるボタングループ７５４に存在する新規作成ボタン７６１がマウスのクリックなどで選択される（Ｓ２４５０）と，図２５に示す，非公開用ＷＷＷ装置２９５０によりディレクトリ名を入力する画面が端末装置２３５２のディスプレイ装置に表示される（Ｓ２４５１）。
【０３５７】
次に，図２５に示すディレクトリ設定部４８０に，ディレクトリ名が設定されて（Ｓ２４５２），端末装置２３５２により，図２５に示す，端末装置２３５２のディスプレイ装置に表示された新規ディレクトリ名を入力する画面の実行ボタン４８１がマウスのクリックなどで選択されると，端末装置２３５２は，上記新規ディレクトリ名が設定されたディレクトリ新規作成指示データを非公開用ＷＷＷ装置２９５０に送信する（Ｓ２４５３）。
【０３５８】
非公開用ＷＷＷ装置２９５０は，非公開用アクセス制御装置２９４８の指示のもと，受信したディレクトリ新規作成指示データに基づいて，端末装置２３５２に属するユーザＩＤおよびアクセス権限データに基づいて当該ディレクトリ新規作成の正当性を判断した後に，アクセス権限データ変更指示データを作成して，アクセス権限データ管理ＤＢ装置２９５２に送信する（Ｓ２４５４）。
【０３５９】
アクセス権限データ管理ＤＢ装置２９５２は，受信したアクセス権限データ変更指示データに応じて，アクセス権限データを更新する（Ｓ２４５５）と，更新完了を示す完了通知データを非公開用ＷＷＷ装置２９５０に送信する（Ｓ２４５６）。
【０３６０】
上記完了通知データを受信後，非公開用ＷＷＷ装置２９５０は，受信したディレクトリ新規作成指示データを基に，ストレージ装置２９４６の内容を更新する。すなわち，ストレージ装置２９４６内で，非公開記憶領域に指定されたディレクトリ名で新規にディレクトリを作成する（Ｓ２４５７）。
【０３６１】
上記ストレージ装置２９４６がディレクトリ作成処理終了後，非公開用ＷＷＷ装置２９５０は，ディレクトリ作成処理完了を示す完了通知画面を端末装置２３５２のディスプレイ装置に表示させる（Ｓ２４５８）。
【０３６２】
なお，本実施の形態では，新規ディレクトリ作成する対象のディレクトリとして指定可能なのは，端末装置２３５２がアクセス可能なストレージ装置２９４６の非公開記憶領域内に格納されるディレクトリのうち，当該端末装置２３５２に，書き込み権限（ｗｒｉｔｅ権限）が与えられているディレクトリ内に対して新規作成可能である。
【０３６３】
（４．２．８  アップロード処理）
次に，図６７を参照しながら，アップロード処理について説明する。なお図６７は，アップロード処理の概略を示すフローチャートであり，図２６は，アップロード処理の際に，端末装置２３５２のディスプレイ装置に示される画面構成例である。
【０３６４】
すでに説明したように，端末装置２３５２がアップロード処理する場合，図１３に示す，新規にファイルデータをアップロード（格納）する格納先のディレクトリがツリー表示部７５０のディレクトリ一覧により選択（網掛領域）される。
【０３６５】
次に，図１３に示すように，様々なアイコンから構成されるボタングループ７５４に存在するアップロードボタン７６２がマウスのクリックなどで選択される（Ｓ２４５９）と，図２６に示す，非公開用ＷＷＷ装置２９５０によりアップロードファイル名入力用の画面が端末装置２３５２のディスプレイ装置に表示される（Ｓ２４６０）。
【０３６６】
次に，図２６に示す選択部３３０に，アップロード処理するファイル名が設定されて（Ｓ２４６１），端末装置２３５２により，図２６に示す，端末装置２３５２のディスプレイ装置に表示されたアップロードファイル名入力用の画面の実行ボタン３３２がマウスのクリックなどで選択されると，端末装置２３５２は，上記ファイル名が設定されたアップロード指示データを非公開用ＷＷＷ装置２９５０に送信する（Ｓ２４６２）。
【０３６７】
非公開用ＷＷＷ装置２９５０は，非公開用アクセス制御装置２９４８の指示のもと，受信したアップロード指示データに基づいて，端末装置２３５２に属するユーザＩＤおよびアクセス権限データに基づいて当該アップロード指示の正当性を判断した後に，指定されたファイル名のファイルデータを端末装置２３５２からセンタサーバ２３５０へネットワーク２３５１を介してアップロードされる（Ｓ２４６３）。
【０３６８】
アクセス権限データ管理ＤＢ装置２９５２は，受信したアクセス権限データ変更指示データに応じて，アクセス権限データを更新する（Ｓ２４６４）と，アクセス権限データ管理ＤＢ装置２９５２は，アップロードされたファイルデータについてのアクセス権限データを更新する（Ｓ２４６５）。
【０３６９】
アクセス権限データ管理ＤＢ装置２９５２は，アクセス権限データの更新完了を示す完了通知データを非公開用ＷＷＷ装置２９５０に送信して（Ｓ２４６６），上記完了通知データを受信した非公開用ＷＷＷ装置２９５０は，上記アップロードされたファイルデータを，ストレージ装置２９４６の非公開記憶領域に格納する（Ｓ２４６７）。
【０３７０】
上記ストレージ装置２９４６がファイル格納処理終了後，非公開用ＷＷＷ装置２９５０は，アップロード処理完了を示す完了通知画面を端末装置２３５２のディスプレイ装置に表示させる（Ｓ２４６８）。
【０３７１】
なお，本実施の形態では，アップロードする格納先対象のディレクトリとして指定可能なのは，端末装置２３５２がアクセス可能なストレージ装置２９４６の非公開記憶領域内に格納されるディレクトリのうち，当該端末装置２３５２に，書き込み権限（ｗｒｉｔｅ権限）が与えられているディレクトリ内に対してアップロード処理可能である。
【０３７２】
（４．２．９  アクセス権限変更処理）
次に，図６８を参照しながら，指定したディレクトリ対して設定されたグループ２３５４または端末装置２３５２のアクセス権限変更処理について説明する。なお図６８は，アクセス権限変更処理の概略を示すフローチャートであり，図１８は，アクセス権限変更処理の際に，端末装置２３５２のディスプレイ装置に示される画面構成例である。
【０３７３】
すでに説明したように，端末装置２３５２により，ツリー表示部７５０に表示される指定されたディレクトリに対するアクセス権限変更処理をする場合，図１３に示す，アクセス権限変更ボタン７７１がマウスのクリックなどで選択されると，図１４に示す，非公開用ＷＷＷ装置２９５０によりアクセス権限を変更する対象のグループ２３５４または端末装置２３５２一覧画面が端末装置２３５２のディスプレイ装置に表示される。
【０３７４】
次に，図１４に示すように，端末装置により，アクセス権限を変更するグループ２３５４または端末装置２３５２が「アクセスグループ名」，「アクセスユーザ名」欄からマウスのクリックなどで選択される（Ｓ２４８１）と，図１８に示す，指定されたグループ２３５４または端末装置２３５２のアクセス権限を変更するための画面が端末装置２３５２のディスプレイ装置に表示される（Ｓ２４８２）。
【０３７５】
端末装置２３５２により，図１８に示す，アクセス権限を変更するグループ権限変更部６０に示す変更されたアクセス権限の内容が設定される（Ｓ２４８３）。なお，図１８に示すのは，グループ２３５４のアクセス権限を変更する画面の場合であるが，端末装置２３５２のアクセス権限を変更する場合も，グループ２３５４と同様の構成である。
【０３７６】
次に，図１８に示す実行ボタン６２が選択されると，端末装置２３５２は，上記設定されたアクセス権限の変更後の内容が指定されたアクセス権限変更指示データを非公開用ＷＷＷ装置２９５０に送信する（Ｓ２４８４）。
【０３７７】
アクセス権限変更指示データを受信すると，非公開用アクセス制御装置２９４８の指示のもと，非公開用ＷＷＷ装置２９５０は，端末装置２３５２に属するユーザのＩＤおよびアクセス権限データから，当該アクセス権限変更指示データの正当性を確認後，受信したアクセス権限変更指示データ内容に基づいて，アクセス権限変更指示データをアクセス権限データ管理ＤＢ装置２９５２に送信する（Ｓ２４８５）。
【０３７８】
アクセス権限変更指示データを受信したアクセス権限データ管理ＤＢ装置２９５２は，アクセス権限変更指示データに応じて，アクセス権限データを更新する（Ｓ２４８６）と，アクセス権限データ管理ＤＢ装置２９５２は，アクセス権限変更完了を示す完了通知データを非公開用ＷＷＷ装置２９５０に送信する（Ｓ２４８７）。
【０３７９】
完了通知データを受信した非公開用ＷＷＷ装置２９５０は，アクセス権限変更完了を示す完了通知画面を端末装置２３５２のディスプレイ装置に表示させる（Ｓ２４８８）。
【０３８０】
（４．２．１０  アクセス権限削除処理）
次に，図６９を参照しながら，指定したディレクトリ対して設定されたグループ２３５４または端末装置２３５２のアクセス権限削除処理について説明する。なお図６９は，アクセス権限変更処理の概略を示すフローチャートであり，図１８は，アクセス権限削除処理の際に，端末装置２３５２のディスプレイ装置に示される画面構成例である。
【０３８１】
すでに説明したように，端末装置２３５２により，ツリー表示部７５０に表示される指定されたディレクトリに対するアクセス権限削除処理をする場合，図１３に示す，アクセス権限変更ボタン７７１がマウスのクリックなどで選択されると，図１４に示す，非公開用ＷＷＷ装置２９５０によりアクセス権限を変更する対象のグループ２３５４または端末装置２３５２一覧画面が端末装置２３５２のディスプレイ装置に表示される。
【０３８２】
次に，図１４に示すように，端末装置により，アクセス権限を削除するグループ２３５４または端末装置２３５２が「アクセスグループ名」，「アクセスユーザ名」欄からマウスのクリックなどで選択される（Ｓ２４８９）と，図１８に示す，指定されたグループ２３５４または端末装置２３５２のアクセス権限を削除するための画面が端末装置２３５２のディスプレイ装置に表示される（Ｓ２４９１）。
【０３８３】
端末装置２３５２により，図１８に示す，アクセス権限を削除するグループ２３５４がグループ権限変更部６０に示される。なお，図１８に示すのは，グループ２３５４のアクセス権限を削除する画面の場合であるが，端末装置２３５２のアクセス権限を削除する場合も，グループ２３５４と同様の構成である。
【０３８４】
次に，図１８に示す削除ボタン６３が選択されると，端末装置２３５２は，上記アクセス権限の削除対象グループ２３５４の内容が指定されたアクセス権限削除指示データを非公開用ＷＷＷ装置２９５０に送信する（Ｓ２４９２）。
【０３８５】
アクセス権限削除指示データを受信すると，非公開用アクセス制御装置２９４８の指示のもと，非公開用ＷＷＷ装置２９５０は，端末装置２３５２に属するユーザのＩＤおよびアクセス権限データから，当該アクセス権限削除指示データの正当性を確認後，受信したアクセス権限削除指示データ内容に基づいて，アクセス権限削除指示データをアクセス権限データ管理ＤＢ装置２９５２に送信する（Ｓ２４９３）。
【０３８６】
アクセス権限削除指示データを受信したアクセス権限データ管理ＤＢ装置２９５２は，アクセス権限削除指示データに応じて，アクセス権限データを更新する（Ｓ２４９４）と，アクセス権限データ管理ＤＢ装置２９５２は，アクセス権限削除完了を示す完了通知データを非公開用ＷＷＷ装置２９５０に送信する（Ｓ２４９５）。
【０３８７】
完了通知データを受信した非公開用ＷＷＷ装置２９５０は，アクセス権限削除完了を示す完了通知画面を端末装置２３５２のディスプレイ装置に表示させる（Ｓ２４９６）。
【０３８８】
（４．２．１１  コメント参照表示処理）
次に，図７０を参照しながら，コメント参照表示処理について説明する。なお図７０は，コメント参照表示処理の概略を示すフローチャートであり，図３５は，コメント参照表示処理の際に，端末装置２３５２のディスプレイ装置に示される画面構成例である。
【０３８９】
すでに説明したように，ディレクトリおよびファイルデータに付属するコメントデータの内容を参照する場合は，図１３に示すように，コメント参照マーク７６８がマウスのクリックなどで選択される（Ｓ２４９７）。なお，他の画面に表示されるコメント参照マーク７６８についても同様の構成である。
【０３９０】
コメント参照マーク７６８が選択されることにより，非公開用ＷＷＷ装置２９５０は，非公開用アクセス制御装置２９４８の指示のもと，非公開用ＷＷＷ装置２９５０は，端末装置２３５２に属するユーザのＩＤおよびアクセス権限データから，当該アクセス権限削除指示データの正当性を確認後，指定されたコメントデータが属するファイルデータのファイル名またはディレクトリのディレクトリ名をアクセス権限データ管理ＤＢ装置２９５２に問い合わせる（Ｓ２４９８）。
【０３９１】
アクセス権限データ管理ＤＢ装置２９５２は，上記問い合わせのあったファイル名またはディレクトリ名を照会して，ファイル名またはディレクトリ名に付属するコメントデータ取得のための照会情報データを非公開用ＷＷＷ装置２９５０に送信する（Ｓ２４９９）。
【０３９２】
上記照会情報データを受信後，非公開用ＷＷＷ装置２９５０は，受信した照会情報データから，指定されたディレクトリまたはファイルデータに付属するコメントデータをストレージ装置２９４６から取得する（Ｓ２５００）。
【０３９３】
取得したコメントデータを，非公開用ＷＷＷ装置２９５０は，図３５に示すように，「参照コメントデータ」画面を，端末装置２５３２のディスプレイ装置に表示する（Ｓ２５０１）。
【０３９４】
なお，本実施の形態では，コメントデータの内容を参照可能なのは，端末装置２３５２がアクセス可能なストレージ装置２９４６の非公開記憶領域内に格納されるディレクトリまたはファイルデータに付属するコメントデータのうち，当該端末装置２３５２に，読み出し権限（ｒｅａｄ権限）が与えられているコメントデータに対してコメントデータの内容が参照可能である。
【０３９５】
（４．２．１２  コメント追加処理）
次に，図７１を参照しながら，コメント追加処理について説明する。なお図７１は，コメント追加処理の概略を示すフローチャートであり，図３６は，コメント追加処理の際に，端末装置２３５２のディスプレイ装置に示される画面構成例である。
【０３９６】
すでに説明したように，ディレクトリおよびファイルデータに付属するコメントデータの内容を追加する場合は，図１３に示すように，コメント更新マーク７７０がマウスのクリックなどで選択されると，図３６に示すように，「更新コメントデータ」画面が表示される。なお，他の画面に表示されるコメント更新マーク７７０についても同様である。
【０３９７】
次に，図３６に示す「更新コメントデータ」画面のコメント追加設定部１９８１に，コメントデータに更に追加するコメントデータの内容が，端末装置２３５２のキーボード装置などにより設定される（Ｓ３００２）。
【０３９８】
コメント追加設定部１９８１にコメントデータの内容が設定されて，図３６に示す，実行ボタン１９８２がマウスのクリックなどで選択される（Ｓ３００４）。
【０３９９】
実行ボタン１９８２が選択されると，非公開用ＷＷＷ装置２９５０は，非公開用アクセス制御装置２９４８の指示のもと，端末装置２３５２に属するユーザのＩＤおよびアクセス権限データから，当該アクセス権限削除指示データの正当性を確認後，当該追加されるコメントデータに属するファイルデータのファイル名またはディレクトリのディレクトリ名をアクセス権限データ管理ＤＢ装置２９５２に問い合わせる（Ｓ３００６）。
【０４００】
アクセス権限データ管理ＤＢ装置２９５２は，上記問い合わせのあったファイル名またはディレクトリ名を照会して，ファイル名またはディレクトリ名に付属するコメントデータ取得のための照会情報データを非公開用ＷＷＷ装置２９５０に送信する（Ｓ３００８）。
【０４０１】
上記照会情報データを受信後，非公開用ＷＷＷ装置２９５０は，受信した照会情報データから，ストレージ装置２９４６へアクセスして，指定されたディレクトリまたはファイルデータに付属するコメントデータを取得して設定されたコメントデータの内容を追加処理する（Ｓ３０１０）。
【０４０２】
追加処理終了後，非公開用ＷＷＷ装置２９５０は，コメント追加完了を示す完了通知画面を端末装置２３５２のディスプレイ装置に表示させる（Ｓ３０１２）。
【０４０３】
なお，本実施の形態では，コメントデータの内容に追加処理可能なのは，端末装置２３５２がアクセス可能なストレージ装置２９４６の非公開記憶領域内に格納されるディレクトリまたはファイルデータに付属するコメントデータのうち，当該端末装置２３５２に，コメント変更権限が与えられているコメントデータに対してコメントデータの内容にコメント追加処理可能である。
【０４０４】
さらに，コメントデータのコメント追加処理に必要なアクセス権限であるコメント変更権限と，コメントデータが属するファイルデータおよびディレクトリに対して削除またはコピーなどの処理に必要なアクセス権限とは，権限が違うため，コメントデータ，コメントデータが属するファイルデータおよびディレクトリを分けて管理することが可能である。
【０４０５】
（４．３  承認回覧処理）
次に，端末装置２３５２からの要求によりセンタサーバ２３５０に保存された映像コンテンツデータを端末装置２３５２が属するグループ２３５４内の他の端末装置２３５２へ承認回覧する承認回覧処理について説明する。
【０４０６】
（４．３．１  承認回覧要求処理）
まず，図７２を参照しながら，他の端末装置２３５２へ承認回覧を要求する承認回覧要求処理について説明する。なお図７２は，承認回覧要求処理の概略を示すフローチャートであり，図３０は，承認回覧要求処理の際に，端末装置２３５２のディスプレイ装置に示される画面構成例である。
【０４０７】
すでに説明したように，他の端末装置２３５２に指定した映像コンテンツデータを承認回覧する場合，図１３に示すように，端末装置２３５２ａにより，承認回覧処理をする映像コンテンツデータがチェックボックス７６９にマウスのクリックなどで選択される。なお，映像コンテンツデータは，１または２以上選択されて承認回覧することが可能である。
【０４０８】
次に，図１３に示すように，様々なアイコンから構成されるボタングループ７５４に存在する承認回覧要求ボタン７６４をマウスのクリックなどで選択される（Ｓ２５０７）と，非公開用ＷＷＷ装置２９５０により，図３０に示す，回覧先である端末装置２３５２を指定する「承認回覧要求」起票画面が，端末装置２３５２のディスプレイ装置に表示される（Ｓ２５０９）。
【０４０９】
図３０に示す，回覧先である端末装置２３５２が回覧ルート表示６５４から選択されて，実行ボタン６５１がマウスのクリックなどで選択されることにより，承認回覧要求元である端末装置２３５２ａは，上記承認回覧要求された回覧ルート先および映像コンテンツデータが設定された承認回覧要求指示データを非公開用ＷＷＷ装置２９５０に送信する（Ｓ２５１１）。
【０４１０】
上記承認回覧要求指示データを受信した非公開用ＷＷＷ装置２９５０は，非公開用アクセス制御装置２９４８の指示のもと，承認回覧要求先および要求元の端末装置２３５２に属するユーザのＩＤおよびアクセス権限データから，当該承認回覧要求指示データの正当性を確認後，当該承認回覧要求指示データを，承認回覧処理装置２９５５に送信する（Ｓ２５１３）。
【０４１１】
承認回覧処理装置２９５５は，受信した承認回覧要求指示データに応じて，ストレージ装置２９４６に承認回覧要求された映像コンテンツデータに付属する閲覧承認回覧コメントデータの更新を行う（Ｓ２５１４）。
【０４１２】
また，承認回覧処理装置２９５５は，受信した承認回覧要求指示データに応じて，アクセス権限データ管理ＤＢ装置２９５２にアクセス権限データの更新要求を行い，処理終了確認後，承認回覧要求処理完了を示す完了通知データを非公開用ＷＷＷ装置２９５０に送信する（Ｓ２５１５）。
【０４１３】
上記完了通知データを受信後，非公開用ＷＷＷ装置２９５０は，承認回覧要求完了を示す完了通知画面を端末装置２３５２ａのディスプレイ装置に表示させて，上記完了通知データに基づき作成された承認回覧要求通知データを通知装置２９４５に送信する（Ｓ２５１７）。
【０４１４】
承認回覧要求通知データを受信した通知装置２９４５は，承認回覧の要求がある旨の情報を作成して，回覧先である端末装置２３５２ｎへ，電子メールなどの通知メールを送信する（Ｓ２５１９）。
【０４１５】
なお，本実施の形態では，移動先のディレクトリとして指定可能なのは，端末装置２３５２がアクセス可能なストレージ装置２９４６の非公開記憶領域内に格納される映像コンテンツデータのうち，当該承認回覧要求元および要求先の端末装置２３５２に書き込み権限（ｗｒｉｔｅ権限）が与えられている映像コンテンツデータが指定可能である。
【０４１６】
（４．３．２  承認回覧確認処理）
次に，図７３を参照しながら，端末装置２３５２が，承認回覧の要求がされた映像コンテンツデータを確認する承認回覧確認処理について説明する。なお図７３は，承認回覧確認処理の概略を示すフローチャートであり，図７４は，承認回覧確認処理の際に，端末装置２３５２のディスプレイ装置に示される画面構成例である。
【０４１７】
すでに説明したように，要求元の端末装置２３５２ａから承認回覧の要求がされた場合，図３４に示すように，回覧先の端末装置２３５２ｎのディスプレイ装置には，承認回覧の要求がされた受信データの一覧が受信一覧部１７２４に表示される。端末装置２３５２ｎにより，受信一覧部１７２４に表示される「ファイル名」の映像コンテンツデータのファイル名から，目的のファイル名がマウスのクリックなどで選択されると，端末装置２３５２ｎは，上記選択された映像コンテンツデータのファイル名などが設定された承認回覧確認指示データを非公開用ＷＷＷ装置２９５０に送信する（Ｓ２５２１）。
【０４１８】
承認回覧確認指示データを受信後，非公開用ＷＷＷ装置２９５０は，非公開用アクセス制御装置２９４８の指示のもと，端末装置２３５２に属するユーザのＩＤおよびアクセス権限データから，当該アクセス権限削除指示データの正当性を確認して，選択された映像コンテンツデータのファイル名をアクセス権限データ管理ＤＢ装置２９５２に照会する。照会結果に基づき，選択された映像コンテンツデータをストレージ装置２９４６から取得して，図７４に示す，取得した映像コンテンツデータの「映像コンテンツ確認」画面を，端末装置２５３２のディスプレイ装置に表示させる（Ｓ２５２３）。
【０４１９】
ここで，図７４を参照しながら，「映像コンテンツ確認」画面について説明をすると，「映像コンテンツ確認」画面は，映像が表示されるモニタ部２３６１と，映像コンテンツデータの開始から終了まで再生する時間の長さを表すスライド部２３６２と，映像コンテンツデータの再生の進捗状況を表すガイド２３６３と，目印２３６４とから構成される。
【０４２０】
図７４に示すように，「再生」ボタンがマウスのクリックなどで選択されると，映像が再生開始されて，ガイド２３６３もスライド部２３６２上に沿って，開始と同時に右方向へ刻々と進行する。
【０４２１】
映像が再生される間に，気になるフレームであるカットが出現すると，「停止」ボタンが選択されることで，上記気になるカットがモニタ部に表示された状態で停止する。この状態で，図７４に示すように，スライド部２３６２上が，マウスのクリックなどで選択されると目印２３６４が設定されて，上記カットに関連するコメントを映像コンテンツデータに属するコメントデータに設定することができる。
【０４２２】
また，ガイド２３６３が，設定された目印２３６４の個所に移動した際に，マウスのクリックなどで選択されると，目印２３６４における画面がモニタ部２３６１に表示されたまま停止して，上記コメントを設定したコメントデータの内容が表示される。
【０４２３】
上記目印２３６４により，他の端末装置が確認する際に，動画などの映像コンテンツデータのフレームに関連するコメントを表示させることが容易となり，コメントに対する対応なども正確に把握できる。なお，本実施の形態では，かかる例に限定されず，目印２３６４が選択されると，ガイド２３６３は直接目印２３６４にスライドして，目印２３６４における画面をモニタ部に２３６１に表示させることなども実施可能である。
【０４２４】
（４．３．３  承認回覧結果処理）
上記映像コンテンツデータの確認の結果，承認回覧要求元の端末装置２３５２ａに対して，承認または拒否などの確認の結果をする場合，端末装置２３５２ｎにより，図３４に示す，閲覧承認回覧コメント更新マーク１７２６がマウスのクリックなどで選択されることにより，図３１に示す，「承認回覧要求結果」画面が表示される。
【０４２５】
図３１に示すように，要求先である端末装置２３５２ｎにより，前回覧コメント設定部１９７２または次回覧コメント部１９７３に必要に応じてコメントが設定されて，承認結果として承認ボタン１９７４または拒否ボタン１９７５が選択されると，端末装置２３５２ｎは，上記必要に応じて設定されたコメントおよび承認結果が設定された承認回覧結果指示データを非公開用ＷＷＷ装置２９５０に送信する（Ｓ２５２５）。
【０４２６】
上記承認回覧結果指示データを受信した非公開用ＷＷＷ装置２９５０は，非公開用アクセス制御装置２９４８の指示のもと，承認回覧要求先の端末装置２３５２に属するユーザのＩＤおよびアクセス権限データから，当該承認回覧結果指示データの正当性を確認後，当該承認回覧結果データを，承認回覧処理装置２９５５に送信する（Ｓ２５２７）。
【０４２７】
承認回覧処理装置２９５５は，受信した承認回覧結果指示データに応じて，ストレージ装置２９４６に承認回覧結果指示データ設定されたコメントを映像コンテンツデータに付属する閲覧承認回覧コメントデータの更新を行う（Ｓ２５２８）。
【０４２８】
また，承認回覧処理装置２９５５は，受信した承認回覧結果指示データに応じて，アクセス権限データ管理ＤＢ装置２９５２にアクセス権限データの更新要求を行い，処理終了確認後，承認回覧結果処理完了を示す完了通知データを非公開用ＷＷＷ装置２９５０に送信する（Ｓ２５２９）。
【０４２９】
上記完了通知データを受信後，非公開用ＷＷＷ装置２９５０は，承認回覧結果完了を示す完了通知画面を端末装置２３５２ｎのディスプレイ装置に表示させて，上記完了通知データに基づき作成された承認回覧結果通知データを通知装置２９４５に送信する（Ｓ２５３１）。
【０４３０】
承認回覧結果通知データを受信した通知装置２９４５は，承認回覧の要求がある旨の情報を作成して，次の回覧先である端末装置２３５２ｇへ電子メールなどの通知メールの送信を行い，および端末装置ｎの承認回覧結果が記された情報を作成して，要求元である端末装置２３５２ａに，電子メールなどの通知メールの送信を行う（Ｓ２５３３）。
【０４３１】
なお，本実施の形態にかかる上記承認回覧結果が記された通知メールの送信先は，承認回覧要求元である端末装置２３５２に送信される場合を例にあげたが，本実施の形態はかかる例に限定されない。例えば，承認回覧結果処理が行われた端末装置２３５２よりも回覧順番前である端末装置２３５２全てに対して通知メールを送信することも実施可能である。
【０４３２】
（４．４  カットリスト作成処理）
次に，テレビＣＭなどの，映像コンテンツの場面の一覧表（映像コンテンツ場面一覧）であるカットリスト作成処理について説明する。
【０４３３】
（４．４．１  カットリストのテンプレートデータ作成処理）
まず，図７５を参照しながら，カットリストのテンプレートデータ作成処理について説明する。なお図７５は，カットリストのテンプレートデータ作成処理の概略を示すフローチャートであり，図４２は，カットリストのテンプレートデータ作成処理の際に，端末装置２３５２のディスプレイ装置に示される画面構成例である。
【０４３４】
すでに説明したように，端末装置２３５２により，指定された映像コンテンツデータからカットリストのテンプレートデータを作成する場合，図４２に示すように，新規にカットリストのテンプレートデータを保存する格納先ディレクトリと，テンプレートデータを作成する作成元の映像コンテンツデータおよび作成元の映像コンテンツデータを編集処理時に作成されるＥＤＬファイルデータ（編集情報データ）がそれぞれ選択されて，テンプレート作成処理開始の「実行」ボタンがマウスのクリックなどで選択される。
【０４３５】
ＥＤＬファイルデータは，映像コンテンツデータの編集時に作成されて，映像コンテンツデータの場面，フレームなどの編集位置（存在位置）や，各場面の編集時間の情報などから構成される編集情報データである。
【０４３６】
上記「実行」ボタンが選択されると，端末装置２３５２は，上記映像コンテンツデータ，格納先ディレクトリ，およびＥＤＬファイルデータの内容が設定されたテンプレートデータ作成指示データを非公開用ＷＷＷ装置２９５０に送信する（Ｓ２３４０）。
【０４３７】
テンプレートデータ作成指示データを受信すると，非公開用アクセス制御装置２９４８の指示のもと，非公開用ＷＷＷ装置２９５０は，端末装置２３５２に属するユーザのＩＤおよびアクセス権限データから，当該テンプレートデータ作成指示データの正当性を確認後，受信したテンプレートデータ作成指示データ内容に基づいて，アクセス権限変更指示データをアクセス権限データ管理ＤＢ装置２９５２に送信する（Ｓ２３４１）。
【０４３８】
アクセス権限変更指示データを受信したアクセス権限データ管理ＤＢ装置２９５２は，アクセス権限変更指示データに応じて，アクセス権限データを更新すると，アクセス権限データ管理ＤＢ装置２９５２は，アクセス権限変更完了を示す完了通知データを非公開用ＷＷＷ装置２９５０に送信する（Ｓ２３４２）。
【０４３９】
完了通知データを受信した非公開用ＷＷＷ装置２９５０は，テンプレートデータ作成の指示をするため，カットリスト作成装置２９５３にテンプレートデータ作成指示データを送信する（Ｓ２３４３）。
【０４４０】
次に，テンプレートデータ作成指示データを受信したカットリスト作成装置２９５３は，テンプレートデータ作成指示データに設定された映像コンテンツデータおよびＥＤＬファイルデータをストレージ装置２９４６から取得して，各場面を代表する画面（カット）が抽出されたカットリストのテンプレートデータの作成およびテンプレートデータを編集するためのＸＭＬ（ｅＸｔｅｎｓｉｂｌｅ  Ｍａｒｋｕｐ  Ｌａｎｇｕａｇｅ）ファイルデータの作成を行い格納先ディレクトリにテンプレートデータおよびＸＭＬファイルデータの格納処理を行い，格納処理終了後，テンプレートデータを含むテンプレートデータ作成処理完了を示すテンプレート表示データを非公開用ＷＷＷ装置２９５０に送信する（Ｓ２３４４）。
【０４４１】
テンプレート表示データを受信した非公開用ＷＷＷ装置２９５０は，作成されたテンプレートデータが表示された，図４４に示す「カットリストのテンプレートデータ」画面を端末装置２３５２のディスプレイ装置に表示させる（Ｓ２３４５）。
【０４４２】
（４．４．２  カットリストのテンプレートデータ編集処理）
次に，図７５を参照しながら，作成されたテンプレートデータを統合，分割，または代表画変更する各種編集処理について説明をする。
【０４４３】
（４．４．２．１  テンプレートデータ統合処理）
すでに説明したように，既存のテンプレートデータまたは新規に作成されたテンプレートデータは，図４４に示すように，テンプレートデータ編集画面が端末装置２３５２のディスプレイ装置に表示されて，２場面を１場面に統合する統合処理を行う該当場面の「カット尺数」に表示される「変更」ボタンが選択されると，図４５に示す「カットリストのテンプレートデータ編集選択」画面が表示される。
【０４４４】
「カットリストのテンプレートデータ編集選択」画面から「カットの統合」を選択後，「実行」ボタンが選択されると，図７５に示すように，端末装置２３５２は，上記編集を行うテンプレートデータのファイル名，統合する場面「Ｎｏ」，および統合処理の処理名などが設定されたテンプレートデータ統合指示データを非公開用ＷＷＷ装置２９５０に送信する（Ｓ２３４６）。
【０４４５】
テンプレートデータ統合指示データを受信すると，非公開用アクセス制御装置２９４８の指示のもと，非公開用ＷＷＷ装置２９５０は，端末装置２３５２に属するユーザのＩＤおよびアクセス権限データから，当該テンプレートデータ統合指示データの正当性を確認後，受信したテンプレートデータ統合指示データ内容に基づいて，アクセス権限変更指示データをアクセス権限データ管理ＤＢ装置２９５２に送信する（Ｓ２３４７）。
【０４４６】
アクセス権限変更指示データを受信したアクセス権限データ管理ＤＢ装置２９５２は，アクセス権限変更指示データに応じて，アクセス権限データを更新すると，アクセス権限データ管理ＤＢ装置２９５２は，アクセス権限変更完了を示す完了通知データを非公開用ＷＷＷ装置２９５０に送信する（Ｓ２３４８）。
【０４４７】
完了通知データを受信した非公開用ＷＷＷ装置２９５０は，テンプレートデータ統合処理の指示をするため，カットリスト作成装置２９５３にテンプレートデータ統合指示データを送信する（Ｓ２３４９）。
【０４４８】
次に，テンプレートデータ統合指示データを受信したカットリスト作成装置２９５３は，テンプレートデータ統合指示データに設定されたテンプレートデータおよびＸＭＬファイルデータをストレージ装置２９４６から取得して，設定された統合する場面「Ｎｏ」およびＸＭＬファイルデータの場面の編集位置，編集時間情報などに基づいて，代表画の２画面を１画面に統合およびカット尺数などの付属情報の編集から構成される統合処理を行い，処理終了後，統合処理結果のテンプレートデータを含むテンプレートデータ統合処理完了を示すテンプレート編集表示データを非公開用ＷＷＷ装置２９５０に送信する（Ｓ２３５５）。
【０４４９】
テンプレート編集表示データを受信した非公開用ＷＷＷ装置２９５０は，図４４に示す，統合処理が反映されたテンプレートデータの「カットリストのテンプレートデータ」画面を端末装置２３５２のディスプレイ装置に表示させる（Ｓ２３５６）。
【０４５０】
（４．４．２．２  テンプレートデータ分割処理）
すでに説明したように，既存のテンプレートデータまたは新規に作成されたテンプレートデータは，図４４に示すように，テンプレートデータ編集画面が端末装置２３５２のディスプレイ装置に表示されて，１場面を２場面に分割する分割処理を行う該当場面の「カット尺数」に表示される「変更」ボタンが選択されると，図４５に示す「カットリストのテンプレートデータ編集選択」画面が表示される。
【０４５１】
「カットリストのテンプレートデータ編集選択」画面から「カットの分割」を選択後，「実行」ボタンが選択されると，図４８に示すように，「カットリストのテンプレートデータ分割編集」画面が表示される。２場面に分割を行いたい分割開始フレーム（新規Ｉｎ点）が，分割選択部２１６０または分割選択部２１６１から選択されて，「カットを分割して閉じる」ボタンが選択されると，図７５に示すように，端末装置２３５２は，上記編集を行うテンプレートデータのファイル名，分割編集する新規Ｉｎ点の分割位置，および分割処理の処理名などが設定されたテンプレートデータ分割指示データを非公開用ＷＷＷ装置２９５０に送信する（Ｓ２３４６）。
【０４５２】
テンプレートデータ分割指示データを受信すると，非公開用アクセス制御装置２９４８の指示のもと，非公開用ＷＷＷ装置２９５０は，端末装置２３５２に属するユーザのＩＤおよびアクセス権限データから，当該テンプレートデータ分割指示データの正当性を確認後，受信したテンプレートデータ分割指示データ内容に基づいて，アクセス権限変更指示データをアクセス権限データ管理ＤＢ装置２９５２に送信する（Ｓ２３４７）。
【０４５３】
アクセス権限変更指示データを受信したアクセス権限データ管理ＤＢ装置２９５２は，アクセス権限変更指示データに応じて，アクセス権限データを更新すると，アクセス権限データ管理ＤＢ装置２９５２は，アクセス権限変更完了を示す完了通知データを非公開用ＷＷＷ装置２９５０に送信する（Ｓ２３４８）。
【０４５４】
完了通知データを受信した非公開用ＷＷＷ装置２９５０は，テンプレートデータ分割処理の指示をするため，カットリスト作成装置２９５３にテンプレートデータ分割指示データを送信する（Ｓ２３４９）。
【０４５５】
次に，テンプレートデータ分割指示データを受信したカットリスト作成装置２９５３は，テンプレートデータ分割指示データに設定されたテンプレートデータおよびＸＭＬファイルデータをストレージ装置２９４６から取得して，設定された分割する場面のフレームの編集位置およびＸＭＬファイルデータの場面のフレームの編集位置および編集時間情報などに基づいて，設定された分割位置から分割後の２画面の代表画抽出およびカット尺数などの付属情報の編集から構成される分割処理を行い，処理終了後，分割処理結果のテンプレートデータを含むテンプレートデータ統合処理完了を示すテンプレート編集表示データを非公開用ＷＷＷ装置２９５０に送信する（Ｓ２３５５）。
【０４５６】
テンプレート編集表示データを受信した非公開用ＷＷＷ装置２９５０は，図４４に示す，分割処理が反映されたテンプレートデータの「カットリストのテンプレートデータ」画面を，端末装置２３５２のディスプレイ装置に表示させる（Ｓ２３５６）。
【０４５７】
（４．４．２．３  テンプレートデータ代表画変更処理）
すでに説明したように，既存のテンプレートデータまたは新規に作成されたテンプレートデータは，図４４に示すように，テンプレートデータ編集画面が端末装置２３５２のディスプレイ装置に表示されて，１場面を２場面に分割する分割処理を行う該当場面の「カット尺数」に表示される「変更」ボタンが選択されると，図４５に示す「カットリストのテンプレートデータ編集選択」画面が表示される。
【０４５８】
「カットリストのテンプレートデータ編集選択」画面から「代表画の変更」を選択後，「実行」ボタンが選択されると，図４７に示すように，「カットリストのテンプレートデータ代表画変更」画面が表示される。
【０４５９】
場面ごとに表示された各フレームの代表画の画像を他の別の画像に変更する場合，図４７に示す，「新規代表画」に表示される画像が，変更後の代表画を表示している。上記「新規代表画」は，代表画選択部２１５０または代表画選択部２１５１の内から選択される。
【０４６０】
「新規代表画」に画像が選択されて，「代表画を変更して閉じる」ボタンが選択されると，図７５に示すように，端末装置２３５２は，上記編集を行うテンプレートデータのファイル名，代表画変更する新規代表画の編集位置，および代表画変更処理の処理名などが設定されたテンプレートデータ変更指示データを非公開用ＷＷＷ装置２９５０に送信する（Ｓ２３４６）。
【０４６１】
テンプレートデータ変更指示データを受信すると，非公開用アクセス制御装置２９４８の指示のもと，非公開用ＷＷＷ装置２９５０は，端末装置２３５２に属するユーザのＩＤおよびアクセス権限データから，当該テンプレートデータ変更指示データの正当性を確認後，受信したテンプレートデータ変更指示データ内容に基づいて，アクセス権限変更指示データをアクセス権限データ管理ＤＢ装置２９５２に送信する（Ｓ２３４７）。
【０４６２】
アクセス権限変更指示データを受信したアクセス権限データ管理ＤＢ装置２９５２は，アクセス権限変更指示データに応じて，アクセス権限データを更新すると，アクセス権限データ管理ＤＢ装置２９５２は，アクセス権限変更完了を示す完了通知データを非公開用ＷＷＷ装置２９５０に送信する（Ｓ２３４８）。
【０４６３】
完了通知データを受信した非公開用ＷＷＷ装置２９５０は，テンプレートデータ変更処理の指示をするため，カットリスト作成装置２９５３にテンプレートデータ変更指示データを送信する（Ｓ２３４９）。
【０４６４】
次に，テンプレートデータ変更指示データを受信したカットリスト作成装置２９５３は，テンプレートデータ変更指示データに設定されたテンプレートデータおよびＸＭＬファイルデータをストレージ装置２９４６から取得して，設定された変更された代表画のフレームの編集位置およびＸＭＬファイルデータのフレームの編集位置および編集時間情報などに基づいて，設定された変更後の代表画の抽出などから構成される代表画変更処理を行い，処理終了後，代表画変更処理結果のテンプレートデータを含むテンプレートデータ変更処理完了を示すテンプレート編集表示データを非公開用ＷＷＷ装置２９５０に送信する（Ｓ２３５５）。
【０４６５】
テンプレート編集表示データを受信した非公開用ＷＷＷ装置２９５０は，図４４に示す，代表画変更処理が反映されたテンプレートデータの「カットリストのテンプレートデータ」画面を，端末装置２３５２のディスプレイ装置に表示させる（Ｓ２３５６）。
【０４６６】
なお，本実施の形態にかかるＸＭＬファイルデータを使用することによりテンプレートデータの編集処理を行う場合を例にあげたが，本実施の形態では，かかる例に限定されず，ＥＤＬファイルデータなどの編集情報データを使用する場合などでも実施可能である。
【０４６７】
（４．４．２．４  映像コンテンツ閲覧データ変換処理）
すでに説明したように，既存のテンプレートデータまたは新規に作成されたテンプレートデータは，変換処理により，図５０に示す「カットリストプレビュー」画面に表示される，印刷媒体などに出力可能な映像コンテンツ閲覧データに変換することができる。
【０４６８】
まず，映像コンテンツ閲覧データに変換する場合，図４４に示す，「出力形式の選択」ボタンが選択されることにより，図４９に示す，「カットリスト出力形式」画面が表示される。
【０４６９】
図４９に示すように，目的の映像コンテンツ閲覧データであるＰＤＦデータのレイアウトが選択されて，「ＰＤＦでのプレビュー」ボタンが選択されると，図７５に示すように，端末装置２３５２は，上記変換処理を行うテンプレートデータのファイル名，選択されたレイアウトなどが設定されたテンプレートデータ変換指示データを非公開用ＷＷＷ装置２９５０に送信する（Ｓ２３４６）。
【０４７０】
テンプレートデータ変換指示データを受信すると，非公開用アクセス制御装置２９４８の指示のもと，非公開用ＷＷＷ装置２９５０は，端末装置２３５２に属するユーザのＩＤおよびアクセス権限データから，当該テンプレートデータ変換指示データの正当性を確認後，受信したテンプレートデータ変換指示データ内容に基づいて，アクセス権限変更指示データをアクセス権限データ管理ＤＢ装置２９５２に送信する（Ｓ２３４７）。
【０４７１】
アクセス権限変更指示データを受信したアクセス権限データ管理ＤＢ装置２９５２は，アクセス権限変更指示データに応じて，アクセス権限データを更新すると，アクセス権限データ管理ＤＢ装置２９５２は，アクセス権限変更完了を示す完了通知データを非公開用ＷＷＷ装置２９５０に送信する（Ｓ２３４８）。
【０４７２】
完了通知データを受信した非公開用ＷＷＷ装置２９５０は，テンプレートデータ変換処理の指示をするため，カットリスト作成装置２９５３にテンプレートデータ変換指示データを送信する（Ｓ２３４９）。
【０４７３】
次に，テンプレートデータ変換指示データを受信したカットリスト作成装置２９５３は，テンプレートデータ変換指示データに設定されたテンプレートデータをストレージ装置２９４６から取得して，設定されたレイアウトの内容に基づき，ＰＤＦデータ変換処理を行い，処理終了後，変換処理結果のＰＤＦデータを含むＰＤＦデータ変換処理完了を示す編集表示データを非公開用ＷＷＷ装置２９５０に送信する（Ｓ２３５５）。
【０４７４】
編集表示データを受信した非公開用ＷＷＷ装置２９５０は，図５０に示す，ＰＤＦデータの「カットリストプレビュー」画面を，端末装置２３５２のディスプレイ装置に表示させる（Ｓ２３５６）。
【０４７５】
なお，本実施の形態にかかるテンプレートデータから変換される映像コンテンツ閲覧データとしてＰＤＦデータが変換される場合を例にあげたが，本実施の形態では，かかる例に限定されず，ＨＴＭＬデータなど，他のデータ形式の場合などでも実施可能である。
【０４７６】
（４．５  エンコーディング処理）
次に，センタサーバ２３５０に格納された動画像音声データなどの映像コンテンツデータのフォーマットを，他のフォーマットへ変換するエンコーディング処理について説明する。
【０４７７】
（４．５．１  エンコーディング新規登録処理）
まず，図７６を参照しながら，エンコーディング新規登録処理について説明する。なお図７６は，エンコーディング新規登録処理の概略を示すフローチャートであり，図５３は，エンコーディング新規登録処理の際に，端末装置２３５２のディスプレイ装置に示される画面構成例である。
【０４７８】
すでに説明したように，端末装置２３５２により，センタサーバ２３５０に格納された映像コンテンツデータのフォーマットを他のフォーマット形式に変換する場合，図５３に示すように，変換元である映像コンテンツデータのファイル名と，エンコーディング終了後の映像コンテンツデータのファイル名と，映像コンテンツデータを保存する格納先ディレクトリと，変換するフォーマット形式とがそれぞれ選択されて，エンコーディング処理開始の「実行」ボタンがマウスのクリックなどで選択されると，図７６に示すように，端末装置２３５２は，上記エンコーディングを行う映像コンテンツデータのファイル名，変換処理後のファイル名，変換処理後の格納先ディレクトリ，変換処理後のフォーマットなどが設定されたエンコーディング新規指示データをフォーマット変換ＷＷＷ装置２３３０に送信する（Ｓ２５３５）。
【０４７９】
エンコーディング新規指示データを受信すると，フォーマット変換ＷＷＷ装置２３３０は，新規要求元の端末装置２３５２に属するユーザのＩＤおよびアクセス権限データから，当該エンコーディング新規指示データの正当性を確認後，受信したエンコーディング新規指示データの内容をフォーマット変換管理ＤＢ装置２３３２に送信する（Ｓ２５３７）。
【０４８０】
エンコーディング新規指示データを受信したフォーマット変換管理ＤＢ装置２３３２は，図７に示すように，エンコーディング新規指示データの内容に基づき情報２３１を作成して，新規注文として注文テーブル記憶領域２３２２に情報２３１の登録処理を行う（Ｓ２５３９）。
【０４８１】
なお，情報２３１には，フォーマット変換管理ＤＢ装置２３３２により算出されたフォーマット変換処理が終了する完成予想時間が含まれる。完成予想時間は，選択された映像コンテンツデータに有するデータ容量，ｄｕｒａｔｉｏｎ（映像時間）などの付属情報，またはエンコーディング処理装置２３３１の処理能力などにより算出される。
【０４８２】
次に，エンコーディング処理装置２３３１は，上記登録処理により新規注文である情報２３１が登録されたのを探知すると，図６に示すように，上記情報２３１の内容に基づき，情報２３０を作成して，排他テーブル記憶領域２３２３に情報２３１の登録処理を行う（Ｓ２５４１）。
【０４８３】
上記登録処理終了後，エンコーディング処理装置２３３１は，ストレージ装置２９４６からフォーマット変換する該当の映像コンテンツデータを取得して，フォーマット変換処理を開始する（Ｓ２５４５）。
【０４８４】
図５，図６，および図７に示す，ジョブ番号はエンコーディングの変換処理を特定するキーとなる番号である。したがって，排他テーブル記憶領域に，同じジョブ番号が複数存在することはできないため，１の情報２３１に該当する映像コンテンツデータのフォーマット変換処理は，１のエンコーディング処理装置２３３１により排他的に処理される。
【０４８５】
例として，図７に示すように，情報２３１−２が新規に登録されたとすると，同じタイミングで複数のエンコーディング装置２３３１が情報２３１−１を探知した場合，最先に探知して情報２３０−１を登録した１のエンコーディング装置２３３１がフォーマット変換処理を開始することができるが，他の残りのエンコーディング処理装置２３３１は，登録することができず，フォーマット変換処理を開始できない。したがって，次に登録される情報２３１を探索することとなる。
【０４８６】
次に，フォーマット変換管理ＤＢ装置２３３２は，注文テーブル記憶領域２３２２に情報２３１を登録処理後，登録された情報２３１の内容に基づき，通知装置２９４５により，新規要求元の端末装置２３５２に通知される情報２２９を作成して，通知記憶領域２３２１に登録する（Ｓ２５４６）。
【０４８７】
また，情報２３１には，完成予想時間情報，エンコーディング処理装置２３３１のＩＤまたは排他テーブル記憶領域２３２３に登録された情報２３０の件数などから構成される排他情報などが含まれており，端末装置２３５２は，この完成予想時間情報または排他情報などからフォーマット変換処理の処理状況を把握することができる。
【０４８８】
上記通知記憶領域２３２１へ情報２２９の登録処理終了後，フォーマット変換管理ＤＢ装置２３３２は，新規登録処理終了の完了通知データをフォーマット変換ＷＷＷ装置２３３０に送信する（Ｓ２５４７）。
【０４８９】
完了通知データを受信後，フォーマット変換ＷＷＷ装置２３３０は，図５６に示すように，完了通知画面を完了通知データの内容に基づき，要求元の端末装置２３５２のディスプレイ装置に表示させる（Ｓ２５４８）。
【０４９０】
通知装置２９４５は，上記通知記憶領域２３２１に登録された情報２２９を探知すると，要求元の端末装置２３５２に，情報２２９に基づき作成された注文登録完了などの内容からなる電子メールなどの通知メールを送信する（Ｓ２５４９）。
【０４９１】
（４．５．２  エンコーディング登録削除処理）
次に，図７７を参照しながら，エンコーディング登録削除処理について説明する。なお図７７は，エンコーディング登録削除処理の概略を示すフローチャートであり，図５７は，エンコーディング登録削除処理の際に，端末装置２３５２のディスプレイ装置に示される画面構成例である。
【０４９２】
すでに説明したように，端末装置２３５２により，新規にエンコーディングの注文が登録されてフォーマット変換処理中に，登録された注文をキャンセル（削除）する場合，図５７に示すように，登録された注文内容が各項目別に表示された「エンコーディング変更」画面が表示される。
【０４９３】
表示された注文内容にかかるエンコーディングをキャンセルする場合，「この設定をキャンセル」ボタンが，端末装置２３５２のマウスのクリックなどにより選択されると，図７７に示すように，端末装置２３５２は，上記エンコーディングをキャンセルする映像コンテンツデータのファイル名，管理番号などが設定されたエンコーディング削除指示データをフォーマット変換ＷＷＷ装置２３３０に送信する（Ｓ２５５０）。
【０４９４】
エンコーディング削除指示データを受信すると，フォーマット変換ＷＷＷ装置２３３０は，要求元の端末装置２３５２に属するユーザのＩＤおよびアクセス権限データから，当該エンコーディング削除指示データの正当性を確認後，受信したエンコーディング削除指示データの内容をフォーマット変換管理ＤＢ装置２３３２に送信する（Ｓ２５５１）。
【０４９５】
エンコーディング削除指示データを受信したフォーマット変換管理ＤＢ装置２３３２は，図７に示すように，エンコーディング削除指示データの内容に基づき情報２３１（情報２３１−３）のその他２３１５の項目に「キャンセル」情報の設定などを行い，情報２３１を作成して，削除注文として注文テーブル記憶領域２３２２に情報２３１の登録処理を行う（Ｓ２５５２）。
【０４９６】
次に，エンコーディング処理装置２３３１は，上記登録処理により注文のキャンセルが行われる情報２３１が登録されたのを探知する（Ｓ２５５３）と，情報２３１が示す映像コンテンツデータのフォーマット変換処理に該当する情報２３１を，管理番号，依頼人，変換元の映像コンテンツデータなどをキーとして検索を行い，図６に示す，情報２３０（２３０−１，２３０−２，・・，２３０−ｎ）の中から，上記検索のキーに該当する情報２３０の削除処理を行う（Ｓ２５５５）。
【０４９７】
上記情報２３０の削除処理終了後，エンコーディング処理装置２３３１は，フォーマット変換処理中である該当処理をキャンセルする（Ｓ２５５７）。
【０４９８】
次に，フォーマット変換管理ＤＢ装置２３３２は，情報２３１を注文テーブル記憶領域２３２２に登録処理後，登録された情報２３１の内容に基づき，通知装置２９４５により，要求元の端末装置２３５２に通知される情報２２９を作成して，通知記憶領域２３２１に登録する（Ｓ２５５８）。
【０４９９】
上記通知記憶領域２３２１へ情報２２９の登録処理終了後，フォーマット変換管理ＤＢ装置２３３２は，注文キャンセル処理終了の完了通知データをフォーマット変換ＷＷＷ装置２３３０に送信する（Ｓ２５５９）。
【０５００】
完了通知データを受信後，フォーマット変換ＷＷＷ装置２３３０は，図５９に示すように，完了通知画面を完了通知データの内容に基づき，要求元の端末装置２３５２のディスプレイ装置に表示させる（Ｓ２５６０）。
【０５０１】
通知装置２９４５は，上記通知記憶領域２３２１に登録された情報２２９を探知すると，要求元の端末装置２３５２に，上記情報２２９に基づき作成された注文キャンセル処理完了などの内容からなる電子メールなどの通知メールを送信する（Ｓ２５４９）。
【０５０２】
（４．５．３  エンコーディング登録変更処理）
次に，図７８を参照しながら，エンコーディング登録変更処理について説明する。なお図７８は，エンコーディング登録変更処理の概略を示すフローチャートであり，図５７は，エンコーディング登録変更処理の際に，端末装置２３５２のディスプレイ装置に示される画面構成例である。
【０５０３】
すでに説明したように，端末装置２３５２により，新規にエンコーディングの注文が登録されてフォーマット変換処理中に，登録された注文内容のエンコーディング終了後の映像コンテンツデータのファイル名，映像コンテンツデータを保存する格納先ディレクトリを変更する場合，図５７に示すように，登録された注文内容が各項目別に表示された「エンコーディング変更」画面が表示される。
【０５０４】
表示された注文の変更後のファイル名または格納先ディレクトリが設定されて，「変更」ボタンが，端末装置２３５２のマウスのクリックなどにより選択されると，図７８に示すように，端末装置２３５２は，上記注文内容の変更する映像コンテンツデータのファイル名，管理番号，変更後の映像コンテンツデータのファイル名，変更後の格納先ディレクトリなどが設定されたエンコーディング変更指示データをフォーマット変換ＷＷＷ装置２３３０に送信する（Ｓ２５６３）。
【０５０５】
エンコーディング変更指示データを受信すると，フォーマット変換ＷＷＷ装置２３３０は，要求元の端末装置２３５２に属するユーザのＩＤおよびアクセス権限データから，当該エンコーディング変更指示データの正当性を確認後，受信したエンコーディング変更指示データの内容をフォーマット変換管理ＤＢ装置２３３２に送信する（Ｓ２５６５）。
【０５０６】
エンコーディング変更指示データを受信したフォーマット変換管理ＤＢ装置２３３２は，図７に示すように，エンコーディング変更指示データの内容に基づき情報２３１（情報２３１−１）のその他２３１５の項目に「変更」情報の設定などを行い，情報２３１を作成して，変更注文として注文テーブル記憶領域２３２２に情報２３１の登録処理を行う（Ｓ２５６７）。
【０５０７】
次に，エンコーディング処理装置２３３１は，上記登録処理により注文内容の変更が行われる情報２３１が登録されたのを探知する（Ｓ２５６９）と，情報２３１が示す映像コンテンツデータのフォーマット変換処理に該当する情報２３１を，管理番号，依頼人，変換元の映像コンテンツデータなどをキーとして検索を行い，図６に示す，情報２３０（２３０−１，２３０−２，・・，２３０−ｎ）の中から，上記検索のキーに該当する情報２３０を，変更された注文内容に変更する変更処理を行う（Ｓ２５７１）。
【０５０８】
上記情報２３０の変更処理終了後，エンコーディング処理装置２３３１は，引き続き，フォーマット変換処理を続行する（Ｓ２５７３）。
【０５０９】
次に，フォーマット変換管理ＤＢ装置２３３２は，情報２３１を注文テーブル記憶領域２３２２に登録処理後，登録された情報２３１の内容に基づき，通知装置２９４５により，要求元の端末装置２３５２に通知される情報２２９を作成して，通知記憶領域２３２１に登録する（Ｓ２５７４）。
【０５１０】
上記通知記憶領域２３２１へ情報２２９の登録処理終了後，フォーマット変換管理ＤＢ装置２３３２は，注文内容の変更処理終了の完了通知データをフォーマット変換ＷＷＷ装置２３３０に送信する（Ｓ２５７５）。
【０５１１】
完了通知データを受信後，フォーマット変換ＷＷＷ装置２３３０は，図５８に示すように，完了通知画面を完了通知データの内容に基づき，要求元の端末装置２３５２のディスプレイ装置に表示させる（Ｓ２５７６）。
【０５１２】
通知装置２９４５は，上記通知記憶領域２３２１に登録された情報２２９を探知すると，要求元の端末装置２３５２に，情報２２９に基づき作成された注文内容の変更処理完了などの内容からなる電子メールなどの通知メールを送信する（Ｓ２５７７）。
【０５１３】
なお，本実施の形態にかかるフォーマット変換管理ＤＢ装置２３３２は，注文テーブル記憶領域２３２２に登録された情報２３１に基づいて，情報２２９を作成する場合を例にあげたが，本実施の形態では，かかる例に限定されず，排他テーブル記憶領域２３２３に登録された情報２３０に基づいて，情報２２９を作成することも実施可能である。
【０５１４】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０５１５】
上記実施の形態においては，インターネット２９３３および専用回線２９３６の双方のネットワークを介してアクセスする場合を例にあげて説明したが，本発明はかかる例に限定されず，例えば，インターネット２９３３だけを介してアクセスする場合，または専用回線２９３６だけを介してアクセスする場合においても実施することができる。
【０５１６】
また上記実施の形態においては，承認回覧処理装置２９５５およびアクセス権限データ管理ＤＢ装置２９５２は，互いに異なる装置である場合を例にあげて説明したが，本発明はかかる例に限定されず承認回覧処理装置２９５５に構成される機能およびアクセス権限データ管理ＤＢ装置２９５２から構成される機能を備えた一つの装置としても実施することができる。
【０５１７】
【発明の効果】
以上説明したように，本発明によれば，データが大容量となった，映像コンテンツデータを端末装置で管理する必要がなく，端末装置からのアクセスにより，大容量の映像コンテンツデータを，低容量の映像コンテンツデータにフォーマット変換して，複数のユーザとネットワークを介して送受信することが可能となる。
【図面の簡単な説明】
【図１】本発明の実施の形態にかかる映像コンテンツ変換システムの概略的な構成を示すブロック図である。
【図２】本発明の実施の形態にかかる映像コンテンツ変換システムにかかるセンタサーバの概略的な構成を示すブロック図である。
【図３】本発明の実施の形態にかかる映像コンテンツ変換システムにかかる変換処理装置の概略的な構成を示すブロック図である。
【図４】本発明の実施の形態にかかる映像コンテンツ変換システムにかかるフォーマット変換管理ＤＢ装置の記憶領域の概略的な構成を示すブロック図である。
【図５】本発明の実施の形態にかかる映像コンテンツ変換システムにかかるフォーマット変換管理ＤＢ装置の通知記憶領域の概略的な構成を示す説明図である。
【図６】本発明の実施の形態にかかる映像コンテンツ変換システムにかかるフォーマット変換管理ＤＢ装置の排他テーブル記憶領域の概略的な構成を示す説明図である。
【図７】本発明の実施の形態にかかる映像コンテンツ変換システムにかかるフォーマット変換管理ＤＢ装置の注文テーブル記憶領域の概略的な構成を示す説明図である。
【図８】本発明の実施の形態にかかる映像コンテンツ変換システムにおける端末装置のディスプレイ装置に表示される画面を示す説明図である。
【図９】本発明の実施の形態にかかる映像コンテンツ変換システムにおける端末装置のディスプレイ装置に表示される画面を示す説明図である。
【図１０】本発明の実施の形態にかかる映像コンテンツ変換システムにおける端末装置のディスプレイ装置に表示される画面を示す説明図である。
【図１１】本発明の実施の形態にかかる映像コンテンツ変換システムにおける端末装置のディスプレイ装置に表示される画面を示す説明図である。
【図１２】本発明の実施の形態にかかる映像コンテンツ変換システムにおける端末装置のディスプレイ装置に表示される画面を示す説明図である。
【図１３】本発明の実施の形態にかかる映像コンテンツ変換システムにおける端末装置のディスプレイ装置に表示される画面を示す説明図である。
【図１４】本発明の実施の形態にかかる映像コンテンツ変換システムにおける端末装置のディスプレイ装置に表示される画面を示す説明図である。
【図１５】本発明の実施の形態にかかる映像コンテンツ変換システムにおけるアクセス権限の種類を示す説明図である。
【図１６】本発明の実施の形態にかかる映像コンテンツ変換システムにおける端末装置のディスプレイ装置に表示される画面を示す説明図である。
【図１７】本発明の実施の形態にかかる映像コンテンツ変換システムにおける端末装置のディスプレイ装置に表示される画面を示す説明図である。
【図１８】本発明の実施の形態にかかる映像コンテンツ変換システムにおける端末装置のディスプレイ装置に表示される画面を示す説明図である。
【図１９】本発明の実施の形態にかかる映像コンテンツ変換システムにおける端末装置のディスプレイ装置に表示される画面を示す説明図である。
【図２０】本発明の実施の形態にかかる映像コンテンツ変換システムにおける端末装置のディスプレイ装置に表示される画面を示す説明図である。
【図２１】本発明の実施の形態にかかる映像コンテンツ変換システムにおける端末装置のディスプレイ装置に表示される画面を示す説明図である。
【図２２】本発明の実施の形態にかかる映像コンテンツ変換システムにおける端末装置のディスプレイ装置に表示される画面を示す説明図である。
【図２３】本発明の実施の形態にかかる映像コンテンツ変換システムにおける端末装置のディスプレイ装置に表示される画面を示す説明図である。
【図２４】本発明の実施の形態にかかる映像コンテンツ変換システムにおける端末装置のディスプレイ装置に表示される画面を示す説明図である。
【図２５】本発明の実施の形態にかかる映像コンテンツ変換システムにおける端末装置のディスプレイ装置に表示される画面を示す説明図である。
【図２６】本発明の実施の形態にかかる映像コンテンツ変換システムにおける端末装置のディスプレイ装置に表示される画面を示す説明図である。
【図２７】本発明の実施の形態にかかる映像コンテンツ変換システムにおける端末装置のディスプレイ装置に表示される画面を示す説明図である。
【図２８】本発明の実施の形態にかかる映像コンテンツ変換システムにおける端末装置のディスプレイ装置に表示される画面を示す説明図である。
【図２９】本発明の実施の形態にかかる映像コンテンツ変換システムにおける端末装置のディスプレイ装置に表示される画面を示す説明図である。
【図３０】本発明の実施の形態にかかる映像コンテンツ変換システムにおける端末装置のディスプレイ装置に表示される画面を示す説明図である。
【図３１】本発明の実施の形態にかかる映像コンテンツ変換システムにおける端末装置のディスプレイ装置に表示される画面を示す説明図である。
【図３２】本発明の実施の形態にかかる映像コンテンツ変換システムにおける端末装置のディスプレイ装置に表示される画面を示す説明図である。
【図３３】本発明の実施の形態にかかる映像コンテンツ変換システムにおける端末装置のディスプレイ装置に表示される画面を示す説明図である。
【図３４】本発明の実施の形態にかかる映像コンテンツ変換システムにおける端末装置のディスプレイ装置に表示される画面を示す説明図である。
【図３５】本発明の実施の形態にかかる映像コンテンツ変換システムにおける端末装置のディスプレイ装置に表示される画面を示す説明図である。
【図３６】本発明の実施の形態にかかる映像コンテンツ変換システムにおける端末装置のディスプレイ装置に表示される画面を示す説明図である。
【図３７】本発明の実施の形態にかかる映像コンテンツ変換システムにおける端末装置のディスプレイ装置に表示される画面を示す説明図である。
【図３８】本発明の実施の形態にかかる映像コンテンツ変換システムにおける端末装置のディスプレイ装置に表示される画面を示す説明図である。
【図３９】本発明の実施の形態にかかる映像コンテンツ変換システムにおける端末装置のディスプレイ装置に表示される画面を示す説明図である。
【図４０】本発明の実施の形態にかかる映像コンテンツ変換システムにおける端末装置のディスプレイ装置に表示される画面を示す説明図である。
【図４１】本発明の実施の形態にかかる映像コンテンツ変換システムにおける端末装置のディスプレイ装置に表示される画面を示す説明図である。
【図４２】本発明の実施の形態にかかる映像コンテンツ変換システムにおける端末装置のディスプレイ装置に表示される画面を示す説明図である。
【図４３】本発明の実施の形態にかかる映像コンテンツ変換システムにおける端末装置のディスプレイ装置に表示される画面を示す説明図である。
【図４４】本発明の実施の形態にかかる映像コンテンツ変換システムにおける端末装置のディスプレイ装置に表示される画面を示す説明図である。
【図４５】本発明の実施の形態にかかる映像コンテンツ変換システムにおける端末装置のディスプレイ装置に表示される画面を示す説明図である。
【図４６】本発明の実施の形態にかかる映像コンテンツ変換システムにおける端末装置のディスプレイ装置に表示される画面を示す説明図である。
【図４７】本発明の実施の形態にかかる映像コンテンツ変換システムにおける端末装置のディスプレイ装置に表示される画面を示す説明図である。
【図４８】本発明の実施の形態にかかる映像コンテンツ変換システムにおける端末装置のディスプレイ装置に表示される画面を示す説明図である。
【図４９】本発明の実施の形態にかかる映像コンテンツ変換システムにおける端末装置のディスプレイ装置に表示される画面を示す説明図である。
【図５０】本発明の実施の形態にかかる映像コンテンツ変換システムにおける端末装置のディスプレイ装置に表示される画面を示す説明図である。
【図５１】本発明の実施の形態にかかる映像コンテンツ変換システムにおける端末装置のディスプレイ装置に表示される画面を示す説明図である。
【図５２】本発明の実施の形態にかかる映像コンテンツ変換システムにおける端末装置のディスプレイ装置に表示される画面を示す説明図である。
【図５３】本発明の実施の形態にかかる映像コンテンツ変換システムにおける端末装置のディスプレイ装置に表示される画面を示す説明図である。
【図５４】本発明の実施の形態にかかる映像コンテンツ変換システムにおける端末装置のディスプレイ装置に表示される画面を示す説明図である。
【図５５】本発明の実施の形態にかかる映像コンテンツ変換システムにおける端末装置のディスプレイ装置に表示される画面を示す説明図である。
【図５６】本発明の実施の形態にかかる映像コンテンツ変換システムにおける端末装置のディスプレイ装置に表示される画面を示す説明図である。
【図５７】本発明の実施の形態にかかる映像コンテンツ変換システムにおける端末装置のディスプレイ装置に表示される画面を示す説明図である。
【図５８】本発明の実施の形態にかかる映像コンテンツ変換システムにおける端末装置のディスプレイ装置に表示される画面を示す説明図である。
【図５９】本発明の実施の形態にかかる映像コンテンツ変換システムにおける端末装置のディスプレイ装置に表示される画面を示す説明図である。
【図６０】本発明の実施の形態にかかる映像コンテンツ変換システムにおけるファイルあるいはディレクトリの検索処理の概略を示すフローチャートである。
【図６１】本発明の実施の形態にかかる映像コンテンツ変換システムにおけるファイルあるいはディレクトリのコピー処理の概略を示すフローチャートである。
【図６２】本発明の実施の形態にかかる映像コンテンツ変換システムにおけるファイルあるいはディレクトリの移動処理の概略を示すフローチャートである。
【図６３】本発明の実施の形態にかかる映像コンテンツ変換システムにおけるファイルあるいはディレクトリの移動処理の概略を示すフローチャートである。
【図６４】本発明の実施の形態にかかる映像コンテンツ変換システムにおけるファイルあるいはディレクトリの名前変更処理の概略を示すフローチャートである。
【図６５】本発明の実施の形態にかかる映像コンテンツ変換システムにおけるインターネットへのファイルあるいはディレクトリのコピー処理の概略を示すフローチャートである。
【図６６】本発明の実施の形態にかかる映像コンテンツ変換システムにおけるディレクトリ新規作成処理の概略を示すフローチャートである。
【図６７】本発明の実施の形態にかかる映像コンテンツ変換システムにおけるアップロード処理の概略を示すフローチャートである。
【図６８】本発明の実施の形態にかかる映像コンテンツ変換システムにおけるアクセス権限変更処理の概略を示すフローチャートである。
【図６９】本発明の実施の形態にかかる映像コンテンツ変換システムにおけるアクセス権限削除処理の概略を示すフローチャートである。
【図７０】本発明の実施の形態にかかる映像コンテンツ変換システムにおけるコメント参照表示処理の概略を示すフローチャートである。
【図７１】本発明の実施の形態にかかる映像コンテンツ変換システムにおけるコメント追加処理の概略を示すフローチャートである。
【図７２】本発明の実施の形態にかかる映像コンテンツ変換システムにおける承認回覧要求処理の概略を示すフローチャートである。
【図７３】本発明の実施の形態にかかる映像コンテンツ変換システムにおける承認回覧確認処理の概略を示すフローチャートである。
【図７４】本発明の実施の形態にかかる映像コンテンツ変換システムにおける端末装置のディスプレイ装置に表示される画面を示す説明図である。
【図７５】本発明の実施の形態にかかる映像コンテンツ変換システムにおけるカットリストのテンプレートデータ作成処理の概略を示すフローチャートである。
【図７６】本発明の実施の形態にかかる映像コンテンツ変換システムにおけるエンコーディング新規登録処理の概略を示すフローチャートである。
【図７７】本発明の実施の形態にかかる映像コンテンツ変換システムにおけるエンコーディング登録削除処理の概略を示すフローチャートである。
【図７８】本発明の実施の形態にかかる映像コンテンツ変換システムにおけるエンコーディング登録変更処理の概略を示すフローチャートである。
【符号の説明】
２３３０  ：フォーマット変換ＷＷＷ装置
２３３１  ：エンコーディング処理装置
２３３２  ：フォーマット変換管理ＤＢ装置
２３５０  ：センタサーバ
２３５２  ：端末装置
２３５４  ：グループ
２９３３  ：インターネット
２９３４  ：ファイアウォール
２９３６  ：専用回線
２９４２  ：公開用アクセス制御装置
２９４４  ：公開用ＷＷＷ装置
２９４５  ：通知装置
２９４６  ：ストレージ装置
２９４８  ：非公開用アクセス制御装置
２９５０  ：非公開用ＷＷＷ装置
２９５２  ：アクセス権限データ管理ＤＢ装置
２９５３  ：カットリスト作成装置
２９５４  ：変換処理装置
２９５５  ：承認回覧処理装置
【図１】
0004589592.tif 000002
【図２】
0004589592.tif 000003
【図３】
0004589592.tif 000004
【図４】
0004589592.tif 000005
【図５】
0004589592.tif 000006
【図６】
0004589592.tif 000007
【図７】
0004589592.tif 000008
【図８】
0004589592.tif 000009
【図９】
0004589592.tif 000010
【図１０】
0004589592.tif 000011
【図１１】
0004589592.tif 000012
【図１２】
0004589592.tif 000013
【図１３】
0004589592.tif 000014
【図１４】
0004589592.tif 000015
【図１５】
0004589592.tif 000016
【図１６】
0004589592.tif 000017
【図１７】
0004589592.tif 000018
【図１８】
0004589592.tif 000019
【図１９】
0004589592.tif 000020
【図２０】
0004589592.tif 000021
【図２１】
0004589592.tif 000022
【図２２】
0004589592.tif 000023
【図２３】
0004589592.tif 000024
【図２４】
0004589592.tif 000025
【図２５】
0004589592.tif 000026
【図２６】
0004589592.tif 000027
【図２７】
0004589592.tif 000028
【図２８】
0004589592.tif 000029
【図２９】
0004589592.tif 000030
【図３０】
0004589592.tif 000031
【図３１】
0004589592.tif 000032
【図３２】
0004589592.tif 000033
【図３３】
0004589592.tif 000034
【図３４】
0004589592.tif 000035
【図３５】
0004589592.tif 000036
【図３６】
0004589592.tif 000037
【図３７】
0004589592.tif 000038
【図３８】
0004589592.tif 000039
【図３９】
0004589592.tif 000040
【図４０】
0004589592.tif 000041
【図４１】
0004589592.tif 000042
【図４２】
0004589592.tif 000043
【図４３】
0004589592.tif 000044
【図４４】
0004589592.tif 000045
【図４５】
0004589592.tif 000046
【図４６】
0004589592.tif 000047
【図４７】
0004589592.tif 000048
【図４８】
0004589592.tif 000049
【図４９】
0004589592.tif 000050
【図５０】
0004589592.tif 000051
【図５１】
0004589592.tif 000052
【図５２】
0004589592.tif 000053
【図５３】
0004589592.tif 000054
【図５４】
0004589592.tif 000055
【図５５】
0004589592.tif 000056
【図５６】
0004589592.tif 000057
【図５７】
0004589592.tif 000058
【図５８】
0004589592.tif 000059
【図５９】
0004589592.tif 000060
【図６０】
0004589592.tif 000061
【図６１】
0004589592.tif 000062
【図６２】
0004589592.tif 000063
【図６３】
0004589592.tif 000064
【図６４】
0004589592.tif 000065
【図６５】
0004589592.tif 000066
【図６６】
0004589592.tif 000067
【図６７】
0004589592.tif 000068
【図６８】
0004589592.tif 000069
【図６９】
0004589592.tif 000070
【図７０】
0004589592.tif 000071
【図７１】
0004589592.tif 000072
【図７２】
0004589592.tif 000073
【図７３】
0004589592.tif 000074
【図７４】
0004589592.tif 000075
【図７５】
0004589592.tif 000076
【図７６】
0004589592.tif 000077
【図７７】
0004589592.tif 000078
【図７８】
0004589592.tif 000079